(57)【要約】【課題】地球の重力は地球の中心に地球の全ての質量があるとし、半径を地球の半径としている。これはどうしてか。地球の核の熱と、太陽の中心核の熱はどのようにできるか。【解決手段】地球の深さにおける電子のラブの軌道から、引力と成る磁気の光子のエネルギーを求める。地球の核の熱と、太陽の中心核の熱は同じ原理に基づき発生すると考える。熱は、電子のラブが公転してできる電気の光子のエネルギーです。電子のラブの軌道が小さくなると、できる電気の光子の軌道も小さくなり、電気の光子のエネルギーは大きくなる。温度と電子のラブの軌道の関係と、深さにおける温度から、その場の電子のラブの軌道を知る。太陽の中心核の温度から、中性子ができる電子のラブの軌道を知る。中性子ができる電子のラブの軌道より小さな軌道では、陽子は存在しない。存在するのは中性子だけです。太陽より質量の大きな星の中で、中性子は、“中性子の球体”として存在する。【選択図】図３
2006353099.tif 000002
【特許請求の範囲】
【請求項１】
地球の中の温度はどのようになっているか。
地球の中の熱には２種類の熱がある。
１つは電子のラブの軌道が収縮する事によってできる熱です。この熱を、“電子のラブが収縮してできた熱”と名づけます。
１つは地球の中央でできた熱（これも、電子のラブの軌道が収縮する事によってできる熱です。）が、地球の中を放射する熱です。この熱は“放射熱”です。
【請求項２】
地球の中で、温度と電子のラブの軌道の関係はどのようであるか。
温度＝熱は光子のエネルギーです。光子の軌道のエネルギーです。光子は走っているとき熱に成りません。光子は何かと衝突すると熱になります。
光子が任意の場において衝突すると、光子のエネルギーが熱となります。
光子のエネルギーは光子の軌道のエネルギーです。
電子のラブが１０−１０ｍから１０−１１ｍになると、温度は１００℃上昇します。
これは、光子の軌道も１／１０に成るので、光子のエネルギーは１０倍に成るからです。
地表で、電子のラブの軌道は１０−１０ｍとします。
地表の温度は１℃とします。
電子のラブの軌道と温度の関係式は、
電子のラブの軌道＝１０−１０ｍ÷温度１／２です。
但しこの温度は電子のラブが収縮する事によってできる熱です。
例えば、地球の中央で、温度は７６００Ｋです。この熱はどうしてできたか。
この熱は“電子のラブが収縮してできた熱”です。
この熱ができた、電子のラブの軌道は、
温度は、７６００−２７３＝７３２７（℃）ですから、
電子のラブの軌道＝１０−１０ｍ÷温度１／２＝１０−１０ｍ÷７３２７１／２＝１０−１０ｍ÷（７３．２７×１００）１／２＝１０−１０ｍ÷８５．６＝１．１６８×１０−１２ｍ  です。
【請求項３】
地球の中で、密度と電子のラブの軌道の関係はどのようであるか。
密度がＡ倍ですと、軌道はＡ３分の１です。
電子のラブの軌道＝１０−１０ｍ÷Ａ３
地殻の密度は３ですから、密度の倍数は、密度÷３です。
それで、
電子のラブの軌道＝１０−１０ｍ÷Ａ３＝１０−１０ｍ÷（密度÷３）３  です。
例えば、地球の中央の密度は１３です。
この場の、電子のラブの軌道は、
１０−１０ｍ÷（密度÷３）３＝１０−１０ｍ÷（１３÷３）３＝１０−１０ｍ÷（４．３３３）３＝１０−１０ｍ÷８１．３５８＝１．２３×１０−１２ｍです。
【請求項４】
地球の中で、電子のラブが収縮する事によってどれだけのエネルギーができるか。電子のラブが収縮する事によってエネルギーが発生する原理。
地球の中で熱が発生する原理は、地球の中で、圧力により、電子のラブの軌道は小さくなる。電子のラブの軌道が小さくなると、光子の軌道も小さくなる。光子の軌道が小さくなると光子のエネルギーは大きくなる。
即ち、電子のラブの自転が小さくなると、できる磁気の光子の軌道が小さくなり、エネルギーは大きくなる。電子のラブの公転が小さくなると、できる電気の光子の軌道が小さくなり、エネルギーは大きくなる。よって、放出する電気の光子のエネルギーと磁気の光子のエネルギーは大きくなり、温度は高くなる。
地球の中央は高圧になり、高密度に成るのは、同じ体積にたくさんの原子が存在するからです。即ち、原子が収縮しています。電子のラブの軌道が収縮しています。
例えば、電子のラブの軌道が１０−１０ｍから１０−１１ｍに収縮します。
そうすると、電子のラブの公転と自転でできる光子の軌道は１／１０になり、エネルギーは１０倍になります。
それで、その場の温度は、１０×１０＝１００倍になります。
例えば、電子のラブの軌道が１０−１０ｍから１０−１２ｍに収縮します。
そうすると、電子のラブの公転と自転でできる光子の軌道は１／１００になり、エネルギーは１００倍になります。
それで、その場の温度は、１００×１００＝１０４倍になります。
地球の中で、電子のラブの軌道が１０ａ分の１に収縮すると、その場の温度は１０２ａ倍になる。
【請求項５】
地球の中に進むにつれて、電子のラブの軌道はどのように変化するか。
地球の中に進むにつれて、質量に押されて電子のラブの軌道は小さくなる。
地表で、温度は１℃で、地下６０００Ｋｍで６０００℃ですから、１Ｋｍで１℃ずつ温度は上がる。
この温度は、電子のラブの軌道が少しずつ収縮するためにできる熱と考える。
それで、“電子のラブが収縮してできた熱”は、１０Ｋｍでは１０℃、１００Ｋｍでは１００℃、１０００Ｋｍでは１０００℃です。
この事から、地球の深さにおける、電子のラブの軌道を知る事ができる。
電子のラブの軌道＝１０−１０ｍ÷温度（℃）１／２＝１０−１０ｍ÷深さ（Ｋｍ）１／２たとえば、８００Ｋｍでは８００℃ですから、この場の、電子のラブの軌道は、
１０−１０ｍ÷（８００）１／２＝１０−１０ｍ÷２８．２８＝３．５３６×１０−１２ｍ  です。
【請求項６】
地球の中で、原子はどのように並んでいるか。
地球の半径６５００Ｋｍの間にどれだけ原子が並んでいるか。
○温度によって求めた電子のラブの軌道により、原子の配列を求める。
・地表から地下１０００Ｋｍの間に、どれだけの原子が並んでいるか。
地表の電子のラブの軌道は１０−１０ｍです。１００Ｋｍの電子のラブの軌道は１０−１１ｍです。
１００Ｋｍから１０００Ｋｍの電子のラブの軌道の平均は、
（１０＋７＋５．７８＋５＋４．４８＋３．７８＋３．５４＋３．３＋３．１６）×１０−１２ｍ÷１０＝５×１０−１２ｍ５×１０−１２ｍです。
それで、１０００Ｋｍの間に、電子のラブの軌道が５×１０−１２ｍの原子の数は、
１０００Ｋｍ÷（５×１０−１２ｍ）＝２×１０１７個です。
・地下１０００Ｋｍから２０００Ｋｍの間に、どれだけの原子が並んでいるか。
地下１０００Ｋｍの電子のラブの軌道は、３．１６×１０−１２ｍです。地下２０００Ｋｍの電子のラブの軌道は、２．２３×１０−１２ｍです。
この中間の電子のラブの軌道の大きさは。
（３．１６×１０−１２ｍ＋２．２３×１０−１２ｍ）÷２＝２．６９５×１０−１２ｍです。
それで、１０００Ｋｍの間には、
１０００Ｋｍ÷（２．６９５×１０−１２ｍ）＝３．７１×１０１７個です。
・地下２０００Ｋｍから３０００Ｋｍの間に、どれだけの原子が並んでいるか。
地下２０００Ｋｍの電子のラブの軌道は、２．２３×１０−１２ｍです。地下３０００Ｋｍの電子のラブの軌道は、１．８×１０−１２ｍです。
この中間の電子のラブの軌道の大きさは。
（２．２３×１０−１２ｍ＋１．８×１０−１２ｍ）÷２＝２×１０−１２ｍです。
それで、１０００Ｋｍの間には、
１０００Ｋｍ÷（２×１０−１２ｍ）＝５×１０１７個です。
・地下３０００Ｋｍから４０００Ｋｍの間に、どれだけの原子が並んでいるか。
地下３０００Ｋｍの電子のラブの軌道は、１．８×１０−１２ｍです。地下４０００Ｋｍの電子のラブの軌道は、１．５８×１０−１２ｍです。
この中間の電子のラブの軌道の大きさは。
（１．８×１０−１２ｍ＋１．５８×１０−１２ｍ）÷２＝１．６９×１０−１２ｍです。
それで、１０００Ｋｍの間には、
１０００Ｋｍ÷（１．６９×１０−１２ｍ）＝５．９１７×１０１７個です。
・地下４０００Ｋｍから５０００Ｋｍの間に、どれだけの原子が並んでいるか。
地下４０００Ｋｍの電子のラブの軌道は、１．５８×１０−１２ｍです。地下５０００Ｋｍの電子のラブの軌道は、１．４×１０−１２ｍです。
この中間の電子のラブの軌道の大きさは。
（１．５８×１０−１２ｍ＋１．４×１０−１２ｍ）÷２＝１．４９×１０−１２ｍです。
それで、１０００Ｋｍの間には、
１０００Ｋｍ÷（１．４９×１０−１２ｍ）＝６．７１×１０１７個です。
・地下５０００Ｋｍから６０００Ｋｍの間に、どれだけの原子が並んでいるか。
地下５０００Ｋｍの電子のラブの軌道は、１．４×１０−１２ｍです。地下６０００Ｋｍの電子のラブの軌道は、１．３×１０−１２ｍです。
この中間の電子のラブの軌道の大きさは。
（１．４×１０−１２ｍ＋１．３×１０−１２ｍ）÷２＝１．３５×１０−１２ｍです。
それで、１０００Ｋｍの間には、
１０００Ｋｍ÷（１．３５×１０−１２ｍ）＝７．４×１０１７個です。
・地下６０００Ｋｍから６５００Ｋｍの間に、どれだけの原子が並んでいるか。
地下６０００Ｋｍの電子のラブの軌道は、１．３×１０−１２ｍです。地下６５００Ｋｍの電子のラブの軌道は、１．１６８×１０−１２ｍです。
この中間の電子のラブの軌道の大きさは、
（１．３×１０−１２ｍ＋１．１６８×１０−１２ｍ）÷２＝１．２３４×１０−１２ｍです。
それで、５００Ｋｍの間には、
５００Ｋｍ÷（１．２３４×１０−１２ｍ）＝４．０５×１０１７個です。
よって、地表から地下６５００Ｋｍ（中心）までに、どれ位の原子が並んでいるでしょうか。
２×１０１７個＋３．７１×１０１７個＋５×１０１７個＋５．９１×１０１７個＋６．７１×１０１７個＋７．４×１０１７個＋４．０５×１０１７個＝３４．７８×１０１７個
地表から地下６５００Ｋｍ（中心）までに、３．４７８×１０１８個の原子が並んでいる。
地球には、４π÷３×（３．４７８×１０１８個）３＝１．７６１×１０５６個  の原子があることになります。
これは、原子の大きさを１０−１０ｍとしたからです。
地球の原子の数は、地球の質量÷原子の質量＝５．９７４×１０２４Ｋｇ÷（１．６６×１０−２７Ｋｇ）＝３．６×１０５１個です。
この場合、原子の数は、１．７６１×１０５６個÷（３．６×１０５１個）＝４．８９×１０４倍になっています。
（４．８９×１０４）１／３＝（４８．９×１０３）１／３＝３６．５７
並ぶ原子の数は、３６．５７分の１です。
原子の電子のラブの軌道は３６．５７倍です。
軌道の大きさを１０−１０ｍの３６．５７倍にしたら、地表から地下６５００Ｋｍ（中心）までに、並ぶ原子の数は、
３．４７８×１０１８個÷３６．５７＝９．５１×１０１６個です。
地球の原子の数は、４π÷３×（９．５１×１０１６個）３＝３．６×１０５１個です。
○密度によって求めた原子の電子のラブの軌道により分子の配列を求める。
密度は３ですから、これは分子です。それで、密度３の分子の大きさを１０−１０ｍとします。
・地表から５００Ｋｍまでの間に、どれだけの分子が並んでいるか。
地下５００Ｋｍまで、密度は３ですから、分子の軌道は１０−１０ｍです。
それで、５００Ｋｍの間には、
５００Ｋｍ÷１０−１０ｍ＝５×１０１５  個です。
・地下５００Ｋｍから１０００Ｋｍまでの間に、どれだけの分子が並んでいるか。
地下５００Ｋｍの分子の軌道は１０−１０ｍです。６００Ｋｍの分子の軌道は４．２２×１０−１１ｍです。
７００Ｋｍの分子の軌道は２．１６×１０−１１ｍです。８００Ｋｍの分子の軌道は１．２５×１０−１１ｍです。
９００Ｋｍの分子の軌道は７．８７４×１０−１２ｍです。１０００Ｋｍの分子の軌道は５．２７７×１０−１２ｍです。
この平均の分子の軌道は、１０−１０ｍ＋４．２２×１０−１１ｍ＋２．１６×１０−１１ｍ＋１．２５×１０−１１ｍ＋７．８７×１０−１２ｍ＋５．２８×１０−１２ｍ÷６＝３．１５７５×１０−１１ｍ  です。
それで、５００Ｋｍから１０００Ｋｍの間には、
５００Ｋｍ÷（３．１５７５×１０−１１ｍ）＝１．５８４×１０１６個です。
・地下１０００Ｋｍから２０００Ｋｍの間に、どれだけの分子が並んでいるか。
地下１０００Ｋｍの分子の軌道は、５．２８×１０−１２ｍです。地下２０００Ｋｍの分子の軌道は、３．７×１０−１２ｍです。
この中間の分子の軌道の大きさは。
（５．２８×１０−１２ｍ＋３．７×１０−１２ｍ）÷２＝４．４９×１０−１２ｍです。
それで、１０００Ｋｍの間には、
１０００Ｋｍ÷（４．４９×１０−１２ｍ）＝２．２２７×１０１７個です。
・地下２０００Ｋｍから３０００Ｋｍの間に、どれだけの分子が並んでいるか。
地下２０００Ｋｍの分子の軌道は、３．７×１０−１２ｍです。地下３０００Ｋｍの分子の軌道は、２．７×１０−１２ｍです。
この中間の分子の軌道の大きさは。
（３．７×１０−１２ｍ＋２．７×１０−１２ｍ）÷２＝３．２×１０−１２ｍです。
それで、１０００Ｋｍの間には、
１０００Ｋｍ÷（３．２×１０−１２ｍ）＝３．１２５×１０１７個です。
・地下３０００Ｋｍから４０００Ｋｍの間に、どれだけの分子が並んでいるか。
地下３０００Ｋｍの分子の軌道は、２．７×１０−１２ｍです。地下４０００Ｋｍの分子の軌道は、２×１０−１２ｍです。
この中間の分子の軌道の大きさは。
（２．７×１０−１２ｍ＋２×１０−１２ｍ）÷２＝２．３５×１０−１２ｍです。
それで、１０００Ｋｍの間には、
１０００Ｋｍ÷（２．３５×１０−１２ｍ）＝４．２５５×１０１７個です。
・地下４０００Ｋｍから５０００Ｋｍの間に、どれだけの分子が並んでいるか。
地下４０００Ｋｍの分子の軌道は、２×１０−１２ｍです。地下５０００Ｋｍの分子の軌道は、１．５×１０−１２ｍです。
この中間の分子の軌道の大きさは。
（２×１０−１２ｍ＋１．５×１０−１２ｍ）÷２＝１．７５×１０−１２ｍです。
それで、１０００Ｋｍの間には、
１０００Ｋｍ÷（１．７５×１０−１２ｍ）＝５．７１４×１０１７個です。
・地下５０００Ｋｍから６０００Ｋｍの間に、どれだけの分子が並んでいるか。
地下５０００Ｋｍの分子の軌道は、１．５×１０−１２ｍです。地下６０００Ｋｍの分子の軌道は、１．２３×１０−１２ｍです。
この中間の分子の軌道の大きさは。
（１．５×１０−１２ｍ＋１．２３×１０−１２ｍ）÷２＝１．３６５×１０−１２ｍです。
それで、１０００Ｋｍの間には、
１０００Ｋｍ÷（１．３６５×１０−１２ｍ）＝７．３２６×１０１７個です。
・地下６０００Ｋｍから６５００Ｋｍの間に、どれだけの分子が並んでいるか。
地下６０００Ｋｍの分子の軌道は、１．２３×１０−１２ｍです。地下６５００Ｋｍの分子の軌道は、１．２３×１０−１２ｍです。
それで、５００Ｋｍの間には、
５００Ｋｍ÷（１．２３×１０−１２ｍ）＝４．０６５×１０１７個です。
地表から地下６５００Ｋｍ（中心）までに、どれ位の分子が並んでいるでしょうか。
５×１０１５個＋１．５８４×１０１６個＋２．２２７×１０１７個＋３．１２５×１０１７個＋４．２５５×１０１７個＋５．７１４×１０１７個＋７．３２６×１０１７個＋４．０６５×１０１７個＝２６．９２×１０１７個
地表から地下６５００Ｋｍ（中心）までに、２．６９２×１０１８個の分子が並んでいる。
地球には、４π÷３×（２．６９２×１０１８個）３＝８．１６８×１０５５個  の分子があることになります。
密度１であるＨ２Ｏの原子の数は１８ですから、密度３の原子の数は３×１８＝５４です。
地球の分子の数は、地球の質量÷分子の質量＝５．９７４×１０２４Ｋｇ÷（１．６６×１０−２７Ｋｇ×５４）＝６．６６×１０４９個です。
分子の軌道を１０−１０ｍとしたから８．１６８×１０５５個です。
この場合、分子の数は、８．１６８×１０５５個÷（６．６６×１０４９個）＝１．２２６×１０６倍になっています。
（１．２２６×１０６）１／３＝１．０７×１０２
それで、分子の軌道は１０７倍です。
１０００Ｋｍ間の分子の数は１０７分の１です。
軌道の大きさを１０７倍にしたら、地表から地下６５００Ｋｍ（中心）までに、並ぶ分子の数は、
２．６９２×１０１８個÷１０７＝２．５１６×１０１６個です。
地球の原子の数は、４π÷３×（２．５１６×１０１６個）３＝６．６７×１０４９個です。
○温度から計算した時、実際、地下にどれだけの原子が並んでいるか。
地表から１０００Ｋｍまでには、２×１０１７個÷３６．５７＝５．４７×１０１５個です。
１０００Ｋｍから２０００Ｋｍまでには、３．７１×１０１７個÷３６．５７＝１．０１×１０１６個です。
２０００Ｋｍから３０００Ｋｍまでには、５×１０１７個÷３６．５７＝１．３６７×１０１６個です。
３０００Ｋｍから４０００Ｋｍまでには、５．９１７×１０１７個÷３６．５７＝１．６１８×１０１６個です。
４０００Ｋｍから５０００Ｋｍまでには、６．７１×１０１７個÷３６．５７＝１．８３５×１０１６個です。
５０００Ｋｍから６０００Ｋｍまでには、７．４×１０１７個÷３６．５７＝２．０２４×１０１６個です。
６０００Ｋｍから６５００Ｋｍまでには、４．０５×１０１７個÷３６．５７＝１．１０７×１０１６個です。
○温度から計算した時、実際の電子のラブの軌道の平均値はいくらか。
地表から１０００Ｋｍまでは、５×１０−１２ｍ×３６．５７＝１．８２９×１０−１０ｍです。
１０００Ｋｍから２０００Ｋｍまでは、２．６９５×１０−１２ｍ×３６．５７＝９．８５６×１０−１１ｍです。
２０００Ｋｍから３０００Ｋｍまでは、２×１０−１２ｍ×３６．５７＝７．３１４×１０−１１ｍです。
３０００Ｋｍから４０００Ｋｍまでは、１．５８×１０−１２ｍ×３６．５７＝５．７７８×１０−１１ｍです。
４０００Ｋｍから５０００Ｋｍまでは、１．４９×１０−１２ｍ×＝５．４４９×１０−１１ｍです。
５０００Ｋｍから６０００Ｋｍまでは、１．３５×１０−１２ｍ×３６．５７＝４．９３７×１０−１１ｍです。
６０００Ｋｍから６５００Ｋｍまでは、１．２３４×１０−１２ｍ×３６．５７＝４．５１３×１０−１１ｍです。
○密度から計算した時、実際、地下にはどれだけの分子が並んでいるか。
地表から５００Ｋｍまでには、５×１０１５個÷１０７＝４．６７３×１０１３個です。
５００Ｋｍから１０００Ｋｍまでには、１．５８４×１０１６個÷１０７＝１．４８×１０１４個
１０００Ｋｍから２０００Ｋｍまでには、２．２２７×１０１７個÷１０７＝２．０８１×１０１５個です。
２０００Ｋｍから３０００Ｋｍまでには、３．１２５×１０１７個÷１０７＝２．９２１×１０１５個です。
３０００Ｋｍから４０００Ｋｍまでには、４．２５５×１０１７個÷１０７＝３．９７７×１０１５個です。
４０００Ｋｍから５０００Ｋｍまでには、５．７１４×１０１７個÷１０７＝５．３４×１０１５個です。
５０００Ｋｍから６０００Ｋｍまでには、７．３２６×１０１７個÷１０７＝６．８４７×１０１５個です。
６０００Ｋｍから６５００Ｋｍまでには、４．０６５×１０１７個÷１０７＝３．８×１０１５個です。
○密度から計算した時、実際の分子の軌道の平均値はいくらか。
地表から５００Ｋｍまでは、１０−１０ｍ×１０７＝１．０７×１０−８ｍです。
５００Ｋｍから１０００Ｋｍまでは、３．１５８×１０−１１ｍ×１０７＝３．３７９×１０−９ｍです。
１０００Ｋｍから２０００Ｋｍまでは、４．４９×１０−１２ｍ×１０７＝４．８×１０−１０ｍです。
２０００Ｋｍから３０００Ｋｍまでは、３．２×１０−１２ｍ×１０７＝３．４２４×１０−１０ｍです。
３０００Ｋｍから４０００Ｋｍまでは、２．３５×１０−１２ｍ×１０７＝２．５１５×１０−１０ｍです。
４０００Ｋｍから５０００Ｋｍまでは、１．７５×１０−１２ｍ×１０７＝１．８７３×１０−１０ｍです。
５０００Ｋｍから６０００Ｋｍまでは、１．３６５×１０−１２ｍ×１０７＝１．４６１×１０−１０ｍです。
６０００Ｋｍから６５００Ｋｍまでは、１．２３×１０−１２ｍ×１０７＝１．３１６×１０−１０ｍです。
この事から、地球の中央になるほど、原子の電子のラブの軌道は、小さくなる。
【請求項７】
地球の中の温度はどのようにできるか。温度は電子のラブが何回公転する事によってできるエネルギーか。図２
・地表の場合。
電子のラブの公転は３．６５７×１０−９ｍであり、１℃の温度を作っている。
１℃＝２７３＋１＝２７４Ｋです。
このエネルギーは、１Ｋ＝１．３８×１０−２３Ｊですから、２７４×１．３８×１０−２３Ｊ＝３．７８１２×１０−２１Ｊです。
電子のラブが１回転する事によって、できる１回転の電気の光子のエネルギーは、
１０−３９Ｊｍ÷（３．６５７×１０−９ｍ）＝２．７３４×１０−３１Ｊです。
それで、１℃＝３．７８１２×１０−２１Ｊのエネルギーは、電子のラブが何公転する事によってできるエネルギーか。
３．７８１２×１０−２１Ｊ÷（２．７３４×１０−３１Ｊ）＝１．３８３×１０１０公転する事によってできるエネルギーです。
よって、電子のラブが１．３８３×１０１０回公転してできる電気の光子のエネルギーが熱のエネルギーとなる。
・０から１０００Ｋｍの場合。
電子のラブの軌道の平均値は、１．８２９×１０−１０ｍです。
電子のラブが１公転してできる電気の光子のエネルギーは、１０−３９Ｊｍ÷（１．８２９×１０−１０ｍ）＝５．４６７５×１０−３０Ｊです。
電子のラブが１．３８３×１０１０回公転してできる電気の光子のエネルギーは、
１．３８３×１０１０回×５．４６７５×１０−３０Ｊ＝７．５６２×１０−２０Ｊです。
このエネルギーは何℃のエネルギーか。
７．５６２×１０−２０Ｊ÷（３．７８１２×１０−２１Ｊ）＝２０（℃）のエネルギーです。
この場の温度は、２０×２０＝４００（℃）です。
・１０００Ｋｍから２０００Ｋｍの場合。
電子のラブの軌道の平均値は、９．８５６×１０−１１ｍです。
電子のラブが１公転してできる電気の光子のエネルギーは、
１０−３９Ｊｍ÷（９．８５６×１０−１１ｍ）＝１．０１×１０−２９Ｊです。
電子のラブが１．３８３×１０１０回公転してできる電気の光子のエネルギーは、
１．３８３×１０１０回×１．０１×１０−２９Ｊ＝１．３９７×１０−１９Ｊです。
このエネルギーは何℃のエネルギーか。
１．３９７×１０−１９Ｊ÷（３．７８１２×１０−２１Ｊ）＝３６．９５（℃）のエネルギーです。
この場の温度は、３６．９５×３６．９５＝１３６５．３（℃）です。
・２０００Ｋｍから３０００Ｋｍの場合。
電子のラブの軌道の平均値は、７．３１４×１０−１１ｍです。
電子のラブが１公転してできる電気の光子のエネルギーは、
１０−３９Ｊｍ÷（７．３１４×１０−１１ｍ）＝１．３６７２×１０−２９Ｊです。
電子のラブが１．３８３×１０１０回公転してできる電気の光子のエネルギーは、
１．３８３×１０１０回×１．３６７２×１０−２９Ｊ＝１．８９×１０−１９Ｊです。
このエネルギーは何℃のエネルギーか。
１．８９×１０−１９Ｊ÷（３．７８１２×１０−２１Ｊ）＝４９．９８（℃）のエネルギーです。
この場の温度は、５０×５０＝２５００（℃）です。
・３０００Ｋｍから４０００Ｋｍの場合。
電子のラブの軌道の平均値は、５．７７８×１０−１１ｍです。
電子のラブが１公転してできる電気の光子のエネルギーは、
１０−３９Ｊｍ÷（５．７７８×１０−１１ｍ）＝１．７３×１０−２９Ｊです。
電子のラブが１．３８３×１０１０回公転してできる電気の光子のエネルギーは、
１．３８３×１０１０回×１．７３×１０−２９Ｊ＝２．３９２６×１０−１９Ｊです。
このエネルギーは何℃のエネルギーか。
２．３９２６×１０−１９Ｊ÷（３．７８１２×１０−２１Ｊ）＝６３．２８（℃）のエネルギーです。
この場の温度は、６３．２８×６３．２８＝４００４．３５（℃）です。
・４０００Ｋｍから５０００Ｋｍの場合。
電子のラブの軌道の平均値は、５．４４９×１０−１１ｍです。
電子のラブが１公転してできる電気の光子のエネルギーは、
１０−３９Ｊｍ÷（５．４４９×１０−１１ｍ）＝１．８３５×１０−２９Ｊです。
電子のラブが１．３８３×１０１０回公転してできる電気の光子のエネルギーは、
１．３８３×１０１０回×１．８３５×１０−２９Ｊ＝２．５３８×１０−１９Ｊです。
このエネルギーは何℃のエネルギーか。
２．５３８×１０−１９Ｊ÷（３．７８１２×１０−２１Ｊ）＝６７．１２（℃）のエネルギーです。
この場の温度は、６７．１２×６７．１２＝４５０５（℃）です。
・５０００Ｋｍから６０００Ｋｍの場合。
電子のラブの軌道の平均値は、４．９３７×１０−１１ｍです。
電子のラブが１公転してできる電気の光子のエネルギーは、
１０−３９Ｊｍ÷（４．９３７×１０−１１ｍ）＝２．０２６×１０−２９Ｊです。
電子のラブが１．３８３×１０１０回公転してできる電気の光子のエネルギーは、
１．３８３×１０１０回×２．０２６×１０−２９Ｊ＝２．８×１０−１９Ｊです。
このエネルギーは何℃のエネルギーか。
２．８×１０−１９Ｊ÷（３．７８１２×１０−２１Ｊ）＝７４．０５（℃）のエネルギーです。
この場の温度は、７４．０５×７４．０５＝５４８３．４（℃）です。
・６０００Ｋｍから６５００Ｋｍの場合。
電子のラブの軌道の平均値は、４．５１３×１０−１１ｍです。
電子のラブが１公転してできる電気の光子のエネルギーは、
１０−３９Ｊｍ÷（４．５１３×１０−１１ｍ）＝２．２１６×１０−２９Ｊです。
電子のラブが１．３８３×１０１０回公転してできる電気の光子のエネルギーは、
１．３８３×１０１０回×２．２１６×１０−２９Ｊ＝３．０６５×１０−１９Ｊです。
このエネルギーは何℃のエネルギーか。
３．０６５×１０−１９Ｊ÷（３．７８１２×１０−２１Ｊ）＝８１．０６（℃）のエネルギーです。
この場の温度は、８１．０６×８１．０６＝６５７０．７（℃）です。
この事によって、電子のラブが１．３８３×１０１０回公転してできる電気の光子のエネルギーが熱エネルギーになることが証明できた。
【請求項８】
温度と電子のラブの軌道との関係はどのようであるか。
○電子のラブの軌道と温度Ｋの関係について。
電子のラブの軌道をＡｍとする。
電子のラブが１公転してできる電気の光子のエネルギーは、１０−３９Ｊｍ÷Ａｍです。
温度１Ｋ＝１．３８×１０−２３Ｊです。
電子のラブが、１．３８３×１０１０回公転してできる電気の光子のエネルギーが熱に成りますから、
このエネルギーは何Ｋか。
電子のラブが１公転してできる電気の光子のエネルギー×１．３８３×１０１０回÷（１．３８×１０−２３Ｊ）＝１０−３９Ｊｍ÷Ａｍ×１．３８３×１０１０回÷（１．３８×１０−２３Ｊ）＝１０−６÷Ａ（Ｋ）
電子のラブの軌道がＡｍの場合、熱は１０−６÷Ａ（Ｋ）です。
○電子のラブの軌道と温度℃の関係について。
電子のラブの軌道をＡｍとする。
電子のラブが１公転してできる電気の光子のエネルギーは、１０−３９Ｊｍ÷Ａｍです。
温度１℃＝２７４Ｋ＝２７４×１．３８×１０−２３Ｊ＝３．７８１２×１０−２１Ｊです。
電子のラブが、１．３８３×１０１０回公転してできる電気の光子のエネルギーが熱に成りますから、
このエネルギーは何℃か。
電子のラブが１公転してできる電気の光子のエネルギー×１．３８３×１０１０回÷（３．７８１２×１０−２１Ｊ）＝１０−３９Ｊｍ÷Ａｍ×１．３８３×１０１０回÷（３．７８１２×１０−２１Ｊ）＝３．６５８×１０−９÷Ａ（℃）
電子のラブの軌道がＡｍの場合、熱は３．６５８×１０−９÷Ａ（℃）です。
この場の温度は、この２乗となります。
（３．６５８×１０−９÷Ａ）２＝１．３３８×１０−１７÷Ａ２です。
【請求項９】
地球の引力はどのようになっているか。
地下深くなるほど、電子のラブの軌道は小さくなる。それで、電子のラブの自転によってできる磁気の光子の軌道も小さくなる。地下深くから、磁気の光子は地表に向かって出発します。磁気の光子は地表に近づくにつれて、軌道を拡大します。地表にたどり着く時は、地表の電子のラブが作る磁気の光子の軌道と同じに成ります。エネルギーは同じに成ります。それらの磁気の光子が地表の引力に成ります。地表の引力は地球の中でできた磁気の光子が軌道を大きくし地表に出てきた磁気の光子の総エネルギーです。
それで、地球の引力は、地球の電子のラブの数（＝地球の原子の数）×地表において、電子のラブ１個でできる引力と成る磁気の光子のエネルギーです。
地球の深さにおける引力となる磁気の光子の総エネルギーは、地球の深さにおける引力となる磁気の光子のエネルギー×地球の深さの体積に存在する原子の数、です。
○地球の深さにおける、電子のラブの公転軌道から、電子のラブが１回自転してできる磁気の光子のエネルギーはいくらか。
磁気の光子の軌道×エネルギーは、１．２５×１０−１０−８ｍ×８×１０−３８Ｊ＝１０−５５Ｊｍです。
・地表では、電子のラブの軌道は、３．６５７×１０−９ｍですから、電子のラブが１回自転してできる磁気の光子のエネルギーは、
１０−５５Ｊｍ÷（３．６５７×１０−９−８ｍ）＝２．７３４×１０−３９Ｊ  です。
・０から１０００Ｋｍでは、電子のラブの平均軌道は、１．８２９×１０−１０ｍですから、電子のラブが１回自転してできる磁気の光子のエネルギーは、
１０−５５Ｊｍ÷（１．８２９×１０−１０−８ｍ）＝５．４６７×１０−３８Ｊ  です。
・１０００Ｋｍから２０００Ｋｍでは、電子のラブの平均軌道は、９．８５６×１０−１１ｍですから、電子のラブが１回自転してできる磁気の光子のエネルギーは、
１０−５５Ｊｍ÷（９．８５６×１０−１１−８ｍ）＝１．０１５×１０−３７Ｊ  です。
・２０００Ｋｍから３０００Ｋｍでは、電子のラブの平均軌道は、７．３１４×１０−１１ｍですから、電子のラブが１回自転してできる磁気の光子のエネルギーは、
１０−５５Ｊｍ÷（７．３１４×１０−１１−８ｍ）＝１．３６７×１０−３７Ｊ  です。
・３０００Ｋｍから４０００Ｋｍでは、電子のラブの平均軌道は、５．７７８×１０−１１ｍですから、電子のラブが１回自転してできる磁気の光子のエネルギーは、
１０−５５Ｊｍ÷（５．７７８×１０−１１−８ｍ）＝１．７３×１０−３７Ｊ  です。
・４０００Ｋｍから５０００Ｋｍでは、電子のラブの平均軌道は、５．４４９×１０−１１ｍですから、電子のラブが１回自転してできる磁気の光子のエネルギーは、
１０−５５Ｊｍ÷（５．４４９×１０−１１−８ｍ）＝１．８３５×１０−３７Ｊ  です。
・５０００Ｋｍから６０００Ｋｍでは、電子のラブの平均軌道は、４．９３７×１０−１１ｍですから、電子のラブが１回自転してできる磁気の光子のエネルギーは、
１０−５５Ｊｍ÷（４．９３７×１０−１１−８ｍ）＝２．０２５×１０−３７Ｊ  です。
・６０００Ｋｍから６５００Ｋｍでは、電子のラブの平均軌道は、４．５１３×１０−１１ｍですから、電子のラブが１回自転してできる磁気の光子のエネルギーは、
１０−５５Ｊｍ÷（４．５１３×１０−１１−８ｍ）＝２．２１６×１０−３７Ｊ  です。
○地表において、１原子が作る引力となる磁気の光子のエネルギーはいくらか。
１Ｋｇでできる引力（＝磁気の光子のエネルギー）は、
６．６７２×１０−１１Ｎ・ｍ２／Ｋｇ２＝（６．６７２×１０−１１）１／２Ｎ・ｍ／Ｋｇ＝（６６．７２×１０−１１）１／２Ｎ・ｍ／Ｋｇ
８．１６８２３×１０−６Ｎ・ｍ／Ｋｇ＝８．１６８２３×１０−６Ｊ／Ｋｇ
１Ｋｇでできる引力となる磁気の光子のエネルギーは８．１６８２３×１０−６Ｊです。
１原子は１．６６０６×１０−２７Ｋｇですから、１Ｋｇは、
１÷（１．６６０６×１０−２７Ｋｇ）＝６．０２２×１０２６個の原子です。
１原子が作る磁気の光子のエネルギーは、
８．１６８２３×１０−６Ｊ÷（６．０２２×１０２６個）＝１．３５６４×１０−３２Ｊです。
○１．３５６４×１０−３２Ｊは電子のラブが何回自転してできるエネルギーか。
地表の電子のラブの自転を、３．６５７×１０−９−８ｍとしますと、電子のラブが１自転でできる磁気の光子のエネルギーは、２．７３４×１０−３９Ｊです。
１．３５６４×１０−３２Ｊ÷（２．７３４×１０−３９Ｊ）＝４．９６×１０６回自転してできるエネルギーです。
それで、引力は電子のラブが４．９６×１０６回自転してできるエネルギーと考える。
○地球全体でできる磁気の光子のエネルギーはいくらか。
地球の原子数は、３．６×１０５１個です。
地球の引力となる磁気の光子のエネルギー＝１電子のラブでできる引力となる磁気の光子のエネルギー×地球の原子数＝１．３５６４×１０−３２Ｊ×３．６×１０５１個＝４．８８×１０１９Ｊです。
○地球の深さにおいて、原子の数はいくらか。
・０から１０００Ｋｍの体積には、いくつの原子があるか。
４π÷３×（９．５１×１０１６個）３−４π÷３×（８．９６３×１０１６）３＝４π÷３××１０４８個×（９．５１３−８．９６３３）＝５．８６３×１０５０個    ５．８６３×１０５０個の原子がある。
・１０００Ｋｍから２０００Ｋｍの体積には、いくつの原子があるか。
４π÷３×（８．９６×１０１６個）３−４π÷３×（８．９６×１０１６−１．０１×１０１６）３＝４π÷３××１０４８個×（８．９６３−７．９５３）＝９．０７９×１０５０個    ９．０７９×１０５０個の原子がある。
・２０００Ｋｍから３０００Ｋｍの体積には、いくつの原子があるか。
４π÷３×（７．９５×１０１６個）３−４π÷３×（７．９５×１０１６−１．３６７×１０１６）３＝４π÷３××１０４８個×（７．９５３−６．５８３３）＝９．０９３×１０５０個    ９．０９３×１０５０個の原子がある。
・３０００Ｋｍから４０００Ｋｍの体積には、いくつの原子があるか。
４π÷３×（６．５８３×１０１６個）３−４π÷３×（６．５８３×１０１６−１．６１８×１０１６）３＝４π÷３×１０４８個×（６．５８３３−４．９６５３）＝６．８２×１０５０個    ６．８２×１０５０個の原子がある。
・４０００Ｋｍから５０００Ｋｍの体積には、いくつの原子があるか。
４π÷３×（４．９６５×１０１６個）３−４π÷３×（４．９６５×１０１６−１．８３５×１０１６）３＝４π÷３××１０４８個×（４．９６５３−３．１３３）＝３．８４１×１０５０個    ３．８４１×１０５０個の原子がある。
・５０００Ｋｍから６０００Ｋｍの体積には、いくつの原子があるか。
４π÷３×（３．１３×１０１６個）３−４π÷３×（３．１３×１０１６−２．０２４×１０１６）３＝４π÷３××１０４８個×（３．１３３−１．１０６３）＝１．２２７×１０５０個    １．２２７×１０５０個の原子がある。
・６０００Ｋｍから６５００Ｋｍの体積には、いくつの原子があるか。
４π÷３×（１．１０６×１０１６個）３＝５．６６×１０４８個    ５．６６×１０４８個の原子がある。
・原子の合計は、
５．８６３×１０５０個＋９．０７９×１０５０個＋９．０９３×１０５０個＋６．８２×１０５０個＋３．８４１×１０５０個＋１．２２７×１０５０個＋５．６６×１０４８個＝３５．９７９×１０５０個≒３．６×１０５１個です。
○地球の深さにおいて、できる引力となる磁気の光子の総エネルギーはいくらか。
地球の深さにおいて、できる引力となる磁気の光子の総エネルギーは、原子の数×１個の電子のラブが作る引力と成る磁気の光子のエネルギー、です。
・０から１０００Ｋｍまでに、できる引力となる磁気の光子の総エネルギーは、
５．８６３×１０５０個×４．９６×１０６回×５．４６７×１０−３８Ｊ＝１．５９×１０２０Ｊです。
・１０００Ｋｍから２０００Ｋｍまでに、できる引力となる磁気の光子の総エネルギーは、
９．０７９×１０５０個×４．９６×１０６回×１．０１５×１０−３７Ｊ＝４．５７×１０２０Ｊです。
・２０００Ｋｍから３０００Ｋｍまでに、できる引力となる磁気の光子の総エネルギーは、
９．０９３×１０５０個×４．９６×１０６回×１．３６７×１０−３７Ｊ＝６．１６５×１０２０Ｊです。
・３０００Ｋｍから４０００Ｋｍまでに、できる引力となる磁気の光子の総エネルギーは、
６．８２×１０５０個×４．９６×１０６回×１．７３×１０−３７Ｊ＝５．８５２×１０２０Ｊです。
・４０００Ｋｍから５０００Ｋｍまでに、できる引力となる磁気の光子の総エネルギーは、
２．８４１×１０５０個×４．９６×１０６回×１．８３５×１０−３７Ｊ＝３．４９６×１０２０Ｊです。
・５０００Ｋｍから６０００Ｋｍまでに、できる引力となる磁気の光子の総エネルギーは、
１．２２７×１０５０個×４．９６×１０６回×２．０２５×１０−３７Ｊ＝１．２３２×１０２０Ｊです。
・６０００Ｋｍから６５００Ｋｍまでに、できる引力となる磁気の光子の総エネルギーは、
５．６６×１０４８個×４．９６×１０６回×２．２１６×１０−３７Ｊ＝６．２２１×１０１８Ｊです。
・引力となる磁気の光子の総エネルギーの合計は、
４．５７×１０２０Ｊ＋６．１６５×１０２０Ｊ＋５．８５２×１０２０Ｊ＋３．４９６×１０２０Ｊ＋１．２３２×１０２０Ｊ＋６．２２１×１０１８Ｊ＝２．１３７７×１０２１Ｊです。
２．１３７７×１０２１Ｊは、地球の深さの場において、でできる磁気の光子の総合エネルギーです。
・地表に近づくにつれて、光子は拡大します。エネルギーは減少します。
どれ位減少するかについては、拡大した分減少します。
○地球の深さにおいて、できた磁気の光子は、地表に来る時、軌道とエネルギーはどれだけに成るか。
・０から１０００Ｋｍの場合。
電子のラブの軌道は、３．６５７×１０−９ｍから、１．８２９×１０−１０ｍまで縮小したので、
３．６５７×１０−９ｍ÷（１．８２９×１０−１０ｍ）＝２０倍に拡大する。
それで、エネルギーは、地表になると２０分の１になりますから、
１．５９×１０２０Ｊ÷２０＝７．９５×１０１８Ｊに成ります。
・１０００Ｋｍから２０００Ｋｍの場合。
電子のラブの軌道は、３．６５７×１０−９ｍから、９．８５６×１０−１１ｍまで縮小したので、
３．６５７×１０−９ｍ÷（９．８５６×１０−１１ｍ）＝３７．１倍に拡大する。
それで、エネルギーは、地表になると３７．１分の１になりますから、
４．７５×１０２０Ｊ÷３７．１＝１．２３２×１０１９Ｊに成ります。
・２０００Ｋｍから３０００Ｋｍの場合。
電子のラブの軌道は、３．６５７×１０−９ｍから、７．３１４×１０−１１ｍまで縮小したので、
３．６５７×１０−９ｍ÷（７．３１４×１０−１１ｍ）＝５０倍に拡大する。
それで、エネルギーは、地表になると５０分の１になりますから、
６．１６５×１０２０Ｊ÷５０＝１．２３３×１０１９Ｊに成ります。
・３０００Ｋｍから４０００Ｋｍの場合。
電子のラブの軌道は、３．６５７×１０−９ｍから、５．７７８×１０−１１ｍまで縮小したので、
３．６５７×１０−９ｍ÷（５．７７８×１０−１１ｍ）＝６３．２９倍に拡大する。
それで、エネルギーは、地表になると６３．２９分の１になりますから、
５．８５２×１０２０Ｊ÷６３．２９＝９．２４６×１０１８Ｊに成ります。
・４０００Ｋｍから５０００Ｋｍの場合。
電子のラブの軌道は、３．６５７×１０−９ｍから、５．４４９×１０−１１ｍまで縮小したので、
３．６５７×１０−９ｍ÷（５．４４９×１０−１１ｍ）＝６７．１１倍に拡大する。
それで、エネルギーは、地表になると６７．１１分の１になりますから、
３．４９６×１０２０Ｊ÷６７．１１＝５．２１×１０１８Ｊに成ります。
・５０００Ｋｍから６０００Ｋｍの場合。
電子のラブの軌道は、３．６５７×１０−９ｍから、４．９３７×１０−１１ｍまで縮小したので、
３．６５７×１０−９ｍ÷（４．９３７×１０−１１ｍ）＝７４．０７倍に拡大する。
それで、エネルギーは、地表になると７４．０７分の１になりますから、
１．２３２×１０２０Ｊ÷７４．０７＝１．６６３×１０１８Ｊに成ります。
・６０００Ｋｍから６５００Ｋｍの場合。
電子のラブの軌道は、３．６５７×１０−９ｍから、４．５１３×１０−１１ｍまで縮小したので、
３．６５７×１０−９ｍ÷（４．５１３×１０−１１ｍ）＝８１．０３倍に拡大する。
それで、エネルギーは、地表になると８１．０３分の１になりますから、
６．２２１×１０１８Ｊ÷８１．０３＝７．６７７×１０１６Ｊに成ります。
・地表になると、磁気の光子の総エネルギーの合計は、
７．９５×１０１８Ｊ＋１．２３２×１０１９Ｊ＋１．２３３×１０１９Ｊ＋９．２４６×１０１８Ｊ＋５．２１×１０１８Ｊ＋１．６６３×１０１８Ｊ＋７．６７７×１０１６Ｊ＝４．８７８×１０１９Ｊです。
これは、１電子のラブでできる磁気の光子×地球の原子の数＝４．８８×１０１９Ｊと同じ値です。
よって、地下でできた光子は、地表に近づくに従って、軌道を拡大する。
地表に出た時、光子は、地表の電子のラブでできた光子の軌道と同じ大きさに成る事が証明できた。
【請求項１０】
地表からの深さと引力の関係はどのようであるか。
○地表からの深さにおける、引力になる磁気の光子のエネルギーと万有引力定数はいくらか。
・地表の場合。
地表の電子のラブの軌道は、３．６５７×１０−９ｍですから、磁気の光子のエネルギーは、
１０−５５Ｊｍ÷（３．６５７×１０−９−８ｍ）＝２．７３４×１０−３９Ｊです。
引力になるエネルギーは、２．７３４×１０−３９Ｊ×４．９６×１０６＝１．３５６×１０−３２Ｊです。
地表の引力は、１．３５６×１０−３２Ｊ×１Ｋｇの原子数です。
１Ｋｇの原子数は、１÷（１．６６０６×１０−２７Ｋｇ）＝６．０２１９×１０２６個です。
１Ｋｇでできる引力となる磁気の光子のエネルギーは、＝磁気の光子のエネルギー×４．９６×１０６×１Ｋｇの原子数＝２．７３４×１０−３９Ｊ×４．９６×１０６×６．０２１９×１０２６個＝８．１６５７×１０−６Ｊです。
地表の万有引力定数は、（磁気の光子のエネルギー×４．９６×１０６×１Ｋｇの原子数）２＝（２．７３４×１０−３９Ｊ×４．９６×１０６×６．０２１９×１０２６個）２＝６．６６８×１０−１１Ｊ    ６．６６８×１０−１１です。
・０から１０００Ｋｍの場合。
磁気の光子のエネルギーは、５．４６７×１０−３８Ｊですから、
引力になる磁気の光子のエネルギーは、５．４６７×１０−３８Ｊ×４．９６×１０６回＝２．７１２×１０−３１Ｊです。
この場の万有引力定数は、
（５．４６７×１０−３８Ｊ×４．９６×１０６回×６．０２１９×１０２６個）２＝２．６６６×１０−８Ｊ    ２．６６６×１０−８です。
これは、地表の万有引力定数の、２．６６６×１０−８÷（６．６７×１０−１１）＝４００倍です。
・１０００Ｋｍから２０００Ｋｍの場合。
磁気の光子のエネルギーは、１．０１５×１０−３７Ｊですから、引力になる磁気の光子のエネルギーは、１．０１５×１０−３７Ｊ×４．９６×１０６回＝５．０３４×１０−３１Ｊです。
この場の万有引力定数は、
（１．０１５×１０−３７Ｊ×４．９６×１０６回×６．０２１９×１０２６個）２＝９．１９１×１０−８Ｊ    ９．１９１×１０−８です。
これは、地表の万有引力定数の、９．１９１×１０−８÷（６．６７×１０−１１）＝１３７８倍です。
・２０００Ｋｍから３０００Ｋｍの場合。
磁気の光子のエネルギーは、１．３６７×１０−３７Ｊですから、引力になる磁気の光子のエネルギーは、１．３６７×１０−３７Ｊ×４．９６×１０６回＝６．７８×１０−３１Ｊです。
この場の万有引力定数は、
（１．３６７×１０−３７Ｊ×４．９６×１０６回×６．０２１９×１０２６個）２＝１．６７１×１０−７Ｊ    １．６７１×１０−７です。
これは、地表の万有引力定数の、１．６７１×１０−７÷（６．６７×１０−１１）＝２５０５倍です。
・３０００Ｋｍから４０００Ｋｍの場合。
磁気の光子のエネルギーは、１．７３×１０−３７Ｊですから、引力になる磁気の光子のエネルギーは、１．７３×１０−３７Ｊ×４．９６×１０６回＝８．５８１×１０−３１Ｊです。
この場の万有引力定数は、
（１．７３×１０−３７Ｊ×４．９６×１０６回×６．０２１９×１０２６個）２＝２．６７×１０−７Ｊ    ２．６７×１０−７です。
これは、地表の万有引力定数の、２．６７×１０−７÷（６．６７×１０−１１）＝４００３倍です。
・４０００Ｋｍから５０００Ｋｍの場合。
磁気の光子のエネルギーは、１．８３５×１０−３７Ｊですから、引力になる磁気の光子のエネルギーは、１．８３５×１０−３７Ｊ×４．９６×１０６回＝９．１×１０−３１Ｊです。
この場の万有引力定数は、
（１．８３５×１０−３７Ｊ×４．９６×１０６回×６．０２１９×１０２６個）２＝３×１０−７Ｊ    ３×１０−７です。
これは、地表の万有引力定数の、３×１０−７÷（６．６７×１０−１１）＝４４９８倍です。
・５０００Ｋｍから６０００Ｋｍの場合。
磁気の光子のエネルギーは、２．０２５×１０−３７Ｊですから、引力になる磁気の光子のエネルギーは、２．０２５×１０−３７Ｊ×４．９６×１０６回＝１．００４×１０−３０Ｊです。
この場の万有引力定数は、
（２．０２５×１０−３７Ｊ×４．９６×１０６回×６．０２１９×１０２６個）２＝３．６５８×１０−７Ｊ    ３．６５８×１０−７です。
これは、地表の万有引力定数の、３．６５８×１０−７÷（６．６７×１０−１１）＝５４８４倍です。
・６０００Ｋｍから６５００Ｋｍの場合。
磁気の光子のエネルギーは、２．２１６×１０−３７Ｊですから、引力になる磁気の光子のエネルギーは、２．２１６×１０−３７Ｊ×４．９６×１０６回＝１．１×１０−３１Ｊです。
この場の万有引力定数は、
（２．２１６×１０−３７Ｊ×４．９６×１０６回×６．０２１９×１０２６個）２＝４．３８１×１０−８Ｊ    ４．３８１×１０−７です。
これは、地表の万有引力定数の、４．３８１×１０−７÷（６．６７×１０−１１）＝６５６８倍です。
・引力の比は、（磁気の光子のエネルギー）２です。
・引力の比は、（１÷磁気の光子の軌道）２です。
・引力の比は、地表の引力を１とすると、（地表に出た時、拡大する倍数）２です。
【請求項１１】
地球の円周にどれだけの分子が並んでいるのか。
・地球の地表の円周にはどれだけの分子が並んでいるか。
地球の半径を６５００Ｋｍとすると、円周は、２π×６．５×１０６ｍです。
地表の分子の軌道（大きさ）は、１．０７×１０−８ｍです。
円周には何個の分子が並ぶか。
２π×６．５×１０６ｍ÷（１．０７×１０−８ｍ）＝３．８１５×１０１５個    ３．８１５×１０１５個です。
・地下１０６ｍの円周にはどれだけの分子が並んでいるか。
地下１０６ｍの円周は、２π×５．５×１０６ｍです。
地下１０６ｍの分子の軌道（大きさ）は、５．６５×１０−１０ｍです。
円周には何個の分子が並ぶか。
２π×５．５×１０６ｍ÷（５．６５×１０−１０ｍ）＝６．１１３×１０１６個    ３．５２７×１０１５個です。
・地下２×１０６ｍの円周にはどれだけの分子が並んでいるか。
地下２×１０６ｍの円周は、２π×４．５×１０６ｍです。
地下２×１０６ｍの分子の軌道（大きさ）は、３．９５９×１０−１０ｍです。
円周には何個の分子が並ぶか。
２π×４．５×１０６ｍ÷（３．９５９×１０−１０ｍ）＝７．１３８×１０１６個    ７．１３８×１０１６個です。
・地下３×１０６ｍの円周にはどれだけの分子が並んでいるか。
地下３×１０６ｍの円周は、２π×３．５×１０６ｍです。
地下３×１０６ｍの分子の軌道（大きさ）は、２．８８９×１０−１０ｍです。
円周には何個の分子が並ぶか。
２π×３．５×１０６ｍ÷（２．８８９×１０−１０ｍ）＝７．６０８×１０１６個    ７．６０８×１０１６個です。
・地下４×１０６ｍの円周にはどれだけの分子が並んでいるか。
地下４×１０６ｍの円周は、２π×２．５×１０６ｍです。
地下４×１０６ｍの分子の軌道（大きさ）は、２．１４×１０−１０ｍです。
円周には何個の分子が並ぶか。
２π×２．５×１０６ｍ÷（２．１４×１０−１０ｍ）＝７．３３６×１０１６個    ７．３３６×１０１６個です。
・地下５×１０６ｍの円周にはどれだけの分子が並んでいるか。
地下５×１０６ｍの円周は、２π×１．５×１０６ｍです。
地下５×１０６ｍの分子の軌道（大きさ）は、１．６０５×１０−１０ｍです。
円周には何個の分子が並ぶか。
２π×１．５×１０６ｍ÷（１．６０５×１０−１０ｍ）＝５．８６９×１０１６個    ５．８６９×１０１６個です。
・地下６×１０６ｍの円周にはどれだけの分子が並んでいるか。
地下６×１０６ｍの円周は、２π×０．５×１０６ｍです。
地下６×１０６ｍの分子の軌道（大きさ）は、１．３１６×１０−１０ｍです。
円周には何個の分子が並ぶか。
２π×０．５×１０６ｍ÷（１．３１６×１０−１０ｍ）＝２．３８６×１０１６個    ２．３８６×１０１６個です。
○円周の長さに対する分子の数の関係はどのようになっているか。
円周の長さに対する分子の数の関係は、分子の数÷円周の長さです。
地表の円周に対する分子数：地下１０６ｍの円周に対する分子数：地下２×１０６ｍの円周に対する分子数：地下３×１０６ｍの円周に対する分子数：地下４×１０６ｍの円周に対する分子数：地下５×１０６ｍの円周に対する分子数：地下６×１０６ｍの円周に対する分子数＝３．８×１０１５個÷（２π×６．５×１０６ｍ）：５．６５×１０１６個÷（２π×５．５×１０６ｍ）：７．１３８×１０１６個÷（２π×４．５×１０６ｍ）：７．０６８×１０１６個÷（２π×３．５×１０６ｍ）：７．３３６×１０１６個÷（２π×２．５×１０６ｍ）：５．８６９×１０１６個÷（２π×１．５×１０６ｍ）：２．３８６×１０１６個÷（２π×０．５×１０６ｍ）＝１：１７．６：２７．１：３４．５：５０．２：６６．９：８１．６
従って、地球の地下に深くなるほど、電子のラブの軌道は小さくなり、分子の密度は大きくなる。
円周に並ぶ分子の個数＝円周÷分子の軌道
円周＝円周に並ぶ分子の個数×分子の軌道
密度＝円周に並ぶ分子の個数÷円周＝円周に並ぶ分子の個数÷（円周に並ぶ分子の個数×分子の軌道）＝１÷分子の軌道
よって、密度×分子の軌道＝１
密度と分子の軌道は反比例する。
【請求項１２】
太陽の中の温度はどのようになっているか。
太陽の中の熱には２種類の熱がある。
１つは電子のラブの軌道が収縮する事によってできる熱です。この熱を、“電子のラブが収縮してできた熱”と名づけます。
１つは太陽の中央でできた熱（これも、電子のラブの軌道が収縮する事によってできる熱です。）が、太陽の中を放射する熱です。この熱は“放射熱”です。
【請求項１３】
太陽の中心核の熱はどのようにできたか。
太陽の中心核の熱は“電子のラブが収縮してできた熱”です。
【請求項１４】
太陽の中の温度はどのようであるか。
太陽の中心核の温度は１．５×１０７Ｋですから、この場の電子のラブの軌道は、
１０−１０ｍ÷（１．５×１０７）１／２＝１０−１０ｍ÷（１５×１０６）１／２＝１０−１０ｍ÷（３．８７３×１０３）＝２．５８２×１０−１４ｍです。
光球層の最下層は４００Ｋｍで、温度は６４００Ｋです。
光球層の最上層は温度は４３００Ｋです。
これは、“電子のラブが収縮してできた熱”ではありません。
太陽の放射層の熱や、対流層の熱や光球層の熱は、太陽の中心でできた熱が放射した熱です。
○太陽の中心核でできた熱はどのように放射されるか。
放射層はまっすぐ放射されるので、この間は温度と距離は比例するから、
ｙ＝ａｘ＋ｂの式で示される。
ｙ＝温度で、単位は１０６Ｋです。ｘ＝太陽の深さの距離で、単位は１０５Ｋｍです。
核は、深さは６×１０５Ｋｍで、温度は１５×１０６Ｋです。
対流層は、深さは２×１０５Ｋｍで、温度は２×１０６Ｋです。
それで、ａ＝ｙ÷ｘ＝（１５−２）÷（６−２）＝１３÷４＝３．２５
中心核は、深さは６×１０５Ｋｍで、温度は１５×１０６Ｋですから、
１５＝３．２５×６＋ｂ    ｂ＝１５−３．２５×６＝−４．５
温度と太陽の深さの距離の式は、ｙ＝３．２５ｘ−４．５  です。
太陽の中の温度は次のようです。
深さは６×１０５Ｋｍで、温度は１５×１０６Ｋです。
深さは５×１０５Ｋｍで、温度は１１．７５×１０６Ｋです。
深さは４×１０５Ｋｍで、温度は８．５×１０６Ｋです。
深さは３×１０５Ｋｍで、温度は５．２５×１０６Ｋです。
深さは２×１０５Ｋｍで、温度は２×１０６Ｋです。
対流層はまっすぐ放射されないので、上記の式は適応されない。
光球層の最下層は４００Ｋｍで、温度は６４００Ｋです。
光球層の最上層は温度は４３００Ｋです。
それで、
深さは４×１０２Ｋｍで、温度は６．４×１０３Ｋです。
深さは１Ｋｍで、温度は４．３×１０２Ｋです。
それで、
深さは１０３Ｋｍで、温度は１０４Ｋ。
深さは１０４Ｋｍで、温度は１０５Ｋ。
深さは１０５Ｋｍで、温度は１０６Ｋと考えます。
【請求項１５】
太陽の温度はどのようにできるか。１℃は電子のラブが何回公転する事によってできるエネルギーか。熱になる電気の光子のエネルギーは、電子のラブが何回公転してできるエネルギーか。その場の温度と電子のラブの軌道の関係式はどのようであるか。
○１℃は電子のラブが何回公転する事によってできるエネルギーか。その場の温度と電子のラブの軌道の関係式はどのようであるか。
１回転の電気の光子のエネルギー＝１０−３９Ｊｍ÷軌道
ｘ回転で、１℃のエネルギーと成るとする。ｘ＝１℃のエネルギーと成る回転数
１℃のエネルギーと成る回転数×１回転の電気の光子のエネルギー＝１℃のエネルギー
ｘ×１０−３９Ｊｍ÷軌道＝３．７８１２×１０−２１Ｊ
ｘ＝３．７８１２×１０−２１Ｊ÷（１０−３９Ｊｍ÷軌道）＝３．７８１２×１０１８×軌道
（３．７８１２×１０１８÷軌道）回で１℃になる。
○太陽の熱になる電気の光子のエネルギーは、電子のラブが何回公転してできるエネルギーか。図２
Ａ＝熱となる電気の光子を作る、電子のラブの回転数
Ａ×１回転の電気の光子のエネルギー÷（１℃のエネルギー）＝熱エネルギー＝温度℃１／２
Ａ×１０−３９Ｊｍ÷軌道÷（３．７８１２×１０−２１Ｊ÷）＝熱エネルギー＝温度℃１／２
Ａ×２．６４５×１０−１９÷軌道＝温度℃１／２
Ａ＝温度℃１／２÷（２．６４５×１０−１９÷軌道）＝温度℃１／２×３．７８１×１０１８×軌道
Ａはいくらか。
・例えば、太陽の深さが７×１０５Ｋｍと６×１０５Ｋｍの場合。
その場の温度は、１５×１０６Ｋ≒１５×１０６℃です。軌道は２．５８１９×１０−１４ｍです。
Ａ＝（１５×１０６）１／２×３．７８１２×１０１８×２．５８１９×１０−１４＝３．７８１×１０８（回転）
・例えば、太陽の深さが５×１０５Ｋｍの場合。
その場の温度は、１１．７５×１０６Ｋ≒１１．７５×１０６℃です。軌道は２．９１７×１０−１４ｍです。
Ａ＝（１１．７５×１０６）１／２×３．７８１２×１０１８×２．９１７×１０−１４＝３．７８１×１０８（回転）
・例えば、太陽の深さが４×１０５Ｋｍの場合。
その場の温度は、８．５×１０６Ｋ≒８．５×１０６℃です。軌道は３．４３×１０−１４ｍです。
Ａ＝（８．５×１０６）１／２×３．７８１２×１０１８×３．４３×１０−１４＝３．７８１×１０８（回転）
・例えば、太陽の深さが３×１０５Ｋｍの場合。
その場の温度は、５．２５×１０６Ｋ≒５．２５×１０６℃です。軌道は４．３６７×１０−１４ｍです。
Ａ＝（５．２５×１０６）１／２×３．７８１２×１０１８×４．３６７×１０−１４＝３．７８１×１０８（回転）
・例えば、太陽の深さが２×１０５Ｋｍの場合。
その場の温度は、２×１０６Ｋ≒２×１０６℃です。軌道は７．０７×１０−１４ｍです。
Ａ＝（２×１０６）１／２×３．７８１２×１０１８×７．０７×１０−１４＝３．７８１×１０８（回転）
・例えば、太陽の深さが１０５Ｋｍの場合。
その場の温度は、１０６Ｋ≒１０６℃です。軌道は１０−１３ｍです。
Ａ＝（１０６）１／２×３．７８１２×１０１８×１０−１３＝３．７８１×１０８（回転）
・例えば、太陽の深さが１０４Ｋｍの場合。
その場の温度は、１０５Ｋ≒１０５℃です。軌道は３．１６２２７×１０−１３ｍです。
Ａ＝（１０５）１／２×３．７８１２×１０１８×３．１６２２７×１０−１３＝３．７８１×１０８（回転）
・例えば、太陽の深さが１０３Ｋｍの場合。
その場の温度は、１０４Ｋ≒１０４℃です。軌道は１０−１２ｍです。
Ａ＝（１０４）１／２×３．７８１２×１０１８×１０−１２＝３．７８１×１０８（回転）
・例えば、太陽の深さが４×１０２Ｋｍの場合。
その場の温度は、６．４×１０３Ｋ≒６．４×１０３℃です。軌道は１．２５×１０−１２ｍです。
Ａ＝（６．４×１０３）１／２×３．７８１２×１０１８×１．２５×１０−１２＝３．７８１×１０８（回転）
・例えば、太陽の深さが１Ｋｍの場合。
その場の温度は、４．３×１０３Ｋ≒４．３×１０３℃です。軌道は１．５２５×１０−１２ｍです。
Ａ＝（４．３×１０３）１／２×３．７８１２×１０１８×１．５２５×１０−１２＝３．７８１×１０８（回転）
よって、Ａ＝３．７８１×１０８（回転）です。電子のラブが３．７８１×１０８回転してできる電気の光子のエネルギーが熱になる。
Ａの値が全て同じである事から、表に記した太陽の深さにおける温度と電子のラブの軌道は正しい事が証明できた。
○その場の温度と電子のラブの軌道の関係式はどのようであるか。
Ａ＝３．７８１×１０８回転ですから、
１回転の電気の光子のエネルギー×３．７８１×１０８回転＝１電子のラブが作る熱となるエネルギー
１０−３９Ｊｍ÷電子のラブの軌道×３．７８１×１０８回転＝１電子のラブが作る熱となるエネルギー
１電子が作る熱となるエネルギー÷１℃のエネルギー＝その場の温度℃１／２
１電子が作る熱となるエネルギー÷（３．７８１２×１０−２１Ｊ）＝その場の温度℃１／２
１０−３９Ｊｍ÷電子のラブの軌道×３．７８１×１０８回転÷（３．７８１２×１０−２１Ｊ）＝その場の温度℃１／２
１０−１０ｍ÷電子のラブの軌道＝その場の温度１／２
例えば、太陽の深さが７×１０５Ｋｍの場合。
電子のラブの軌道は２．５８２×１０−１４ｍです。
１０−１０ｍ÷電子のラブの軌道＝１０−１０ｍ÷（２．５８２×１０−１４ｍ）＝３．８７３×１０３＝（１５×１０６）１／２＝その場の温度１／２
【請求項１６】
光子が太陽の深い場から、１Ｋｍの場に来るとき、光子の軌道は何倍になり、エネルギーは何分の１になるか。
太陽の中央になるほど、電子のラブの軌道は収縮しています。それで、光子も収縮しています。光子は太陽の外側に進むにつれて、軌道を拡大します。
太陽の表面では、光子の軌道は、表面で電子のラブが作る光子の軌道と同じに成ります。
電子のラブの軌道が縮小した分だけ拡大します。
○太陽の深さ１Ｋｍの場に光子が来たとき、光子の軌道は何倍に拡大し、エネルギーは何分の１に縮小するか。
・深さ７×１０５Ｋｍと６×１０５Ｋｍの場合。
太陽の表面１Ｋｍでは、電子のラブの軌道は、１．５２５×１０−１２ｍです。
深さ７×１０５Ｋｍでは、電子のラブの軌道は、２．５８２×１０−１４ｍです。
電子のラブの軌道は、１．５２５×１０−１２ｍ÷（２．５８２×１０−１４ｍ）＝５９．０７分の１に収縮しています。その光子が、太陽の表面１Ｋｍの場に来たとき、光子の軌道は、５９．０７倍に拡大し、エネルギーは５９．０７分の１になります。
・深さ５×１０５Ｋｍの場合。
太陽の表面１Ｋｍでは、電子のラブの軌道は、１．５２５×１０−１２ｍです。
深さ５×１０５Ｋｍでは、電子のラブの軌道は、２．９１７×１０−１４ｍです。
電子のラブの軌道は、１．５２５×１０−１２ｍ÷（２．９１７×１０−１４ｍ）＝５２．２８分の１に収縮しています。その光子が、太陽の表面１Ｋｍの場に来たとき、光子の軌道は、５２．２８倍に拡大し、エネルギーは５２．２８分の１になります。
・深さ４×１０５Ｋｍの場合。
太陽の表面１Ｋｍでは、電子のラブの軌道は、１．５２５×１０−１２ｍです。
深さ４×１０５Ｋｍでは、電子のラブの軌道は、３．４３×１０−１４ｍです。
電子のラブの軌道は、１．５２５×１０−１２ｍ÷（３．４３×１０−１４ｍ）＝４４．４６分の１に収縮しています。その光子が、太陽の表面１Ｋｍの場に来たとき、光子の軌道は、４４．４６倍に拡大し、エネルギーは４４．４６分の１になります。
・深さ３×１０５Ｋｍの場合。
太陽の表面１Ｋｍでは、電子のラブの軌道は、１．５２５×１０−１２ｍです。
深さ３×１０５Ｋｍでは、電子のラブの軌道は、４．３６７×１０−１４ｍです。
電子のラブの軌道は、１．５２５×１０−１２ｍ÷（４．３６７×１０−１４ｍ）＝３４．９２分の１に収縮しています。その光子が、太陽の表面１Ｋｍの場に来たとき、光子の軌道は、３４．９２倍に拡大し、エネルギーは３４．９２分の１になります。
・深さ２×１０５Ｋｍの場合。
太陽の表面１Ｋｍでは、電子のラブの軌道は、１．５２５×１０−１２ｍです。
深さ２×１０５Ｋｍでは、電子のラブの軌道は、７．０７×１０−１４ｍです。
電子のラブの軌道は、１．５２５×１０−１２ｍ÷（７．０７×１０−１４ｍ）＝２１．５７分の１に収縮しています。その光子が、太陽の表面１Ｋｍの場に来たとき、光子の軌道は、２１．５７倍に拡大し、エネルギーは２１．５７分の１になります。
・深さ１０５Ｋｍの場合。
太陽の表面１Ｋｍでは、電子のラブの軌道は、１．５２５×１０−１２ｍです。
深さ１０５Ｋｍでは、電子のラブの軌道は、１０−１３ｍです。
電子のラブの軌道は、１．５２５×１０−１２ｍ÷１０−１３ｍ＝１５．２５分の１に収縮しています。その光子が、太陽の表面１Ｋｍの場に来たとき、光子の軌道は、１５．２５倍に拡大し、エネルギーは１５．２５分の１になります。
・深さ１０４Ｋｍの場合。
太陽の表面１Ｋｍでは、電子のラブの軌道は、１．５２５×１０−１２ｍです。
深さ１０４Ｋｍでは、電子のラブの軌道は、３．１６２×１０−１３ｍです。
電子のラブの軌道は、１．５２５×１０−１２ｍ÷（３．１６２×１０−１３ｍ）＝４．８２分の１に収縮しています。その光子が、太陽の表面１Ｋｍの場に来たとき、光子の軌道は、４．８２倍に拡大し、エネルギーは４．８２分の１になります。
・深さ１０３Ｋｍの場合。
太陽の表面１Ｋｍでは、電子のラブの軌道は、１．５２５×１０−１２ｍです。
深さ１０３Ｋｍでは、電子のラブの軌道は、１０−１２ｍです。
電子のラブの軌道は、１．５２５×１０−１２ｍ÷１０−１２ｍ＝１．５２５分の１に収縮しています。その光子が、太陽の表面１Ｋｍの場に来たとき、光子の軌道は、１．５２５倍に拡大し、エネルギーは１．５２５分の１になります。
・深さ４×１０２Ｋｍの場合。
太陽の表面１Ｋｍでは、電子のラブの軌道は、１．５２５×１０−１２ｍです。
深さ４×１０２Ｋｍでは、電子のラブの軌道は、１．２５×１０−１２ｍです。
電子のラブの軌道は、１．５２５×１０−１２ｍ÷（１．２５×１０−１２ｍ）＝１．２２分の１に収縮しています。その光子が、太陽の表面１Ｋｍの場に来たとき、光子の軌道は、１．２２倍に拡大し、エネルギーは１．２２分の１になります。
【請求項１７】
太陽から出発する熱エネルギーと、引力エネルギーについて。
光子が、太陽の深さ１Ｋｍに来たとき、１Ｋｍの場の電子のラブが作る光子の軌道になり、エネルギーになっている。
この光子が更に軌道を拡大し、太陽の表面から出発する。
太陽から出発する光子は、大きな軌道に成った光子です。
太陽から出発する光子の軌道を１０ａｍとする。
○太陽から出発する熱エネルギーの場合。
電子のラブが３．７８１×１０８回公転してできる電気の光子のエネルギーが熱のエネルギーに成ります。
このエネルギーは、１０−３９Ｊｍ÷１０ａｍ×３．７８１×１０８回＝３．８７１×１０−３１−ａＪです。
太陽の原子の数は、太陽の質量÷原子の質量、です。
太陽の質量は、１．９８９×１０３０Ｋｇであり、原子の質量は、１．６６０６×１０−２７Ｋｇです。
太陽の原子の数＝１．９８９×１０３０Ｋｇ÷（１．６６０６×１０−２７Ｋｇ）＝１．２×１０５７個です。
それで、太陽全体でできる熱となるエネルギーは、太陽の原子の数×１電子のラブでできる熱になる電気の光子のエネルギー＝１．２×１０５７個×３．８７１×１０−３１−ａＪ＝４．６４５×１０２６−ａＪです。例えば、太陽から出発する場の電子のラブの軌道を１０−１０ｍとすると、太陽から出発する熱になる総エネルギーは、４．６４５×１０２６−ａＪ＝４．６４５×１０２６＋１０Ｊ＝４．６４５×１０３６Ｊです。
これを、温度にすると、４．６４５×１０３６Ｊ÷（１℃のエネルギー）＝４．６４５×１０３６Ｊ÷（３．７８１２×１０−２１Ｊ）＝１．２２８×１０５７Ｊ＝温度℃１／２
温度＝（１．２２８×１０５７Ｊ）２℃＝１．５×１０１１４℃です。
○太陽から出発する引力の場合。
電子のラブが４．９６×１０６回自転してできる磁気の光子のエネルギーが引力のエネルギーに成ります。
このエネルギーは、１０−５５Ｊｍ＋１０ａ−８ｍ×４．９６×１０６回＝４．９６×１０−４１−ａＪです。
太陽全体でできる引力となる総エネルギーは、太陽の原子の数×１電子のラブでできる引力となる磁気の光子のエネルギー＝１．２×１０５７個×４．９６×１０−４１−ａＪ＝５．９５２×１０１６−ａＪです。
例えば、太陽から出発する電気の光子の軌道を１０−１０ｍとすると、
太陽から出発する引力になる総エネルギーは、５．９５２×１０１６−ａＪ＝５．９５２×１０１６＋１０Ｊ＝５．９５２×１０２６Ｊです。
引力はこの２乗です。
（５．９５２×１０２６Ｊ）２＝３．５４３×１０５３Ｊです。
この万有引力定数はいくらか。
１Ｋｇで引力となる磁気の光子のエネルギーは、
１原子のラブで引力になる磁気の光子のエネルギー×６．０２１９×１０２６個＝４．９６×１０−４１−ａＪ×６．０２１９×１０２６個＝２．９８７×１０−１４−ａＪ    ２．９８７×１０−１４−ａです。
それで、万有引力定数は、１Ｋｇで引力となる磁気の光子のエネルギーの２乗ですから、
（２．９８７×１０−１４−ａ）２＝８．９２２×１０−２８−２ａです。
【請求項１８】
太陽の深さにおいて、引力はどのようであるか。その場の万有引力定数はどのようであるか。その場の万有引力定数は地球表面の万有引力定数の何倍か。
・７×１０５Ｋｍと６×１０５Ｋｍの場合。
電子のラブの軌道は２．５８２×１０−１４ｍですから、磁気の光子のエネルギーは、
１０−５５Ｊｍ÷（２．５８２×１０−１４−８ｍ）＝３．８７３×１０−３４Ｊです。
電子のラブが４．９６×１０６回自転してできる磁気の光子のエネルギーが太陽の引力になるとします。
引力に成る磁気の光子のエネルギーは、３．８７３×１０−３４Ｊ×４．９６×１０６回＝１．９２１×１０−２７Ｊです。
万有引力定数＝（この場の１Ｋｇでできる引力と成る磁気の光子のエネルギー）２ですから、
この場の万有引力定数は、
（３．８７３×１０−３４Ｊ×４．９６×１０６回×６．０２１９×１０２６個）２＝１．３３８Ｊ    １．３３８です。
これは、地球の万有引力定数の何倍か。
１．３３８÷（６．６７２×１０−１１）＝２．００５×１０１０倍です。
この倍数は、地表の電子のラブの軌道÷太陽の深さにおける電子のラブの軌道の２乗です。
｛３．６５７×１０−９ｍ÷（２．５８２×１０−１４ｍ）｝２＝（１．４１６×１０５）２＝２．００５×１０１０
・５×１０５Ｋｍの場合。
電子のラブの軌道は２．９１７×１０−１４ｍですから、磁気の光子のエネルギーは、
１０−５５Ｊｍ÷（２．９１７×１０−１４−８ｍ）＝３．４２８×１０−３４Ｊです。
引力に成る磁気の光子のエネルギーは、３．４２８×１０−３４Ｊ×４．９６×１０６回＝１．７×１０−２７Ｊです。
この場の万有引力定数は、
（３．４２８×１０−３４Ｊ×４．９６×１０６回×６．０２１９×１０２６個）２＝１．０４８Ｊ    １．０４８です。
これは、地球の万有引力定数の何倍か。
１．０４８÷（６．６７２×１０−１１）＝１．５７１×１０１０倍です。
この倍数は、地表の電子のラブの軌道÷太陽の深さにおける電子のラブの軌道の２乗です。
｛３．６５７×１０−９ｍ÷（２．９１７×１０−１４ｍ）｝２＝（１．２５４×１０５）２＝１．５７２×１０１０・４×１０５Ｋｍの場合。
電子のラブの軌道は３．４３×１０−１４ｍですから、磁気の光子のエネルギーは、
１０−５５Ｊｍ÷（３．４３×１０−１４−８ｍ）＝２．９１５×１０−３４Ｊです。
引力に成る磁気の光子のエネルギーは、２．９１５×１０−３４Ｊ×４．９６×１０６回＝１．４４６×１０−２７Ｊです。
この場の万有引力定数は、
（２．９１５×１０−３４Ｊ×４．９６×１０６回×６．０２１９×１０２６個）２＝０．７５８Ｊ    ０．７５８です。
これは、地球の万有引力定数の何倍か。
０．７５８÷（６．６７２×１０−１１）＝１．１３６×１０１０倍です。
・３×１０５Ｋｍの場合。
電子のラブの軌道は４．３６７×１０−１４ｍですから、磁気の光子のエネルギーは、
１０−５５Ｊｍ÷（４．３６７×１０−１４−８ｍ）＝２．２９×１０−３４Ｊです。
引力に成る磁気の光子のエネルギーは、２．２９×１０−３４Ｊ×４．９６×１０６回＝１．１３６×１０−２７Ｊです。
この場の万有引力定数は、
（２．２９×１０−３４Ｊ×４．９６×１０６回×６．０２１９×１０２６個）２＝０．４６８Ｊ    ０．４６８です。
これは、地球の万有引力定数の何倍か。
０．４６８÷（６．６７２×１０−１１）＝７×１０９倍です。
・２×１０５Ｋｍの場合。
電子のラブの軌道は７．０７×１０−１４ｍですから、磁気の光子のエネルギーは、
１０−５５Ｊｍ÷（７．０７×１０−１４−８ｍ）＝１．４１４×１０−３４Ｊです。
引力に成る磁気の光子のエネルギーは、１．４１４×１０−３４Ｊ×４．９６×１０６回＝７．０１３×１０−２７Ｊです。
この場の万有引力定数は、
（１．４１４×１０−３４Ｊ×４．９６×１０６回×６．０２１９×１０２６個）２＝０．１７８Ｊ    ０．１７８です。
これは、地球の万有引力定数の何倍か。
０．１７８÷（６．６７２×１０−１１）＝２．６７３×１０９倍です。
・１０５Ｋｍの場合。
電子のラブの軌道は１０−１３ｍですから、磁気の光子のエネルギーは、
１０−５５Ｊｍ÷１０−１３−８ｍ＝１０−３４Ｊです。
引力に成る磁気の光子のエネルギーは、１０−３４Ｊ×４．９６×１０６回＝４．９６×１０−２８Ｊです。
この場の万有引力定数は、
（１０−３４Ｊ×４．９６×１０６回×６．０２１９×１０２６個）２＝０．０８９２Ｊ    ０．０８９２です。
これは、地球の万有引力定数の何倍か。
０．０８９２÷（６．６７２×１０−１１）＝１．３３７×１０９倍です。
・１０４Ｋｍの場合。
電子のラブの軌道は３．１６２×１０−１３ｍですから、磁気の光子のエネルギーは、
１０−５５Ｊｍ÷（３．１６２×１０−１３−８ｍ）＝３．１６２×１０−３５Ｊです。
引力に成る磁気の光子のエネルギーは、３．１６２×１０−３５Ｊ×４．９６×１０６回＝１．５６８×１０−２８Ｊです。
この場の万有引力定数は、
（３．１６２×１０−３４Ｊ×４．９６×１０６回×６．０２１９×１０２６個）２＝８．９２×１０−３Ｊ    ８．９２です。
これは、地球の万有引力定数の何倍か。
８．９２×１０−３÷（６．６７２×１０−１１）＝１．３３７×１０８倍です。
・１０３Ｋｍの場合。
電子のラブの軌道は１０−１２ｍですから、磁気の光子のエネルギーは、
１０−５５Ｊｍ÷１０−１２−８ｍ＝１０−３５Ｊです。
引力に成る磁気の光子のエネルギーは、１０−３５Ｊ×４．９６×１０６回＝４．９６×１０−２９Ｊです。
この場の万有引力定数は、
（１０−３５Ｊ×４．９６×１０６回×６．０２１９×１０２６個）２＝８．９２２×１０−４Ｊ    ８．９２２×１０−４です。
これは、地球の万有引力定数の何倍か。
８．９２２×１０−４÷（６．６７２×１０−１１）＝１．３３７×１０７倍です。
・４×１０２Ｋｍの場合。
電子のラブの軌道は１．２５×１０−１２ｍですから、磁気の光子のエネルギーは、
１０−５５Ｊｍ÷（１．２５×１０−１２−８ｍ）＝８×１０−３６Ｊです。
引力に成る磁気の光子のエネルギーは、８×１０−３６Ｊ×４．９６×１０６回＝３．９６８×１０−２９Ｊです。
この場の万有引力定数は、
（８×１０−３６Ｊ×４．９６×１０６回×６．０２１９×１０２６個）２＝５．７０７×１０−４Ｊ    ５．７０７×１０−４です。
これは、地球の万有引力定数の何倍か。
５．７０７×１０−４÷（６．６７２×１０−１１）＝８．５５４×１０６倍です。
・１Ｋｍの場合。
電子のラブの軌道は１．５２５×１０−１２ｍですから、磁気の光子のエネルギーは、
１０−５５Ｊｍ÷（１．５２５×１０−１２−８ｍ）＝６．５５７×１０−３６Ｊです。
引力に成る磁気の光子のエネルギーは、６．５５７×１０−３６Ｊ×４．９６×１０６回＝３．２５２×１０−２９Ｊです。
この場の万有引力定数は、
（６．５５７×１０−３６Ｊ×４．９６×１０６回×６．０２１９×１０２６個）２＝３．８３４×１０−４Ｊ    ３．８３４×１０−４です。
これは、地球の万有引力定数の何倍か。
３．８３４×１０−４÷（６．６７２×１０−１１）＝５．７４６×１０６倍です。
太陽の中心に近づくほど、磁気の光子のエネルギーは大きくなり、引力が大きくなる。
太陽の中心に近づくほど、１電子のラブでできる引力と成る磁気の光子のエネルギーが大きくなる。
太陽の中心に近づくほど、その場の万有引力定数は大きくなる。
地表の万有引力と、太陽の深さにおける万有引力の比は、電子のラブの軌道の比の２乗倍です。
【請求項１９】
太陽の万有引力定数はいくらか。太陽の重力はいくらか。
○太陽の万有引力定数はいくらか。
▲１▼太陽で、１電子でできる引力と成る磁気の光子のエネルギーは、３．２５２×１０−２９Ｊです。
地球で、１電子でできる引力と成る磁気の光子のエネルギーは、１．３５６×１０−３２Ｊです。
太陽の引力と成る磁気の光子のエネルギーは、地球の引力と成る磁気の光子のエネルギーの、
３．２５２×１０−２９Ｊ÷（１．３５６×１０−３２Ｊ）＝２．３９８×１０３倍です。
引力はこの２乗ですから、
（２．３９８×１０３倍）２＝５．７５×１０６倍です。
それで、太陽の引力定数は、
６．６７２×１０−１１×５．７５×１０６＝３．８３６×１０−４
太陽の引力定数は３．８３６×１０−４Ｎｍ２／Ｋｇ２です。
又次のようにも考えられる。
▲２▼太陽の万有引力は、
（１電子のラブでできる引力と成るエネルギー×６．０２１９×１０２６個）２＝（１０−５５Ｊｍ÷１０ａ−８ｍ×４．９６×１０６×６．０２１９×１０２６個）２＝（２．９８７×１０−１４−ａ）２＝８．９２２×１０−２８−２ａです。
▲３▼ａはいくらか。
３．８３６×１０−４＝８．９２２×１０−２８−２ａですから、−４＝−２８−２ａ    ａ＝−１２です。
よって、太陽を出発する光子の軌道は１０−１２ｍです。
○太陽の重力はいくらか。
太陽の質量＝１．９８９×１０３０Ｋｇ    太陽の半径＝６．９５５×１０８ｍ
太陽の重力＝１×太陽の万有引力×太陽の質量÷太陽の半径２＝３．８３６×１０−４×１．９８９×１０３０Ｋｇ÷（６．９５５×１０８ｍ）２＝１．５７７×１０９です。
太陽の重力は１．５７５×１０９です
【請求項２０】
太陽の中心核で、中性子ができるのはどうしてか。
中性子とは、電子のラブと陽子のラブが結合し、結合した状態で、一緒に自転し、公転することです。
どうして、電子のラブと陽子のラブが結合することができるのか。
太陽の中心核で中性子ができるのは、電子のラブの軌道が陽子のラブに近づき、引力が大きくなるためです。
この事を次の３点から解明する。
▲１▼引力を電子のラブの公転軌道の大きさにより計算する。
▲２▼引力を磁気の光子のエネルギーにより計算する。
▲３▼引力を電子のラブと陽子のラブの間の距離から計算する。
▲１▼引力を電子のラブの公転軌道の大きさにより計算する。
太陽の中心核の電子のラブの軌道は、２．５８×１０−１４ｍです。地表の電子のラブの軌道は、１０−１０ｍとします。
中心核の電子のラブの公転軌道は、地表の電子のラブの公転軌道の、
２．５８×１０−１４ｍ÷１０−１０ｍ＝２．５８×１０−４倍です。
それで、引力は、
１÷（２．５８×１０−４）２＝１÷（６．６５６×１０−８）＝１．５×１０７倍です。
▲２▼引力を磁気の光子のエネルギーにより計算する。
磁気の光子の１個の軌道エネルギーは、１．２５×１０−１８ｍ×８×１０−３８Ｊ＝１０−５５Ｊｍです。
地上における、電子のラブの軌道は１０−１０ｍで、磁気の光子の軌道は１０−１８ｍで、磁気の光子１個のエネルギーは、１０−５５Ｊｍ÷１０−１８ｍ＝１０−３７Ｊです。
太陽の中心核における、電子のラブの軌道は２．５８×１０−１４ｍです
磁気の光子の軌道は、２．５８×１０−１４−８ｍ＝２．５８×１０−２２ｍです。
磁気の光子のエネルギーは、
１０−５５Ｊｍ÷（２．５８×１０−２２ｍ）＝３．８７６×１０−３４Ｊです。
太陽の磁気の光子のエネルギーは、地球の磁気の光子のエネルギーの、
３．８７６×１０−３４Ｊ÷１０−３７Ｊ＝３．８７６×１０３倍です。
引力は、この２乗ですから、（３．８７６×１０３倍）２＝１．５×１０７倍です。
▲３▼引力を電子のラブと陽子のラブの間の距離から計算する。
地上では、電子のラブと陽子のラブの距離は、約１０−１０ｍ÷２＝５×１０−１１ｍです。
それで、電子のラブと陽子のラブの間に働く力は、距離の２乗に反比例するから、力は、力＝電子のラブのエネルギー×陽子のラブのエネルギー÷距離２＝８×１０−１４Ｊ×１．５×１０−１０Ｊ÷（５×１０−１１ｍ）２＝４．８×１０−３です。
太陽の中心核では、電子のラブと陽子のラブの距離は、約２．５８×１０−１４ｍ÷２＝１．２９×１０−１４ｍです。
それで、電子のラブと陽子のラブの間に働く力は、距離の２乗に反比例するから、力は、力＝電子のラブのエネルギー×陽子のラブのエネルギー÷距離２＝８×１０−１４Ｊ×１．５×１０−１０Ｊ÷（１．２９×１０−１４ｍ）２＝７．２×１０４です。
それで、太陽の中心核の電子のラブの引力は、地上の電子のラブの引力の何倍か。
７．２×１０４÷（４．８×１０−３）＝１．５×１０７      １．５×１０７倍です。
【請求項２１】
星ができる条件は何か。
星ができる条件は、中性子ができる軌道が存在する事です。電子のラブの公転軌道が２．５８×１０−１４ｍになる場が存在することです。
【請求項２２】
星の中で中性子はどのようになっているか。
現代の通説では、星の中で、鉄までの元素ができ、それより重い元素は星が爆発した時、一瞬の内にできる、と考えられています。
この点で、問題になるのは、はたして、星の中で元素はできるのでしょうか、ということです。
中性子ができる軌道（＝通説では核融合反応がおきる軌道）より星の中央に近い場では、陽子や電子は単独では存在しません。
全ての電子のラブの軌道は１０−１４ｍより小さくなり、陽子のラブと結合し、中性子として存在します。
中性子ができる軌道より星の中央に近い場では、中性子より存在しません。
それで、星の中で元素はできません。
星の中央に存在するのは、中性子の固まりだけです。
中性子ができる電子のラブの軌道（約１０−１４ｍ）より小さな電子のラブの軌道の場では、中性子だけより存在しません。
そして、星の中央に進むにつれて、密度が大きくなるので、中性子はよりたくさん集まり、球体となります。
▲１▼これを、“中性子の球体”と名づけます。
▲２▼“中性子の球体”は、星の中央になるに従って、高密度に成り、中性子の数を多くします。
▲３▼“中性子の球体”は、元素の基です。
▲４▼“中性子の球体”は、星が爆発した時、元素になります。
初め、中性子２個の球体に成ります。それから中央に進むに連れて、中性子４個の球体に成ります。それから、中性子６個の球体に成ります。それから、中性子８個の球体に成ります。・・・・中性子１００個の球体になります。・・・・中性子２００個の球体に成ります。
中性子が集まり球体に成るのですから、鉄はできません。
元素は存在できません。
鉄という最も硬い元素が存在するようになるのは、星が爆発した後です。
元素が存在するようになるのは、星が爆発した後です。
ヘリュウムができるのも、星が爆発した後です。
【請求項２３】
“中性子の球体”の中性子の数と電子のラブの公転軌道について。
電子のラブの軌道が約１０−１４ｍのとき、電子のラブと陽子のラブは一緒に成り、中性子に成ります。
中性子が１０個集まり、中性子１０個の球体となる場の電子のラブの公転軌道はいくらか。
電子のラブの軌道が１／１０に成ると、エネルギーは１０倍に成ります。
その場では、中性子が１０個球体と成って存在します。
即ち、電子のラブの軌道が１０−１４ｍの場では、中性子ができます。
電子のラブの軌道が１０−１５ｍの場では、中性子は１０個の球体になって存在する。
電子のラブの軌道が１０−１６ｍの場では、中性子は１００個の球体になって存在する。
電子のラブの軌道が５×１０−１７ｍの場では、中性子は２００個の球体になって存在する。
電子のラブの軌道が８×１０−１５ｍの場では、“中性子２個の球体”になって存在する。
電子のラブの軌道が６×１０−１５ｍの場では、“中性子４個の球体”になって存在する。
電子のラブの軌道が４×１０−１５ｍの場では、“中性子６個の球体”になって存在する。
電子のラブの軌道が２×１０−１５ｍの場では、“中性子８個の球体”になって存在する。
これは、軌道が１０−１４ｍのように小さくなると、軌道が１／１０になると、密度は１０倍になるからです。
軌道が小さくなると、軌道の大きさと密度は反比例します。
【請求項２４】
軌道が小さくなると、電子のラブの軌道の大きさと密度は反比例する事はどうして理解できるか。特性Ｘ線から考察する。
電子のラブの密度は、Ｎ殻における電子のラブの軌道と、その軌道に存在する電子のラブの数です。
▲１▼電子のラブの大きさは、最も小さい特性Ｘ線から推測できる。
▲２▼Ｎ殻に存在する電子のラブの数は、原子番号−Ｋ殻の電子のラブの数−Ｌ殻の電子のラブの数−Ｍ殻の電子のラブの数  です。
それは、Ｎ殻の電子のラブの軌道の中に、原子番号−Ｋ殻の電子のラブの数−Ｌ殻の電子のラブの数−Ｍ殻の電子のラブの数＝原子番号−２−１６−１６  個の電子のラブが存在する事から理解できます。
▲１▼電子のラブの大きさは、最も小さい特性Ｘ線から推測できる。
この理由は、Ｋ系特性Ｘ線のＫ吸収端は、Ｌ殻の電子のラブがＫ殻に移動する時放出する特性Ｘ線のうちで、最も波長の小さなＸ線です。Ｋ吸収端のＸ線は、Ｌ殻の電子のラブの公転軌道に最も近くを回転しているＸ線ですから、このＸ線の軌道（波長÷２）を、Ｌ殻の電子のラブの公転軌道であるとみなす事ができる。
同様にＬ系の最も小さな特性Ｘ線の波長÷２を、Ｍ殻の電子のラブの公転軌道とみなす事ができる。
同様にＭ系の最も小さな特性Ｘ線の波長÷２を、Ｎ殻の電子のラブの公転軌道とみなす事ができる。
Ｍ系の最も小さな特性Ｘ線の波長は、Ｍ系のγ特性Ｘ線ですから、
Ｎ殻の電子のラブの軌道はＭ系のγ特性Ｘ線の波長÷２  とします。
▲２▼Ｎ殻に存在する電子のラブの数は、原子番号−Ｋ殻の電子のラブの数−Ｌ殻の電子のラブの数−Ｍ殻の電子のラブの数  です。
電子のラブは、Ｋ殻に２個です。Ｌ殻には１６個です。Ｍ殻にも１６個と考えます。
Ｎ殻に存在する電子のラブの数は、原子番号−Ｋ殻の電子のラブの数−Ｌ殻の電子のラブの数−Ｍ殻の電子のラブの数＝原子番号−２−１６−１６＝原子番号−３４です。
例えば、ウランの場合、Ｎ殻には、９２−２−１６−１６＝５８  個の電子のラブが存在します。
○Ｎ殻の電子のラブの軌道の大きさとＮ殻の密度（Ｎ殻の電子のラブの数）は反比例するのでしょうか。
Ｎ殻の電子のラブの軌道×Ｎ殻の電子のラブの数は、
Ｒｕの場合、１．３４２５×１０−９ｍ×１０＝１．３４×１０−８で、Ｓｎは０．８９７×１０−９ｍ×１６＝１．４３５×１０−８で、Ｗは１．３０４４×１０−９ｍ×４０＝１．２２×１０−８で、Ｐｂは、０．２３３７×１０−９ｍ×４８＝１．１２×１０−８です。
この事により、Ｎ殻の電子のラブの軌道×Ｎ殻の電子のラブの数≒一定です。
この事により、中性子ができた軌道より小さい軌道では、軌道の大きさと中性子の数は反比例することが理解できる。
よって、軌道が小さくなるほど、球体の中性子の数は多くなる。
又、この事は、請求項１１番の地球の円周にどれだけの分子が並んでいるか、によっても理解できる。
【請求項２５】
地球の元素ができるためには、星の質量はどれ位でなければならないか。
地球の元素の基は、１世代の星の中でできました。太陽は２世代の星です。
地球に存在する元素の中で、最大核子数を２５０とします。
太陽でできる元素は核子数が４のヘリュウムですから、２５０÷４＝６２．５倍の核子です。
それで、太陽の質量の６２．５倍の星です。
１世代の星の質量は太陽の質量の６２．５倍でした。
【請求項２６】
星が爆発するとどのようになるか。
星が爆発すると、“中性子の球体”は、絶対０度の宇宙に出ます。
そして、絶対０度の空間と調和するため、中性子の約半分は電子と陽子になります。
電子は、絶対０度の空間と調和するため、Ｋ殻、Ｌ殻、Ｍ殻、Ｎ殻となり、軌道を大きくしエネルギーを小さくします。
それで、絶対０度の宇宙空間に存在する事ができます。
中性子が存在できるエネルギーの場は、電子のラブの軌道が２．５８×１０−１４ｍ以下の場です。
それ以上の電子のラブの軌道の場では、中性子の電子のラブは、自分の軌道を、その場に合わせて大きくします。これが、中性子の崩壊です。
“中性子の球体”の半分の中性子は２．５８×１０−１４ｍ以下の場に居ます。
他の半分の中性子は陽子と電子に崩壊します。
電子は、Ｋ殻、Ｌ殻、Ｍ殻、Ｎ殻に分かれて回転します。
【請求項２７】
ニュートリノとはどのような物か。
ニュートリノとは中性子ができる時、電子のラブが脱出した電気の光子の軌道です。
ニュートリノの軌道は、２．５８×１０−１４ｍです。エネルギーは、１０−３９Ｊｍ÷（２．５８×１０−１４ｍ）＝３．９×１０−２６Ｊです。但し、これは電気の光子が１回転のエネルギーです。
電子のラブが公転していた軌道にはたくさんの電気の光子の輪があるはずです。
それで、仮に１０８個の電気の光子の輪があるとすると、そのエネルギーは、３．９×１０−２６Ｊ×１０８個＝３．９×１０−１８Ｊです。質量は、３．９×１０−１８Ｊ÷（９×１０１６）＝４．３×１０−３５Ｋｇです。
電子のラブが脱出した電気の光子の軌道にあった磁気の光子は、太陽の中を時間をかけて、進みます。
太陽の中を、磁気の光子は軌道を拡大しながら進みます。
そして、太陽を出発する時は、太陽の表面の電子のラブが作る光子の軌道に成って、出発します。
太陽を抜け出した磁気の光子は太陽の引力であり、太陽圏の惑星を引いています。
【請求項２８】
太陽の中心に、はたしてヘリュウムの原子核はできているのか。
太陽の中心核で、電子のラブの軌道は２．５８×１０−１４ｍになっています。
これより太陽の中心に近い場では、中性子だけが存在します。“２個の中性子の球体”と“４個の中性子の球体”が存在します。陽子は単独で存在しません。陽子の質量エネルギーは中性子の質量エネルギーより小さいからです。それで、太陽の中心にヘリュウムの原子核は存在しません。
ただし、核融合の実験を地上で行う場合、その場は、電子のラブの軌道は２．５８×１０−１４ｍになっていないので、４個の中性子の球体のうち、２個の中性子は、陽子と電子になり、ヘリュウムができます。これは、星が爆発した時と同じ現象です。
【発明の詳細な説明】
【技術分野】
【０００１】  この発明は、地球の深さにおける、電子の軌道と温度と引力の関係について、太陽の深さにおける、電子の軌道と温度と引力の関係に関する。地球の中で、分子がどのように並んでいるかに関する。太陽の万有引力定数と重力に関する。太陽の中で中性子ができる電子の軌道に関する。核融合反応に関する。元素ができる仕組みに関する。特性Ｘ線に関する。ニュートリノに関する。
【背景技術】
【０００２】  地球の引力は、地球の中心に全ての重さがあると考えられています。
地球の中は、地殻、マントル、外核、内核より成り、その場の温度や密度が知られている。
地球の中で、原子や分子はどのように並んでいるのか知られていない。
地球の深さにおいて、電子のラブの軌道と温度と原子の数と引力の関係は知られていない。
太陽の深さにおいて、電子のラブの軌道と温度と引力の関係は知られていない。
太陽の中で中性子ができる電子の軌道については知られていない。
太陽の中で、核融合反応は４個の陽子から１個のヘリュウムの原子核ができると考えられている。
元素のできる仕組みは、星の中で、鉄までの元素ができ、それより大きな原子番号の元素は、星の爆発後すぐできると考えられている。
【発明の開示】
どうして、南アフリカから出発した磁気の光子が、東京の１Ｋｇの物体に引力として作用するのか。地球の引力は、地球の中心に、地球の全ての重さがあると考えます。それで、距離を地球の半径とします。
この事は地球の中央から発した磁気の光子が球状に進むことを示す。
地球の全ての電子から放出する磁気の光子はどのように進むのでしょうか。
地球の中で、原子や分子はどのように並んでいるのでしょうか。
その電子から放出する磁気の光子はどのように進むのでしょうか。
はたして、地球の中心から球状に放出するような状態に並んでいるのでしょうか。
太陽の中で、中性子ができるとき、電子の軌道はどれ位になっているのでしょうか。
元素はどのようにできたのでしょうか。
【発明が解決しようとする課題】
【０００３】１．地球の中の温度はどのようになっているか。
２．地球の中で、温度と電子のラブの軌道の関係はどのようであるか。
３．地球の中で、密度と電子のラブの軌道の関係はどのようであるか。
４．地球の中で、電子のラブが収縮する事によってどれだけのエネルギーができるか。電子のラブの軌道が収縮する事によって、エネルギーが発生する原理。
５．地球の中に進むにつれて、電子のラブの軌道はどのように変化するか。
６．地球の中で、原子はどのように並んでいるか。
７．地球の中の温度はどのようにできるか。温度は電子のラブが何回公転する事によってできるエネルギーか。
８．温度と電子のラブの軌道との関係はどのようであるか。
９．地球の引力はどのようになっているか。
１０．地表からの深さと引力の関係はどのようであるか。
１１．地球の円周にどれだけの分子が並んでいるのか。
１２．太陽の中の温度はどのようになっているか。
１３．太陽の中心核の熱はどのようにできたか。
１４．太陽の中の電子のラブの軌道はどのようであるか。
１５．太陽の温度はどのようにできるか。▲１▼１℃は電子のラブが何回公転する事によってできるエネルギーか。▲２▼その場の温度と電子のラブの軌道の関係式はどのようであるか。
１６．光子が太陽の深い場から、１Ｋｍの場に来るとき、光子の軌道は何倍になり、エネルギーは何分の１になるか。
１７．太陽から出発する熱エネルギーと、引力エネルギーについて。
１８．太陽の深さにおいて、引力はどのようであるか。その場の万有引力定数はどのようであるか。その場の万有引力定数は地球表面の万有引力定数の何倍か。
１９．太陽の万有引力定数はいくらか。太陽の重力はいくらか。
２０．太陽の中心核で、中性子ができるのはどうしてか。
２１．星ができる条件は何か。
２２．星の中で中性子はどのようになっているか。
２３．“中性子の球体”の中性子の数と電子のラブの公転軌道について。
２４．軌道が小さくなると、電子のラブの軌道の大きさと密度は反比例する事はどうして理解できるか。特性Ｘ線から考察する。
２５．地球の元素ができるためには、星の質量はどれ位でなければならないか。
２６．星が爆発するとどのようになるか。
２７．ニュートリノとはどのような物か。
２８．太陽の中で、はたしてヘリュウムの原子核はできているのか。
【発明を解決するための手段】
【０００４】地球の中の熱には２種類の熱がある。
１つは電子のラブの軌道が収縮する事によってできる熱です。この熱を、“電子のラブが収縮してできた熱”と名づけます。
１つは地球の中央でできた熱（これも、電子のラブの軌道が収縮する事によってできる熱です。）が、地球の中を放散する熱です。この熱ほ“放散熱”です。
地球の中で、電子のラブの軌道は圧力のため収縮します。
海水は深くなるほど水圧を上げます。地球の中も深くなるほど圧力を上げます。
圧力が高くなると、原子の電子のラブの軌道は収縮します。風船が収縮するようにです。
それでは、地球の中で、電子のラブの軌道はどのように収縮しているのでしょうか。
電子のラブの軌道は何によって理解できるのでしょうか。
電子のラブの軌道は温度によって理解できる。
電子のラブの軌道は密度によって理解できる。
▲１▼電子のラブの軌道と温度について考えます。
温度＝熱は光子のエネルギーです。光子の軌道のエネルギーです。光子は走っているとき熱には成りません。光子は何かと衝突すると熱になります。
光子がある場において衝突すると、光子のエネルギーが熱となります。
任意の場において、光子の軌道は同じです。それで、光子のエネルギーも同じです。
それで、熱＝光子のエネルギー×光子のエネルギー＝光子のエネルギー２です。
任意の場の熱エネルギーが１００倍である場合、その場の光子のエネルギーは１００１／２＝１０倍です。
地表で、電子のラブの軌道を１０−１０ｍとします。
地表の温度を１℃とします。
これを式に示しますと、
電子のラブの軌道＝１０−１０ｍ÷１１／２＝１０−１０ｍ  です。
１００℃上昇する時、電子のラブの軌道は１０−１０ｍから１０−１１ｍになります。
電子のラブの軌道と温度の関係式は、
電子のラブの軌道＝１０−１０ｍ÷温度１／２  です。温度の単位は℃です。
但しこの温度は電子のラブが収縮する事によってできる熱です。
▲２▼電子のラブの軌道と密度の関係について考えます。
密度がＡ倍ですと、軌道はＡ３分の１です。
軌道＝１０−１０ｍ÷Ａ３
地殻の密度は３ですから、密度の倍数は、密度÷３です。
それで、
軌道＝１０−１０ｍ÷Ａ３＝１０−１０ｍ÷（密度÷３）３  です。
よって、地球の中の、電子のラブの軌道を、電子のラブの収縮によってできる温度と、その場の密度から計算できる。
よって、太陽の中の、電子のラブの軌道を、電子のラブの収縮によってできる温度と、その場の密度から計算できる。
太陽の中心核の電子のラブの軌道を知る事によって、中性子ができる軌道を知る事ができる。
○本発明において、磁気の光子のエネルギーは、引力と成る磁気の光子のエネルギーです。
電気の光子のエネルギーは、熱と成る電気の光子のエネルギーです。
【発明の実施態様】
【０００５】１．  地球の中の温度はどのようになっているか。
地球の中の熱には２種類の熱がある。
１つは電子のラブの軌道が収縮する事によってできる熱です。この熱を、“電子のラブが収縮してできた熱”と名づけます。
１つは地球の中央でできた熱（これも、電子のラブの軌道が収縮する事によってできる熱です。）が、地球の中を放射する熱です。この熱は“放射熱”です。
２．  地球の中で、温度と電子のラブの軌道の関係はどのようであるか。
温度＝熱は光子のエネルギーです。光子の軌道のエネルギーです。光子は走っているとき熱には成りません。光子は何かと衝突すると熱になります。
光子が任意の場において衝突すると、光子のエネルギーが熱となります。
光子のエネルギーは光子の軌道のエネルギーです。
電子のラブが１０−１０ｍから１０−１１ｍになると、温度は１００℃上昇します。
これは、光子の軌道も１／１０に成るので、光子のエネルギーは１０倍に成るからです。
地表で、電子のラブの軌道は１０−１０ｍとします。
地表の温度は１℃とします。
電子のラブの軌道と温度の関係式は、
電子のラブの軌道＝１０−１０ｍ÷温度１／２  です。
但しこの温度は電子のラブが収縮する事によってできる熱です。
例えば、地球の中央で、温度は７６００Ｋです。この熱はどうしてできたか。
この熱は“電子のラブが収縮してできた熱”です。
この熱ができた、電子のラブの軌道は、
温度は、７６００−２７３＝７３２７（℃）ですから、
電子のラブの軌道＝１０−１０ｍ÷温度１／２＝１０−１０ｍ÷７３２７１／２＝１０−１０ｍ÷（７３．２７×１００）１／２＝１０−１０ｍ÷８５．６＝１．１６８×１０−１２ｍ  です。
３．  地球の中で、密度と電子のラブの軌道の関係はどのようであるか。
密度がＡ倍ですと、軌道はＡ３分の１です。
電子のラブの軌道＝１０−１０ｍ÷Ａ３
地殻の密度は３ですから、密度の倍数は、密度÷３です。
それで、
電子のラブの軌道＝１０−１０ｍ＋Ａ３＝１０−１０ｍ÷（密度÷３）３  です。
例えば、地球の中央の密度は１３です。
この場の、電子のラブの軌道は、
１０−１０ｍ÷（密度÷３）３＝１０−１０ｍ÷（１３÷３）３＝１０−１０ｍ÷（４．３３３）３＝１０−１０ｍ÷８１．３５８＝１．２３×１０−１２ｍです。
４．  地球の中で、電子のラブが収縮する事によってどれだけのエネルギーができるか。
電子のラブが収縮する事によってエネルギーが発生する原理。
地球の中で熱が発生する原理は、地球の中で、圧力により、電子のラブの軌道は小さくなる。電子のラブの軌道が小さくなると、光子の軌道も小さくなる。光子の軌道が小さくなると光子のエネルギーは大きくなる。
即ち、電子のラブの自転が小さくなると、できる磁気の光子の軌道が小さくなり、エネルギーは大きくなる。電子のラブの公転が小さくなると、できる電気の光子の軌道が小さくなり、エネルギーは大きくなる。よって、放出する電気の光子のエネルギーと磁気の光子のエネルギーは大きくなり、温度は高くなる。
地球の中央は高圧になり、高密度に成るのは、同じ体積にたくさんの原子が存在するからです。即ち、原子が収縮しています。電子のラブの軌道が収縮しています。
例えば、電子のラブの軌道が１０−１０ｍから１０−１１ｍに収縮します。
そうすると、電子のラブの公転と自転でできる光子の軌道は１／１０になり、エネルギーは１０倍になります。
それで、その場の温度は、１０×１０−１００倍になります。
例えば、電子のラブの軌道が１０−１０ｍから１０−１２ｍに収縮します。
そうすると、電子のラブの公転と自転でできる光子の軌道は１／１００になり、エネルギーは１００倍になります。
それで、その場の温度は、１００×１００＝１０４倍になります。
地球の中で、電子のラブの軌道が１０ａ分の１に収縮すると、その場の温度は１０２ａ倍になる。
５．  地球の中に進むにつれて、電子のラブの軌道はどのように変化するか。
地球の中に進むにつれて、質量に押されて電子のラブの軌道は小さくなる。
地表で、温度は１℃で、地下６０００Ｋｍで６０００℃ですから、１Ｋｍで１℃ずつ温度は上がる。
この温度は、電子のラブの軌道が少しずつ収縮するためにできる熱と考える。
それで、“電子のラブが収縮してできた熱”は、１０Ｋｍでは１０℃、１００Ｋｍでは１００℃、１０００Ｋｍでは１０００℃です。
この事から、地球の深さにおける、電子のラブの軌道を知る事ができる。
電子のラブの軌道＝１０−１０ｍ÷温度（℃）１／２＝１０−１０ｍ÷深さ（Ｋｍ）１／２
たとえば、８００Ｋｍでは８００℃ですから、この場の、電子のラブの軌道は、
１０−１０ｍ÷（８００）１／２＝１０−１０ｍ÷２８．２８＝３．５３６×１０−１２ｍ  です。
○地球の深さと“電子のラブが収縮してできた熱”と電子のラブの軌道、と密度と密度から算出される電子のラブの軌道、の値を記す。
（但し、この値は、地表の温度を１℃、電子のラブの軌道を１０−１０ｍとしている。）
2006353099.tif 000003
６．  地球の中で、原子はどのように並んでいるか。
地球の半径６５００Ｋｍの間にどれだけ原子が並んでいるか。
○温度によって求めた電子のラブの軌道により、原子の配列を求める。
・地表から地下１０００Ｋｍの間に、どれだけの原子が並んでいるか。
地表の電子のラブの軌道は１０−１０ｍです。１００Ｋｍの電子のラブの軌道は１０−１１ｍです。
１００Ｋｍから１０００Ｋｍの電子のラブの軌道の平均は、
（１０＋７＋５．７８＋５＋４．４８＋３．７８＋３．５４＋３．３＋３．１６）×１０−１２ｍ÷１０＝５×１０−１２ｍ５×１０−１２ｍです。
それで、１０００Ｋｍの間に、電子のラブの軌道が５×１０−１２ｍの原子の数は、
１０００Ｋｍ÷（５×１０−１２ｍ）＝２×１０１７個です。
・地下１０００Ｋｍから２０００Ｋｍの間に、どれだけの原子が並んでいるか。
地下１０００Ｋｍの電子のラブの軌道は、３．１６×１０−１２ｍです。地下２０００Ｋｍの電子のラブの軌道は、２．２３×１０−１２ｍです。
この中間の電子のラブの軌道の大きさは。
（３．１６×１０−１２ｍ＋２．２３×１０−１２ｍ）÷２＝２．６９５×１０−１２ｍです。
それで、１０００Ｋｍの間には、
１０００Ｋｍ÷（２．６９５×１０−１２ｍ）＝３．７１×１０１７個です。
・地下２０００Ｋｍから３０００Ｋｍの間に、どれだけの原子が並んでいるか。
地下２０００Ｋｍの電子のラブの軌道は、２．２３×１０−１２ｍです。地下３０００Ｋｍの電子のラブの軌道は、１．８×１０−１２ｍです。
この中間の電子のラブの軌道の大きさは。
（２．２３×１０−１２ｍ＋１．８×１０−１２ｍ）÷２＝２×１０−１２ｍです。
それで、１０００Ｋｍの間には、
１０００Ｋｍ÷（２×１０−１２ｍ）＝５×１０１７個です。
・地下３０００Ｋｍから４０００Ｋｍの間に、どれだけの原子が並んでいるか。
地下３０００Ｋｍの電子のラブの軌道は、１．８×１０−１２ｍです。地下４０００Ｋｍの電子のラブの軌道は、１．５８×１０−１２ｍです。
この中間の電子のラブの軌道の大きさは。
（１．８×１０−１２ｍ＋１．５８×１０−１２ｍ）÷２＝１．６９×１０−１２ｍです。
それで、１０００Ｋｍの間には、
１０００Ｋｍ÷（１．６９×１０−１２ｍ）＝５．９１７×１０１７個です。
・地下４０００Ｋｍから５０００Ｋｍの間に、どれだけの原子が並んでいるか。
地下４０００Ｋｍの電子のラブの軌道は、１．５８×１０−１２ｍです。地下５０００Ｋｍの電子のラブの軌道は、１．４×１０−１２ｍです。
この中間の電子のラブの軌道の大きさは。
（１．５８×１０−１２ｍ＋１．４×１０−１２ｍ）÷２＝１．４９×１０−１２ｍです。
それで、１０００Ｋｍの間には、
１０００Ｋｍ÷（１．４９×１０−１２ｍ）＝６．７１×１０１７個です。
・地下５０００Ｋｍから６０００Ｋｍの間に、どれだけの原子が並んでいるか。
地下５０００Ｋｍの電子のラブの軌道は、１．４×１０−１２ｍです。地下６０００Ｋｍの電子のラブの軌道は、１．３×１０−１２ｍです。
この中間の電子のラブの軌道の大きさは。
（１．４×１０−１２ｍ＋１．３×１０−１２ｍ）÷２＝１．３５×１０−１２ｍです。
それで、１０００Ｋｍの間には、
１０００Ｋｍ÷（１．３５×１０−１２ｍ）＝７．４×１０１７個です。
・地下６０００Ｋｍから６５００Ｋｍの間に、どれだけの原子が並んでいるか。
地下６０００Ｋｍの電子のラブの軌道は、１．３×１０−１２ｍです。地下６５００Ｋｍの電子のラブの軌道は、１．１６８×１０−１２ｍです。
この中間の電子のラブの軌道の大きさは、
（１．３×１０−１２ｍ＋１．１６８×１０−１２ｍ）÷２＝１．２３４×１０−１２ｍです。
それで、５００Ｋｍの間には、
５００Ｋｍ÷（１．２３４×１０−１２ｍ）＝４．０５×１０１７個です。
よって、地表から地下６５００Ｋｍ（中心）までに、どれ位の原子が並んでいるでしょうか。
２×１０１７個＋３．７１×１０１７個＋５×１０１７個＋５．９１×１０１７個＋６．７１×１０１７個＋７．４×１０１７個＋４．０５×１０１７個＝３４．７８×１０１７個
地表から地下６５００Ｋｍ（中心）までに、３．４７８×１０１８個の原子が並んでいる。
地球には、４π÷３×（３．４７８×１０１８個）３＝１．７６１×１０５６個  の原子があることになります。
これは、原子の大きさを１０−１０ｍとしたからです。
地球の原子の数は、地球の質量÷原子の質量＝５．９７４×１０２４Ｋｇ÷（１．６６×１０−２７Ｋｇ）＝３．６×１０５１個です。
この場合、原子の数は、１．７６１×１０５６個÷（３．６×１０５１個）＝４．８９×１０４倍になっています。
（４．８９×１０４）１／３＝（４８．９×１０３）１／３＝３６．５７
並ぶ原子の数は、３６．５７分の１です。
原子の電子のラブの軌道は３６．５７倍です。
軌道の大きさを１０−１０ｍの３６．５７倍にしたら、地表から地下６５００Ｋｍ（中心）までに、並ぶ原子の数は、
３．４７８×１０１８個÷３６．５７＝９．５１×１０１６個です。
地球の原子の数は、４π÷３×（９．５１×１０１６個）３＝３．６×１０５１個です。
○密度によって求めた原子の電子のラブの軌道により分子の配列を求める。
密度は３ですから、これは分子です。それで、密度３の分子の大きさを１０−１０ｍとします。
・地表から５００Ｋｍまでの間に、どれだけの分子が並んでいるか。
地下５００Ｋｍまで、密度は３ですから、分子の軌道は１０−１０ｍです。
それで、５００Ｋｍの間には、
５００Ｋｍ÷１０−１０ｍ＝５×１０１５  個です。
・地下５００Ｋｍから１０００Ｋｍまでの間に、どれだけの分子が並んでいるか。
地下５００Ｋｍの分子の軌道は１０−１０ｍです。６００Ｋｍの分子の軌道は４．２２×１０−１１ｍです。
７００Ｋｍの分子の軌道は２．１６×１０−１１ｍです。８００Ｋｍの分子の軌道は１．２５×１０−１１ｍです。
９００Ｋｍの分子の軌道は７．８７４×１０−１２ｍです。１０００Ｋｍの分子の軌道は５．２７７×１０−１２ｍです。
この平均の分子の軌道は、１０−１０ｍ＋４．２２×１０−１１ｍ＋２．１６×１０−１１ｍ＋１．２５×１０−１１ｍ＋７．８７×１０−１２ｍ＋５．２８×１０−１２ｍ÷６＝３．１５７５×１０−１１ｍ  です。
それで、５００Ｋｍから１０００Ｋｍの間には、
５００Ｋｍ÷（３．１５７５×１０−１１ｍ）＝１．５８４×１０１６個です。
・地下１０００Ｋｍから２０００Ｋｍの間に、どれだけの分子が並んでいるか。
地下１０００Ｋｍの分子の軌道は、５．２８×１０−１２ｍです。地下２０００Ｋｍの分子の軌道は、３．７×１０−１２ｍです。
この中間の分子の軌道の大きさは。
（５．２８×１０−１２ｍ＋３．７×１０−１２ｍ）÷２＝４．４９×１０−１２ｍです。
それで、１０００Ｋｍの間には、
１０００Ｋｍ÷（４．４９×１０−１２ｍ）＝２．２２７×１０１７個です。
・地下２０００Ｋｍから３０００Ｋｍの間に、どれだけの分子が並んでいるか。
地下２０００Ｋｍの分子の軌道は、３．７×１０−１２ｍです。地下３０００Ｋｍの分子の軌道は、２．７×１０−１２ｍです。
この中間の分子の軌道の大きさは。
（３．７×１０−１２ｍ＋２．７×１０−１２ｍ）÷２＝３．２×１０−１２ｍです。
それで、１０００Ｋｍの間には、
１０００Ｋｍ÷（３．２×１０−１２ｍ）＝３．１２５×１０１７個です。
・地下３０００Ｋｍから４０００Ｋｍの間に、どれだけの分子が並んでいるか。
地下３０００Ｋｍの分子の軌道は、２．７×１０−１２ｍです。地下４０００Ｋｍの分子の軌道は、２×１０−１２ｍです。
この中間の分子の軌道の大きさは。
（２．７×１０−１２ｍ＋２×１０−１２ｍ）÷２＝２．３５×１０−１２ｍです。
それで、１０００Ｋｍの間には、
１０００Ｋｍ÷（２．３５×１０−１２ｍ）＝４．２５５×１０１７個です。
・地下４０００Ｋｍから５０００Ｋｍの間に、どれだけの分子が並んでいるか。
地下４０００Ｋｍの分子の軌道は、２×１０−１２ｍです。地下５０００Ｋｍの分子の軌道は、１．５×１０−１２ｍです。
この中間の分子の軌道の大きさは。
（２×１０−１２ｍ＋１．５×１０−１２ｍ）÷２＝１．７５×１０−１２ｍです。
それで、１０００Ｋｍの間には、
１０００Ｋｍ÷（１．７５×１０−１２ｍ）＝５．７１４×１０１７個です。
・地下５０００Ｋｍから６０００Ｋｍの間に、どれだけの分子が並んでいるか。
地下５０００Ｋｍの分子の軌道は、１．５×１０−１２ｍです。地下６０００Ｋｍの分子の軌道は、１．２３×１０−１２ｍです。
この中間の分子の軌道の大きさは。
（１．５×１０−１２ｍ＋１．２３×１０−１２ｍ）÷２＝１．３６５×１０−１２ｍです。
それで、１０００Ｋｍの間には、
１０００Ｋｍ÷（１．３６５×１０−１２ｍ）＝７．３２６×１０１７個です。
・地下６０００Ｋｍから６５００Ｋｍの間に、どれだけの分子が並んでいるか。
地下６０００Ｋｍの分子の軌道は、１．２３×１０−１２ｍです。地下６５００Ｋｍの分子の軌道は、１．２３×１０−１２ｍです。
それで、５００Ｋｍの間には、
５００Ｋｍ÷（１．２３×１０−１２ｍ）＝４．０６５×１０１７個です。
地表から地下６５００Ｋｍ（中心）までに、どれ位の分子が並んでいるでしょうか。
５×１０１５個＋１．５８４×１０１６個＋２．２２７×１０１７＋３．１２５×１０１７個＋４．２５５×１０１７個＋５．７１４×１０１７個＋７．３２６×１０１７個＋４．０６５×１０１７個＝２６．９２×１０１７個
地表から地下６５００Ｋｍ（中心）までに、２．６９２×１０１８個の分子が並んでいる。
地球には、４π÷３×（２．６９２×１０１８個）３＝８．１６８×１０５５個  の分子があることになります。
密度１であるＨ２Ｏの原子の数は１８ですから、密度３の原子の数は３×１８＝５４です。
地球の分子の数は、地球の質量÷分子の質量＝５．９７４×１０２４Ｋｇ÷（１．６６×１０−２７Ｋｇ×５４）＝６．６６×１０４９個です。
分子の軌道を１０−１０ｍとしたから８．１６８×１０５５個です。
この場合、分子の数は、８．１６８×１０５５個÷（６．６６×１０４９個）＝１．２２６×１０６倍になっています。
（１．２２６×１０６）１／３＝１．０７×１０２
それで、分子の軌道は１０７倍です。
１０００Ｋｍ間の分子の数は１０７分の１です。
軌道の大きさを１０７倍にしたら、地表から地下６５００Ｋｍ（中心）までに、並ぶ分子の数は、
２．６９２×１０１８個÷１０７＝２．５１６×１０１６個です。
地球の原子の数は、４π÷３×（２．５１６×１０１６個）３＝６．６７×１０４９個です。
○温度から求めた実際の電子のラブの軌道と、密度から求めた実際の分子の軌道を記す。
但し、これは原子と原子の間を０ｍ、分子と分子の間を０ｍとして計算した値です。
2006353099.tif 000004
2006353099.tif 000005
○温度から計算した時、実際、地下にどれだけの原子が並んでいるか。
地表から１０００Ｋｍまでには、２×１０１７個÷３６．５７＝５．４７×１０１５個です。
１０００Ｋｍから２０００Ｋｍまでには、３．７１×１０１７個÷３６．５７＝１．０１×１０１６個です。
２０００Ｋｍから３０００Ｋｍまでには、５×１０１７個÷３６．５７＝１．３６７×１０１６個です。
３０００Ｋｍから４０００Ｋｍまでには、５．９１７×１０１７個÷３６．５７＝１．６１８×１０１６個です。
４０００Ｋｍから５０００Ｋｍまでには、６．７１×１０１７個÷３６．５７＝１．８３５×１０１６個です。
５０００Ｋｍから６０００Ｋｍまでには、７．４×１０１７個÷３６．５７＝２．０２４×１０１６個です。
６０００Ｋｍから６５００Ｋｍまでには、４．０５×１０１７個÷３６．５７＝１．１０７×１０１６個です。
○温度から計算した時、実際の電子のラブの軌道の平均値はいくらか。
地表から１０００Ｋｍまでは、５×１０−１２ｍ×３６．５７＝１．８２９×１０−１０ｍです。
１０００Ｋｍから２０００Ｋｍまでは、２．６９５×１０−１２ｍ×３６．５７＝９．８５６×１０−１１ｍです。
２０００Ｋｍから３０００Ｋｍまでは、２×１０−１２ｍ×３６．５７＝７．３１４×１０−１１ｍです。
３０００Ｋｍから４０００Ｋｍまでは、１．５８×１０−１２ｍ×３６．５７＝５．７７８×１０−１１ｍです。
４０００Ｋｍから５０００Ｋｍまでは、１．４９×１０−１２ｍ×＝５．４４９×１０−１１ｍです。
５０００Ｋｍから６０００Ｋｍまでは、１．３５×１０−１２ｍ×３６．５７＝４．９３７×１０−１１ｍです。
６０００Ｋｍから６５００Ｋｍまでは、１．２３４×１０−１２ｍ×３６．５７＝４．５１３×１０−１１ｍです。
○密度から計算した時、実際、地下にはどれだけの分子が並んでいるか。
地表から５００Ｋｍまでには、５×１０１５個÷１０７＝４．６７３×１０１３個です。
５００Ｋｍから１０００Ｋｍまでには、１．５８４×１０１６個÷１０７＝１．４８×１０１４個
１０００Ｋｍから２０００Ｋｍまでには、２．２２７×１０１７個÷１０７＝２．０８１×１０１５個です。
２０００Ｋｍから３０００Ｋｍまでには、３．１２５×１０１７個÷１０７＝２．９２１×１０１５個です。
３０００Ｋｍから４０００Ｋｍまでには、４．２５５×１０１７個÷１０７＝３．９７７×１０１５個です。
４０００Ｋｍから５０００Ｋｍまでには、５．７１４×１０１７個÷１０７＝５．３４×１０１５個です。
５０００Ｋｍから６０００Ｋｍまでには、７．３２６×１０１７個÷１０７＝６．８４７×１０１５個です。
６０００Ｋｍから６５００Ｋｍまでには、４．０６５×１０１７個÷１０７＝３．８×１０１５個です。
○密度から計算した時、実際の分子の軌道の平均値はいくらか。
地表から５００Ｋｍまでは、１０−１０ｍ×１０７＝１．０７×１０−８ｍです。
５００Ｋｍから１０００Ｋｍまでは、３．１５８×１０−１１ｍ×１０７＝３．３７９×１０−９ｍです。
１０００Ｋｍから２０００Ｋｍまでは、４．４９×１０−１２ｍ×１０７＝４．８×１０−１０ｍです。
２０００Ｋｍから３０００Ｋｍまでは、３．２×１０−１２ｍ×１０７＝３．４２４×１０−１０ｍです。
３０００Ｋｍから４０００Ｋｍまでは、２．３５×１０−１２ｍ×１０７＝２．５１５×１０−１０ｍです。
４０００Ｋｍから５０００Ｋｍまでは、１．７５×１０−１２ｍ×１０７＝１．８７３×１０−１０ｍです。
５０００Ｋｍから６０００Ｋｍまでは、１．３６５×１０−１２ｍ×１０７＝１．４６１×１０−１０ｍです。
６０００Ｋｍから６５００Ｋｍまでは、１．２３×１０−１２ｍ×１０７＝１．３１６×１０−１０ｍです。
○地球の中の温度によって求めた場合。
地球の深さにおける、電子のラブの軌道の平均値と原子の数について、地表の電子のラブの軌道を１０−１０ｍとした場合と、実際の値を示す。
2006353099.tif 000006
○地球の中の密度によって求めた場合。
地球の深さにおける、分子の軌道の平均値と分子の数について、地表の分子の軌道を１０−１０ｍとした場合と、実際の値を示す。
2006353099.tif 000007
2006353099.tif 000008
この事から、地球の中央になるほど、原子の電子のラブの軌道は、小さくなる。
７．  地球の中の温度はどのようにできるか。温度は電子のラブが何回公転する事によってできるエネルギーか。図２
・地表の場合。
電子のラブの公転は３．６５７×１０−９ｍであり、１℃の温度を作っている。
１℃＝２７３＋１＝２７４Ｋです。
このエネルギーは、１Ｋ＝１．３８×１０−２３Ｊですから、２７４×１．３８×１０−２３Ｊ＝３．７８１２×１０−２１Ｊです。
電子のラブが１回転する事によって、できる１回転の電気の光子のエネルギーは、
１０−３９Ｊｍ÷（３．６５７×１０−９ｍ）＝２．７３４×１０−３１Ｊです。
それで、１℃＝３．７８１２×１０−２１Ｊのエネルギーは、電子のラブが何公転する事によってできるエネルギーか。
３．７８１２×１０−２１Ｊ÷（２．７３４×１０−３１Ｊ）＝１．３８３×１０１０公転する事によってできるエネルギーです。
よって、電子のラブが１．３８３×１０１０回公転してできる電気の光子のエネルギーが熱のエネルギーとなる。
・０から１０００Ｋｍの場合。
電子のラブの軌道の平均値は、１．８２９×１０−１０ｍです。
電子のラブが１公転してできる電気の光子のエネルギーは、１０−３９Ｊｍ÷（１．８２９×１０−１０ｍ）＝５．４６７５×１０−３０Ｊです。
電子のラブが１．３８３×１０１０回公転してできる電気の光子のエネルギーは、
１．３８３×１０１０回×５．４６７５×１０−３０Ｊ＝７．５６２×１０−２０Ｊです。
このエネルギーは何℃のエネルギーか。
７．５６２×１０−２０Ｊ÷（３．７８１２×１０−２１Ｊ）＝２０（℃）のエネルギーです。
この場の温度は、２０×２０＝４００（℃）です。
・１０００Ｋｍから２０００Ｋｍの場合。
電子のラブの軌道の平均値は、９．８５６×１０−１１ｍです。
電子のラブが１公転してできる電気の光子のエネルギーは、
１０−３９Ｊｍ÷（９．８５６×１０−１１ｍ）＝１．０１×１０−２９Ｊです。
電子のラブが１．３８３×１０１０回公転してできる電気の光子のエネルギーは、
１．３８３×１０１０回×１．０１×１０−２９Ｊ＝１．３９７×１０−１９Ｊです。
このエネルギーは何℃のエネルギーか。
１．３９７×１０−１９Ｊ÷（３．７８１２×１０−２１Ｊ）＝３６．９５（℃）のエネルギーです。
この場の温度は、３６．９５×３６．９５＝１３６５．３（℃）です。
・２０００Ｋｍから３０００Ｋｍの場合。
電子のラブの軌道の平均値は、７．３１４×１０−１１ｍです。
電子のラブが１公転してできる電気の光子のエネルギーは、
１０−３９Ｊｍ÷（７．３１４×１０−１１ｍ）＝１．３６７２×１０−２９Ｊです。
電子のラブが１．３８３×１０１０回公転してできる電気の光子のエネルギーは、
１．３８３×１０１０回×１．３６７２×１０−２９Ｊ＝１．８９×１０−１９Ｊです。
このエネルギーは何℃のエネルギーか。
１．８９×１０−１９Ｊ÷（３．７８１２×１０−２１Ｊ）＝４９．９８（℃）のエネルギーです。
この場の温度は、５０×５０＝２５００（℃）です。
・３０００Ｋｍから４０００Ｋｍの場合。
電子のラブの軌道の平均値は、５．７７８×１０−１１ｍです。
電子のラブが１公転してできる電気の光子のエネルギーは、
１０−３９Ｊｍ÷（５．７７８×１０−１１ｍ）＝１．７３×１０−２９Ｊです。
電子のラブが１．３８３×１０１０回公転してできる電気の光子のエネルギーは、
１．３８３×１０１０回×１．７３×１０−２９Ｊ＝２．３９２６×１０−１９Ｊです。
このエネルギーは何℃のエネルギーか。
２．３９２６×１０−１９Ｊ÷（３．７８１２×１０−２１Ｊ）＝６３．２８（℃）のエネルギーです。
この場の温度は、６３．２８×６３．２８＝４００４．３５（℃）です。
・４０００Ｋｍから５０００Ｋｍの場合。
電子のラブの軌道の平均値は、５．４４９×１０−１１ｍです。
電子のラブが１公転してできる電気の光子のエネルギーは、
１０−３９Ｊｍ÷（５．４４９×１０−１１ｍ）＝１．８３５×１０−２９Ｊです。
電子のラブが１．３８３×１０１０回公転してできる電気の光子のエネルギーは、
１．３８３×１０１０回×１．８３５×１０−２９Ｊ＝２．５３８×１０−１９Ｊです。
このエネルギーは何℃のエネルギーか。
２．５３８×１０−１９Ｊ÷（３．７８１２×１０−２１Ｊ）＝６７．１２（℃）のエネルギーです。
この場の温度は、６７．１２×６７．１２＝４５０５（℃）です。
・５０００Ｋｍから６０００Ｋｍの場合。
電子のラブの軌道の平均値は、４．９３７×１０−１１ｍです。
電子のラブが１公転してできる電気の光子のエネルギーは、
１０−３９Ｊｍ÷（４．９３７×１０−１１ｍ）＝２．０２６×１０−２９Ｊです。
電子のラブが１．３８３×１０１０回公転してできる電気の光子のエネルギーは、
１．３８３×１０１０回×２．０２６×１０−２９Ｊ＝２．８×１０−１９Ｊです。
このエネルギーは何℃のエネルギーか。
２．８×１０−１９Ｊ÷（３．７８１２×１０−２１Ｊ）＝７４．０５（℃）のエネルギーです。
この場の温度は、７４．０５×７４．０５＝５４８３．４（℃）です。
・６０００Ｋｍから６５００Ｋｍの場合。
電子のラブの軌道の平均値は、４．５１３×１０−１１ｍです。
電子のラブが１公転してできる電気の光子のエネルギーは、
１０−３９Ｊｍ÷（４．５１３×１０−１１ｍ）＝２．２１６×１０−２９Ｊです。
電子のラブが１．３８３×１０１０回公転してできる電気の光子のエネルギーは、
１．３８３×１０１０回×２．２１６×１０−２９Ｊ＝３．０６５×１０−１９Ｊです。
このエネルギーは何℃のエネルギーか。
３．０６５×１０−１９Ｊ÷（３．７８１２×１０−２１Ｊ）＝８１．０６（℃）のエネルギーです。
この場の温度は、８１．０６×８１．０６＝６５７０．７（℃）です。
この事によって、電子のラブが１．３８３×１０１０回公転してできる電気の光子のエネルギーが熱エネルギーになることが証明できた。
８．  温度と電子のラブの軌道との関係はどのようであるか。
・電子のラブの軌道と温度Ｋの関係について。
電子のラブの軌道をＡｍとする。
電子のラブが１公転してできる電気の光子のエネルギーは、１０−３９Ｊｍ÷Ａｍです。
温度１Ｋ＝１．３８×１０−２３Ｊです。
電子のラブが、１．３８３×１０１０回公転してできる電気の光子のエネルギーが熱に成りますから、
このエネルギーは何Ｋか。
電子のラブが１公転してできる電気の光子のエネルギー×１．３８３×１０１０回÷（１．３８×１０−２３Ｊ）＝１０−３９Ｊｍ÷Ａｍ×１．３８３×１０１０回÷（１．３８×１０−２３Ｊ）＝１０−６÷Ａ（Ｋ）
電子のラブの軌道がＡｍの場合、熱は１０−６÷Ａ（Ｋ）です。
・電子のラブの軌道と温度℃の関係について。
電子のラブの軌道をＡｍとする。
電子のラブが１公転してできる電気の光子のエネルギーは、１０−３９Ｊｍ÷Ａｍです。
温度１℃＝２７４Ｋ＝２７４×１．３８×１０−２３Ｊ＝３．７８１２×１０−２１Ｊです。
電子のラブが、１．３８３×１０１０回公転してできる電気の光子のエネルギーが熱に成りますから、
このエネルギーは何℃か。
電子のラブが１公転してできる電気の光子のエネルギー×１．３８３×１０１０回÷（３．７８１２×１０−２１Ｊ）＝１０−３９Ｊｍ÷Ａｍ×１．３８３×１０１０回÷（３．７８１２×１０−２１Ｊ）＝３．６５８×１０−９÷Ａ（℃）
電子のラブの軌道がＡｍの場合、熱は３．６５８×１０−９÷Ａ（℃）です。
この場の温度は、この２乗となります。
（３．６５８×１０−９÷Ａ）２＝１．３３８×１０−１７÷Ａ２です。
９．  地球の引力はどのようになっているか。図１
地下深くなるほど、電子のラブの軌道は小さくなる。それで、電子のラブの自転によってできる磁気の光子の軌道も小さくなる。地下深くから、磁気の光子は地表に向かって出発します。磁気の光子は地表に近づくにつれて、軌道を拡大します。地表にたどり着く時は、地表の電子のラブが作る磁気の光子の軌道と同じに成ります。エネルギーは同じに成ります。それらの磁気の光子が地表の引力に成ります。地表の引力は地球の中でできた磁気の光子が軌道を大きくし地表に出てきた磁気の光子の総エネルギーです。
それで、地球の引力は、地球の電子のラブの数（＝地球の原子の数）×地表において、電子のラブ１個でできる引力と成る磁気の光子のエネルギーです。
地球の深さにおける引力となる磁気の光子の総エネルギーは、地球の深さにおける引力となる磁気の光子のエネルギー×地球の深さの体積に存在する原子の数、です。
○地球の深さにおける、電子のラブの公転軌道から、電子のラブが１回自転してできる磁気の光子のエネルギーはいくらか。
磁気の光子の軌道×エネルギーは、１．２５×１０−１０−８ｍ×８×１０−３８Ｊ＝１０−５５Ｊｍです。
・地表では、電子のラブの軌道は、３．６５７×１０−９ｍですから、電子のラブが１回自転してできる磁気の光子のエネルギーは、
１０−５５Ｊｍ÷（３．６５７×１０−９−８ｍ）＝２．７３４×１０−３９Ｊ  です。
・０から１０００Ｋｍでは、電子のラブの平均軌道は、１．８２９×１０−１０ｍですから、電子のラブが１回自転してできる磁気の光子のエネルギーは、
１０−５５Ｊｍ÷（１．８２９×１０−１０−８ｍ）＝５．４６７×１０−３８Ｊ  です。
・１０００Ｋｍから２０００Ｋｍでは、電子のラブの平均軌道は、９．８５６×１０−１１ｍですから、電子のラブが１回自転してできる磁気の光子のエネルギーは、
１０−５５Ｊｍ÷（９．８５６×１０−１１−８ｍ）＝１．０１５×１０−３７Ｊ  です。
・２０００Ｋｍから３０００Ｋｍでは、電子のラブの平均軌道は、７．３１４×１０−１１ｍですから、電子のラブが１回自転してできる磁気の光子のエネルギーは、
１０−５５Ｊｍ÷（７．３１４×１０−１１−８ｍ）＝１．３６７×１０−３７Ｊ  です。
・３０００Ｋｍから４０００Ｋｍでは、電子のラブの平均軌道は、５．７７８×１０−１１ｍですから、電子のラブが１回自転してできる磁気の光子のエネルギーは、
１０−５５Ｊｍ÷（５．７７８×１０−１１−８ｍ）＝１．７３×１０−３７Ｊ  です。
・４０００Ｋｍから５０００Ｋｍでは、電子のラブの平均軌道は、５．４４９×１０−１１ｍですから、電子のラブが１回自転してできる磁気の光子のエネルギーは、
１０−５５Ｊｍ÷（５．４４９×１０−１１−８ｍ）＝１．８３５×１０−３７Ｊ  です。
・５０００Ｋｍから６０００Ｋｍでは、電子のラブの平均軌道は、４．９３７×１０−１１ｍですから、電子のラブが１回自転してできる磁気の光子のエネルギーは、
１０−５５Ｊｍ÷（４．９３７×１０−１１−８ｍ）＝２．０２５×１０−３７Ｊ  です。
・６０００Ｋｍから６５００Ｋｍでは、電子のラブの平均軌道は、４．５１３×１０−１１ｍですから、電子のラブが１回自転してできる磁気の光子のエネルギーは、
１０−５５Ｊｍ÷（４．５１３×１０−１１−８ｍ）＝２．２１６×１０−３７Ｊ  です。
○地表において、１原子が作る引力となる磁気の光子のエネルギーはいくらか。
１Ｋｇでできる引力（＝磁気の光子のエネルギー）は、
６．６７２×１０−１１Ｎ・ｍ２／Ｋｇ２＝（６．６７２×１０−１１）１／２Ｎ・ｍ／Ｋｇ＝（６６．７２×１０−１１）１／２Ｎ・ｍ／Ｋｇ
８．１６８２３×１０−６Ｎ・ｍ／Ｋｇ＝８．１６８２３×１０−６Ｊ／Ｋｇ
１Ｋｇでできる引力となる磁気の光子のエネルギーは８．１６８２３×１０−６Ｊです。
１原子は１．６６０６×１０−２７Ｋｇですから、１Ｋｇは、
１÷（１．６６０６×１０−２７Ｋｇ）＝６．０２２×１０２６個の原子です。
１原子が作る磁気の光子のエネルギーは、
８．１６８２３×１０−６Ｊ÷（６．０２２×１０２６個）＝１．３５６４×１０−３２Ｊです。
○１．３５６４×１０−３２Ｊは電子のラブが何回自転してできるエネルギーか。図２
地表の電子のラブの自転を、３．６５７×１０−９−８ｍとしますと、電子のラブが１自転でできる磁気の光子のエネルギーは、２．７３４×１０−３９Ｊです。
１．３５６４×１０−３２Ｊ÷（２．７３４×１０−３９Ｊ）＝４．９６×１０６回自転してできるエネルギーです。
それで、引力は電子のラブが４．９６×１０６回自転してできるエネルギーと考える。
○地球全体でできる磁気の光子のエネルギーはいくらか。
地球の原子数は、３．６×１０５１個です。
地球の引力となる磁気の光子のエネルギー＝１電子のラブでできる引力となる磁気の光子のエネルギー×地球の原子数＝１．３５６４×１０−３２Ｊ×３．６×１０５１個＝４．８８×１０１９Ｊです。
○地球の深さにおいて、原子の数はいくらか。
・０から１０００Ｋｍの体積には、いくつの原子があるか。
４π÷３×（９．５１×１０１６個）３−４π÷３×（８．９６３×１０１６）３＝４π÷３××１０４８個×（９．５１３−８．９６３３）＝５．８６３×１０５０個    ５．８６３×１０５０個の原子がある。
・１０００Ｋｍから２０００Ｋｍの体積には、いくつの原子があるか。
４π÷３×（８．９６×１０１６個）３−４π÷３×（８．９６×１０１６−１．０１×１０１６）３＝４π÷３××１０４８個×（８．９６３−７．９５３）＝９．０７９×１０５０個    ９．０７９×１０５０個の原子がある。
・２０００Ｋｍから３０００Ｋｍの体積には、いくつの原子があるか。
４π÷３×（７．９５×１０１６個）３−４π÷３×（７．９５×１０１６−１．３６７×１０１６）３＝４π÷３××１０４８個×（７．９５３−６．５８３３）＝９．０９３×１０５０個    ９．０９３×１０５０個の原子がある。
・３０００Ｋｍから４０００Ｋｍの体積には、いくつの原子があるか。
４π÷３×（６．５８３×１０１６個）３−４π÷３×（６．５８３×１０１６−１．６１８×１０１６）３＝４π÷３×１０４８個×（６．５８３３−４．９６５３）＝６．８２×１０５０個    ６．８２×１０５０個の原子がある。
・４０００Ｋｍから５０００Ｋｍの体積には、いくつの原子があるか。
４π÷３×（４．９６５×１０１６個）３−４π÷３×（４．９６５×１０１６−１．８３５×１０１６）３＝４π÷３××１０４８個×（４．９６５３−３．１３３）＝３．８４１×１０５０個    ３．８４１×１０５０個の原子がある。
・５０００Ｋｍから６０００Ｋｍの体積には、いくつの原子があるか。
４π÷３×（３．１３×１０１６個）３−４π÷３×（３．１３×１０１６−２．０２４×１０１６）３＝４π÷３××１０４８個×（３．１３３−１．１０６３）＝１．２２７×１０５０個    １．２２７×１０５０個の原子がある。
・６０００Ｋｍから６５００Ｋｍの体積には、いくつの原子があるか。
４π÷３×（１．１０６×１０１６個）３＝５．６６×１０４８個    ５．６６×１０４８個の原子がある。
・原子の合計は、
５．８６３×１０５０個＋９．０７９×１０５０個＋９．０９３×１０５０個＋６．８２×１０５０個＋３．８４１×１０５０個＋１．２２７×１０５０個＋５．６６×１０４８個＝３５．９７９×１０５０個≒３．６×１０５１個です。
○地球の深さにおいて、できる引力となる磁気の光子の総エネルギーはいくらか。
地球の深さにおいて、できる引力となる磁気の光子の総エネルギーは、原子の数×１個の電子のラブが作る引力と成る磁気の光子のエネルギー、です。
・０から１０００Ｋｍまでに、できる引力と成る磁気の光子の総エネルギーは、
５．８６３×１０５０個×４．９６×１０６回×５．４６７×１０−３８Ｊ＝１．５９×１０２０Ｊです。
・１０００Ｋｍから２０００Ｋｍまでに、できる引力と成る磁気の光子の総エネルギーは、
９．０７９×１０５０個×４．９６×１０６回×１．０１５×１０−３７Ｊ＝４．５７×１０２０Ｊです。
・２０００Ｋｍから３０００Ｋｍまでに、できる引力と成る磁気の光子の総エネルギーは、
９．０９３×１０５０個×４．９６×１０６回×１．３６７×１０−３７Ｊ＝６．１６５×１０２０Ｊです。
・３０００Ｋｍから４０００Ｋｍまでに、できる引力と成る磁気の光子の総エネルギーは、
６．８２×１０５０個×４．９６×１０６回×１．７３×１０−３７Ｊ＝５．８５２×１０２０Ｊです。
・４０００Ｋｍから５０００Ｋｍまでに、できる引力と成る磁気の光子の総エネルギーは、
２．８４１×１０５０個×４．９６×１０６回×１．８３５×１０−３７Ｊ＝３．４９６×１０２０Ｊです。
・５０００Ｋｍから６０００Ｋｍまでに、できる引力と成る磁気の光子の総エネルギーは、
１．２２７×１０５０個×４．９６×１０６回×２．０２５×１０−３７Ｊ＝１．２３２×１０２０Ｊです。
・６０００Ｋｍから６５００Ｋｍまでに、できる引力と成る磁気の光子の総エネルギーは、
５．６６×１０４８個×４．９６×１０６回×２．２１６×１０−３７Ｊ＝６．２２１×１０１８Ｊです。
・引力と成る磁気の光子の総エネルギーの合計は、
４．５７×１０２０Ｊ＋６．１６５×１０２０Ｊ＋５．８５２×１０２０Ｊ＋３．４９６×１０２０Ｊ＋１．２３２×１０２０Ｊ＋６．２２１×１０１８Ｊ＝２．１３７７×１０２１Ｊです。
２．１３７７×１０２１Ｊは、地球の深さの場において、でできる磁気の光子の総合エネルギーです。
・地表に近づくにつれて、光子は拡大します。エネルギーは減少します。
どれ位減少するかについては、拡大した分減少します。
○地球の深さにおいて、できた磁気の光子は、地表に来る時、軌道とエネルギーはどれだけに成るか。
・０から１０００Ｋｍの場合。
電子のラブの軌道は、３．６５７×１０−９ｍから、１．８２９×１０−１０ｍまで縮小したので、
３．６５７×１０−９ｍ÷（１．８２９×１０−１０ｍ）＝２０倍に拡大する。
それで、エネルギーは、地表になると２０分の１になりますから、
１．５９×１０２０Ｊ÷２０＝７．９５×１０１８Ｊに成ります。
・１０００Ｋｍから２０００Ｋｍの場合。
電子のラブの軌道は、３．６５７×１０−９ｍから、９．８５６×１０−１１ｍまで縮小したので、
３．６５７×１０−９ｍ÷（９．８５６×１０−１１ｍ）＝３７．１倍に拡大する。
それで、エネルギーは、地表になると３７．１分の１になりますから、
４．７５×１０２０Ｊ÷３７．１＝１．２３２×１０１９Ｊに成ります。
・２０００Ｋｍから３０００Ｋｍの場合。
電子のラブの軌道は、３．６５７×１０−９ｍから、７．３１４×１０−１１ｍまで縮小したので、
３．６５７×１０−９ｍ÷（７．３１４×１０−１１ｍ）＝５０倍に拡大する。
それで、エネルギーは、地表になると５０分の１になりますから、
６．１６５×１０２０Ｊ÷５０＝１．２３３×１０１９Ｊに成ります。
・３０００Ｋｍから４０００Ｋｍの場合。
電子のラブの軌道は、３．６５７×１０−９ｍから、５．７７８×１０−１１ｍまで縮小したので、
３．６５７×１０−９ｍ÷（５．７７８×１０−１１ｍ）＝６３．２９倍に拡大する。
それで、エネルギーは、地表になると６３．２９分の１になりますから、
５．８５２×１０２０Ｊ÷６３．２９＝９．２４６×１０１８Ｊに成ります。
・４０００Ｋｍから５０００Ｋｍの場合。
電子のラブの軌道は、３．６５７×１０−９ｍから、５．４４９×１０−１１ｍまで縮小したので、
３．６５７×１０−９ｍ÷（５．４４９×１０−１１ｍ）＝６７．１１倍に拡大する。
それで、エネルギーは、地表になると６７．１１分の１になりますから、
３．４９６×１０２０Ｊ÷６７．１１＝５．２１×１０１８Ｊに成ります。
・５０００Ｋｍから６０００Ｋｍの場合。
電子のラブの軌道は、３．６５７×１０−９ｍから、４．９３７×１０−１１ｍまで縮小したので、
３．６５７×１０−９ｍ÷（４．９３７×１０−１１ｍ）＝７４．０７倍に拡大する。
それで、エネルギーは、地表になると７４．０７分の１になりますから、
１．２３２×１０２０Ｊ÷７４．０７＝１．６６３×１０１８Ｊに成ります。
・６０００Ｋｍから６５００Ｋｍの場合。
電子のラブの軌道は、３．６５７×１０−９ｍから、４．５１３×１０−１１ｍまで縮小したので、
３．６５７×１０−９ｍ÷（４．５１３×１０−１１ｍ）＝８１．０３倍に拡大する。
それで、エネルギーは、地表になると８１．０３分の１になりますから、
６．２２１×１０１８Ｊ÷８１．０３＝７．６７７×１０１６Ｊに成ります。
・地表になると、磁気の光子の総エネルギーの合計は、
７．９５×１０１８Ｊ＋１．２３２×１０１９Ｊ＋１．２３３×１０１９Ｊ＋９．２４６×１０１８Ｊ＋５．２１×１０１８Ｊ＋１．６６３×１０１８Ｊ＋７．６７７×１０１６Ｊ＝４．８７８×１０１９Ｊです。
これは、１電子のラブでできる磁気の光子×地球の原子の数＝４．８８×１０１９Ｊと同じ値です。
よって、地下でできた光子は、地表に近づくに従って、軌道を拡大する。
地表に出た時、光子は、地表の電子のラブでできた光子の軌道と同じ大きさに成る事が証明できた。
○地球の深さにおける、磁気の光子のエネルギーと、原子の数と、できる磁気の光子の総エネルギーと、地表に出た時光子の軌道はどれだけ拡大するかと、地表に成る時の磁気の光子の総エネルギーを示す。
2006353099.tif 000009
１０．  地表からの深さと引力の関係はどのようであるか。
○地表からの深さにおける、引力になる磁気の光子のエネルギーと万有引力定数はいくらか。
・地表の場合。
地表の電子のラブの軌道は、３．６５７×１０−９ｍですから、磁気の光子のエネルギーは、
１０−５５Ｊｍ÷（３．６５７×１０−９−８ｍ）＝２．７３４×１０−３９Ｊです。
引力になるエネルギーは、２．７３４×１０−３９Ｊ×４．９６×１０６＝１．３５６×１０−３２Ｊです。
地表の引力は、１．３５６×１０−３２Ｊ×１Ｋｇの原子数です。
１Ｋｇの原子数は、１÷（１．６６０６×１０−２７Ｋｇ）＝６．０２１９×１０２６個です。
１Ｋｇでできる引力となる磁気の光子のエネルギーは、＝磁気の光子のエネルギー×４．９６×１０６×１Ｋｇの原子数＝２．７３４×１０−３９Ｊ×４．９６×１０６×６．０２１９×１０２６個＝８．１６５７×１０−６Ｊです。
地表の万有引力定数は、（磁気の光子のエネルギー×４．９６×１０６×１Ｋｇの原子数）２＝（２．７３４×１０−３９Ｊ×４．９６×１０６×６．０２１９×１０２６個）２＝６．６６８×１０−１１Ｊ    ６．６６８×１０−１１です。
・０から１０００Ｋｍの場合。
磁気の光子のエネルギーは、５．４６７×１０−３８Ｊですから、
引力になる磁気の光子のエネルギーは、５．４６７×１０−３８Ｊ×４．９６×１０６回＝２．７１２×１０−３１Ｊです。
この場の万有引力定数は、
（５．４６７×１０−３８Ｊ×４．９６×１０６回×６．０２１９×１０２６個）２＝２．６６６×１０−８Ｊ    ２．６６６×１０−８です。
これは、地表の万有引力定数の、２．６６６×１０−８÷（６．６７×１０−１１）＝４００倍です。
・１０００Ｋｍから２０００Ｋｍの場合。
磁気の光子のエネルギーは、１．０１５×１０−３７Ｊですから、引力になる磁気の光子のエネルギーは、１．０１５×１０−３７Ｊ×４．９６×１０６回＝５．０３４×１０−３１Ｊです。
この場の万有引力定数は、
（１．０１５×１０−３７Ｊ×４．９６×１０６回×６．０２１９×１０２６個）２＝９．１９１×１０−８Ｊ    ９．１９１×１０−８です。
これは、地表の万有引力定数の、９．１９１×１０−８÷（６．６７×１０−１１）＝１３７８倍です。
・２０００Ｋｍから３０００Ｋｍの場合。
磁気の光子のエネルギーは、１．３６７×１０−３７Ｊですから、引力になる磁気の光子のエネルギーは、１．３６７×１０−３７Ｊ×４．９６×１０６回＝６．７８×１０−３１Ｊです。
この場の万有引力定数は、
（１．３６７×１０−３７Ｊ×４．９６×１０６回×６．０２１９×１０２６個）２＝１．６７１×１０−７Ｊ    １．６７１×１０−７です。
これは、地表の万有引力定数の、１．６７１×１０−７÷（６．６７×１０−１１）＝２５０５倍です。
・３０００Ｋｍから４０００Ｋｍの場合。
磁気の光子のエネルギーは、１．７３×１０−３７Ｊですから、引力になる磁気の光子のエネルギーは、１．７３×１０−３７Ｊ×４．９６×１０６回＝８．５８１×１０−３１Ｊです。
この場の万有引力定数は、
（１．７３×１０−３７Ｊ×４．９６×１０６回×６．０２１９×１０２６個）２＝２．６７×１０−７Ｊ    ２．６７×１０−７です。
これは、地表の万有引力定数の、２．６７×１０−７÷（６．６７×１０−１１）＝４００３倍です。
・４０００Ｋｍから５０００Ｋｍの場合。
磁気の光子のエネルギーは、１．８３５×１０−３７Ｊですから、引力になる磁気の光子のエネルギーは、１．８３５×１０−３７Ｊ×４．９６×１０６回＝９．１×１０−３１Ｊです。
この場の万有引力定数は、
（１．８３５×１０−３７Ｊ×４．９６×１０６回×６．０２１９×１０２６個）２＝３×１０−７Ｊ    ３×１０−７です。
これは、地表の万有引力定数の、３×１０−７÷（６．６７×１０−１１）＝４４９８倍です。
・５０００Ｋｍから６０００Ｋｍの場合。
磁気の光子のエネルギーは、２．０２５×１０−３７Ｊですから、引力になる磁気の光子のエネルギーは、２．０２５×１０−３７Ｊ×４．９６×１０６回＝１．００４×１０−３０Ｊです。
この場の万有引力定数は、
（２．０２５×１０−３７Ｊ×４．９６×１０６回×６．０２１９×１０２６個）２＝３．６５８×１０−７Ｊ    ３．６５８×１０−７です。
これは、地表の万有引力定数の、３．６５８×１０−７÷（６．６７×１０−１１）＝５４８４倍です。
・６０００Ｋｍから６５００Ｋｍの場合。
磁気の光子のエネルギーは、２．２１６×１０−３７Ｊですから、引力になる磁気の光子のエネルギーは、２．２１６×１０−３７Ｊ×４．９６×１０６回＝１．１×１０−３１Ｊです。
この場の万有引力定数は、
（２．２１６×１０−３７Ｊ×４．９６×１０６回×６．０２１９×１０２６個）２＝４．３８１×１０−７Ｊ    ４．３８１×１０−７です。
これは、地表の万有引力定数の、４．３８１×１０−７÷（６．６７×１０−１１）＝６５６８倍です。
・引力の比は、（磁気の光子のエネルギー）２です。
・引力の比は、（１÷磁気の光子の軌道）２です。
・引力の比は、地表の引力を１とすると、（地表に出た時、拡大する倍数）２です。
○地球の深さにおける、磁気の光子のエネルギーと、引力になる磁気の光子のエネルギーと、その場の万有引力定数と、その場の万有引力定数は地球の表面の何倍かを示す。
2006353099.tif 000010
１１．  地球の円周にどれだけの分子が並んでいるのか。
・地球の地表の円周にはどれだけの分子が並んでいるか。
地球の半径を６５００Ｋｍとすると、円周は、２π×６．５×１０６ｍです。
地表の分子の軌道（大きさ）は、１．０７×１０−８ｍです。
円周には何個の分子が並ぶか。
２π×６．５×１０６ｍ÷（１．０７×１０−８ｍ）＝３．８１５×１０１５個    ３．８１５×１０１５個です。
・地下１０６ｍの円周にはどれだけの分子が並んでいるか。
地下１０６ｍの円周は、２π×５．５×１０６ｍです。
地下１０６ｍの分子の軌道（大きさ）は、５．６５×１０−１０ｍです。
円周には何個の分子が並ぶか。
２π×５．５×１０６ｍ÷（５．６５×１０−１０ｍ）＝６．１１３×１０１６個    ３．５２７×１０１５個です。
・地下２×１０６ｍの円周にはどれだけの分子が並んでいるか。
地下２×１０６ｍの円周は、２π×４．５×１０６ｍです。
地下２×１０６ｍの分子の軌道（大きさ）は、３．９５９×１０−１０ｍです。
円周には何個の分子が並ぶか。
２π×４．５×１０６ｍ÷（３．９５９×１０−１０ｍ）＝７．１３８×１０１６個    ７．１３８×１０１６個です。
・地下３×１０６ｍの円周にはどれだけの分子が並んでいるか。
地下３×１０６ｍの円周は、２π×３．５×１０６ｍです。
地下３×１０６ｍの分子の軌道（大きさ）は、２．８８９×１０−１０ｍです。
円周には何個の分子が並ぶか。
２π×３．５×１０６ｍ÷（２．８８９×１０−１０ｍ）＝７．６０８×１０１６個    ７．６０８×１０１６個です。
・地下４×１０６ｍの円周にはどれだけの分子が並んでいるか。
地下４×１０６ｍの円周は、２π×２．５×１０６ｍです。
地下４×１０６ｍの分子の軌道（大きさ）は、２．１４×１０−１０ｍです。
円周には何個の分子が並ぶか。
２π×２．５×１０６ｍ÷（２．１４×１０−１０ｍ）＝７．３３６×１０１６個    ７．３３６×１０１６個です。
・地下５×１０６ｍの円周にはどれだけの分子が並んでいるか。
地下５×１０６ｍの円周は、２π×１．５×１０６ｍです。
地下５×１０６ｍの分子の軌道（大きさ）は、１．６０５×１０−１０ｍです。
円周には何個の分子が並ぶか。
２π×１．５×１０６ｍ÷（１．６０５×１０−１０ｍ）＝５．８６９×１０１６個    ５．８６９×１０１６個です。
・地下６×１０６ｍの円周にはどれだけの分子が並んでいるか。
地下６×１０６ｍの円周は、２π×０．５×１０６ｍです。
地下６×１０６ｍの分子の軌道（大きさ）は、１．３１６×１０−１０ｍです。
円周には何個の分子が並ぶか。
２π×０．５×１０６ｍ÷（１．３１６×１０−１０ｍ）＝２．３８６×１０１６個    ２．３８６×１０１６個です。
○円周の長さに対する分子の数の関係はどのようになっているか。
円周の長さに対する分子の数の関係は、分子の数÷円周の長さです。
地表の円周に対する分子数：地下１０６ｍの円周に対する分子数：地下２×１０６ｍの円周に対する分子数：地下３×１０６ｍの円周に対する分子数：地下４×１０６ｍの円周に対する分子数：地下５×１０６ｍの円周に対する分子数：地下６×１０６ｍの円周に対する分子数＝３．８×１０１５個÷（２π×６．５×１０６ｍ）：５．６５×１０１６個÷（２π×５．５×１０６ｍ）：７．１３８×１０１６個÷（２π×４．５×１０６ｍ）：７．０６８×１０１６個÷（２π×３．５×１０６ｍ）：７．３３６×１０１６個÷（２π×２．５×１０６ｍ）：５．８６９×１０１６個÷（２π×１．５×１０６ｍ）：２．３８６×１０１６個÷（２π×０．５×１０６ｍ）＝１：１７．６：２７．１：３４．５：５０．２：６６．９：８１．６
従って、地球の地下に深くなるほど、電子のラブの軌道は小さくなり、分子の密度は大きくなる。
○地球の深さの円周における、分子の軌道と、円周に並ぶ分子の個数と、分子の密度を示す。
2006353099.tif 000011
円周に並ぶ分子の個数＝円周÷分子の軌道
円周＝円周に並ぶ分子の個数×分子の軌道
密度＝円周に並ぶ分子の個数÷円周＝円周に並ぶ分子の個数÷（円周に並ぶ分子の個数×分子の軌道）＝１÷分子の軌道
よって、密度×分子の軌道＝１
密度と分子の軌道は反比例する。
１２．  太陽の中の温度はどのようになっているか。
太陽の中の熱には２種類の熱がある。
１つは電子のラブの軌道が収縮する事によってできる熱です。この熱を、“電子のラブが収縮してできた熱”と名づけます。
１つは太陽の中央でできた熱（これも、電子のラブの軌道が収縮する事によってできる熱です。）が、太陽の中を放射する熱です。この熱は“放射熱”です。
１３．  太陽の中心核の熱はどのようにできたか。
太陽の中心核の熱“電子のラブが収縮してできた熱”です。
１４．  太陽の中の温度はどのようであるか。
太陽の中心核の温度は１．５×１０７Ｋですから、この場の電子のラブの軌道は、
１０−１０ｍ÷（１．５×１０７）１／２＝１０−１０ｍ÷（１５×１０６）１／２＝１０−１０ｍ÷（３．８７３×１０３）＝２．５８２×１０−１４ｍです。
光球層の最下層は４００Ｋｍで、温度は６４００Ｋです。
光球層の最上層は温度は４３００Ｋです。
これは、“電子のラブが収縮してできた”ではありません。
太陽の放射層の熱や、対流層の熱や光球層の熱は、太陽の中心でできた熱が放射した熱です。
○太陽の中心核でできた熟はどのように放射されるか。
放射層はまっすぐ放射されるので、この間は温度と距離は比例するから、
ｙ＝ａｘ＋ｂの式で示される。
ｙ＝温度で、単位は１０６Ｋです。ｘ＝太陽の深さの距離で、単位は１０５Ｋｍです。
核は、深さは６×１０５Ｋｍで、温度は１５×１０６Ｋです。
対流層は、深さは２×１０５Ｋｍで、温度は２×１０６Ｋです。
それで、ａ＝ｙ÷ｘ＝（１５−２）÷（６−２）＝１３÷４＝３．２５
中心核は、深さは６×１０５Ｋｍで、温度は１５×１０６Ｋですから、
１５＝３．２５×６＋ｂ    ｂ＝１５−３．２５×６＝−４．５
温度と太陽の深さの距離の式は、ｙ＝３．２５ｘ−４．５  です。
太陽の中の温度は次のようです。
深さは６×１０５Ｋｍで、温度は１５×１０６Ｋです。
深さは５×１０５Ｋｍで、温度は１１．７５×１０６Ｋです。
深さは４×１０５Ｋｍで、温度は８．５×１０６Ｋです。
深さは３×１０５Ｋｍで、温度は５．２５×１０６Ｋです。
深さは２×１０５Ｋｍで、温度は２×１０６Ｋです。
対流層はまっすぐ放射されないので、上記の式は適応されない。
光球層の最下層は４００Ｋｍで、温度は６４００Ｋです。
光球層の最上層は温度は４３００Ｋです。
それで、
深さは４×１０２Ｋｍで、温度は６．４×１０３Ｋです。
深さは１Ｋｍで、温度は４．３×１０２Ｋです。
それで、
深さは１０３Ｋｍで、温度は１０４Ｋ
深さは１０４Ｋｍで、温度は１０５Ｋ
深さは１０５Ｋｍで、温度は１０６Ｋと考えます。
○太陽の深さにおける温度と電子のラブの軌道は次のようです。
2006353099.tif 000012
2006353099.tif 000013
１５．  太陽の温度はどのようにできるか。１℃は電子のラブが何回公転する事によってできるエネルギーか。熱になる電気の光子のエネルギーは、電子のラブが何回公転してできるエネルギーか。その場の温度と電子のラブの軌道の関係式はどのようであるか。図２
○１℃は電子のラブが何回公転する事によってできるエネルギーか。その場の温度と電子のラブの軌道の関係式はどのようであるか。
１回転の電気の光子のエネルギー＝１０−３９Ｊｍ÷軌道
ｘ回転で、１℃のエネルギーと成るとする。ｘ＝１℃のエネルギーと成る回転数
１℃のエネルギーと成る回転数×１回転の電気の光子のエネルギー＝１℃のエネルギー
ｘ×１０−３９Ｊｍ÷軌道＝３．７８１２×１０−２１Ｊ
ｘ＝３．７８１２×１０−２１Ｊ÷（１０−３９Ｊｍ÷軌道）＝３．７８１２×１０１８×軌道
（３．７８１２×１０１８÷軌道）回で１℃になる。
○太陽の熱になる電気の光子のエネルギーは、電子のラブが何回公転してできるエネルギーか。図２
Ａ＝熱となる電気の光子を作る、電子のラブの回転数
Ａ×１回転の電気の光子のエネルギー÷（１℃のエネルギー）＝熱エネルギー＝温度℃１／２
Ａ×１０−３９Ｊｍ÷軌道÷（３．７８１２×１０−２１Ｊ÷）＝熱エネルギー＝温度℃１／２
Ａ×２．６４５×１０−１９÷軌道＝温度℃１／２
Ａ＝温度℃１／２÷（２．６４５×１０−１９÷軌道）＝温度℃１／２×３．７８１×１０１８×軌道
Ａはいくらか。
・例えば、太陽の深さが７×１０５Ｋｍと７×１０５Ｋｍの場合。
その場の温度は、１５×１０６Ｋ≒１５×１０６℃です。軌道は２．５８１９×１０−１４ｍです。
Ａ＝（１５×１０６）１／２×３．７８１２×１０１８×２．５８１９×１０−１４＝３．７８１×１０８（回転）
・例えば、太陽の深さが５×１０５Ｋｍの場合。
その場の温度は、１１．７５×１０６Ｋ≒１１．７５×１０６℃です。軌道は２．９１７×１０−１４ｍです。
Ａ＝（１１．７５×１０６）１／２×３．７８１２×１０１８×２．９１７×１０−１４＝３．７８１×１０８（回転）
・例えば、太陽の深さが４×１０５Ｋｍの場合。
その場の温度は、８．５×１０６Ｋ≒８．５×１０６℃です。軌道は３．４３×１０−１４ｍです。
Ａ＝（８．５×１０６）１／２×３．７８１２×１０１８×３．４３×１０−１４＝３．７８１×１０８（回転）
・例えば、太陽の深さが３×１０５Ｋｍの場合。
その場の温度は、５．２５×１０６Ｋ≒５．２５×１０６℃です。軌道は４．３６７×１０−１４ｍです。
Ａ＝（５．２５×１０６）１／２×３．７８１２×１０１８×４．３６７×１０−１４＝３．７８１×１０８（回転）
・例えば、太陽の深さが２×１０５Ｋｍの場合。
その場の温度は、２×１０６Ｋ≒２×１０６℃です。軌道は７．０７×１０−１４ｍです。
Ａ＝（２×１０６）１／２×３．７８１２×１０１８×７．０７×１０−１４＝３．７８１×１０８（回転）
・例えば、太陽の深さが１０５Ｋｍの場合。
その場の温度は、１０６Ｋ≒１０６℃です。軌道は１０−１３ｍです。
Ａ＝（１０６）１／２×３．７８１２×１０１８×１０−１３＝３．７８１×１０８（回転）
・例えば、太陽の深さが１０４Ｋｍの場合。
その場の温度は、１０５Ｋ≒１０５℃です。軌道は３．１６２２７×１０−１３ｍです。
Ａ＝（１０５）１／２×３．７８１２×１０１８×３．１６２２７×１０−１３＝３．７８１×１０８（回転）
・例えば、太陽の深さが１０３Ｋｍの場合。
その場の温度は、１０４Ｋ≒１０４℃です。軌道は１０−１２ｍです。
Ａ＝（１０４）１／２×３．７８１２×１０１８×１０−１２＝３．７８１×１０８（回転）
・例えば、太陽の深さが４×１０２Ｋｍの場合。
その場の温度は、６．４×１０３Ｋ≒６．４×１０３℃です。軌道は１．２５×１０−１２ｍです。
Ａ＝（６．４×１０３）１／２×３．７８１２×１０１８×１．２５×１０−１２＝３．７８１×１０８（回転）
・例えば、太陽の深さが１Ｋｍの場合。
その場の温度は、４．３×１０３Ｋ≒４．３×１０３℃です。軌道は１．５２５×１０−１２ｍです。
Ａ＝（４．３×１０３）１／２×３．７８１２×１０１８×１．５２５×１０−１２＝３．７８１×１０８（回転）
よって、Ａ＝３．７８１×１０８（回転）です。電子のラブが３．７８１×１０８回転してできる電気の光子のエネルギーが熱になる。
Ａの値が全て同じである事から、表に記した太陽の深さにおける温度と電子のラブの軌道は正しい事が証明できた。
○その場の温度と電子のラブの軌道の関係式はどのようであるか。
Ａ＝３．７８１×１０８回転ですから、
１回転の電気の光子のエネルギー×３．７８１×１０８回転＝１電子のラブが作る熱となるエネルギー
１０−３９Ｊｍ÷電子のラブの軌道×３．７８１×１０８回転＝１電子のラブが作る熱となるエネルギー
１電子が作る熱となるエネルギー÷１℃のエネルギー＝その場の温度℃１／２
１電子が作る熱となるエネルギー÷（３．７８１２×１０−２１Ｊ）＝その場の温度℃１／２
１０−３９Ｊｍ÷電子のラブの軌道×３．７８１×１０８回転÷（３．７８１２×１０−２１Ｊ）＝その場の温度℃１／２
１０−１０ｍ÷電子のラブの軌道＝その場の温度１／２
例えば、太陽の深さが７×１０５Ｋｍの場合。
電子のラブの軌道は２．５８２×１０−１４ｍです。
１０−１０ｍ÷電子のラブの軌道＝１０−１０ｍ÷（２．５８２×１０−１４ｍ）＝３．８７３×１０３＝（１５×１０６）１／２＝その場の温度１／２
１６．光子が太陽の深い場から、１Ｋｍの場に来るとき、光子の軌道は何倍になり、エネルギーは何分の１になるか。
太陽の中央になるほど、電子のラブの軌道は収縮しています。それで、光子も収縮しています。光子は太陽の外側に進むにつれて、軌道を拡大します。
太陽の表面では、光子の軌道は、表面で電子のラブが作る光子の軌道と同じに成ります。
電子のラブの軌道が縮小した分だけ拡大します。
○太陽の深さ１Ｋｍの場に光子が来たとき、光子の軌道は何倍に拡大し、エネルギーは何分の１に縮小するか。
・深さ７×１０５Ｋｍと６×１０５Ｋｍの場合。
太陽の表面１Ｋｍでは、電子のラブの軌道は、１．５２５×１０−１２ｍです。
深さ７×１０５Ｋｍでは、電子のラブの軌道は、２．５８２×１０−１４ｍです。
電子のラブの軌道は、１．５２５×１０−１２ｍ÷（２．５８２×１０−１４ｍ）＝５９．０７分の１に収縮しています。
その光子が、太陽の表面１Ｋｍの場に来たとき、光子の軌道は、５９．０７倍に拡大し、エネルギーは５９．０７分の１になります。
・深さ５×１０５Ｋｍの場合。
太陽の表面１Ｋｍでは、電子のラブの軌道は、１．５２５×１０−１２ｍです。
深さ５×１０５Ｋｍでは、電子のラブの軌道は、２．９１７×１０−１４ｍです。
電子のラブの軌道は、１．５２５×１０−１２ｍ÷（２．９１７×１０−１４ｍ）＝５２．２８分の１に収縮しています。
その光子が、太陽の表面１Ｋｍの場に来たとき、光子の軌道は、５２．２８倍に拡大し、エネルギーは５２．２８分の１になります。
・深さ４×１０５Ｋｍの場合。
太陽の表面１Ｋｍでは、電子のラブの軌道は、１．５２５×１０−１２ｍです。
深さ４×１０５Ｋｍでは、電子のラブの軌道は、３．４３×１０−１４ｍです。
電子のラブの軌道は、１．５２５×１０−１２ｍ÷（３．４３×１０−１４ｍ）＝４４．４６分の１に収縮しています。
その光子が、太陽の表面１Ｋｍの場に来たとき、光子の軌道は、４４．４６倍に拡大し、エネルギーは４４．４６分の１になります。
・深さ３×１０５Ｋｍの場合。
太陽の表面１Ｋｍでは、電子のラブの軌道は、１．５２５×１０−１２ｍです。
深さ３×１０５Ｋｍでは、電子のラブの軌道は、４．３６７×１０−１４ｍです。
電子のラブの軌道は、１．５２５×１０−１２ｍ÷（４．３６７×１０−１４ｍ）＝３４．９２分の１に収縮しています。
その光子が、太陽の表面１Ｋｍの場に来たとき、光子の軌道は、３４．９２倍に拡大し、エネルギーは３４．９２分の１になります。
・深さ２×１０５Ｋｍの場合。
太陽の表面１Ｋｍでは、電子のラブの軌道は、１．５２５×１０−１２ｍです。
深さ２×１０５Ｋｍでは、電子のラブの軌道は、７．０７×１０−１４ｍです。
電子のラブの軌道は、１．５２５×１０−１２ｍ÷（７．０７×１０−１４ｍ）＝２１．５７分の１に収縮しています。
その光子が、太陽の表面１Ｋｍの場に来たとき、光子の軌道は、２１．５７倍に拡大し、エネルギーは２１．５７分の１になります。
・深さ１０５Ｋｍの場合。
太陽の表面１Ｋｍでは、電子のラブの軌道は、１．５２５×１０−１２ｍです。
深さ１０５Ｋｍでは、電子のラブの軌道は、１０−１３ｍです。
電子のラブの軌道は、１．５２５×１０−１２ｍ÷１０−１３ｍ＝１５．２５分の１に収縮しています。その光子が、太陽の表面１Ｋｍの場に来たとき、光子の軌道は、１５．２５倍に拡大し、エネルギーは１５．２５分の１になります。
・深さ１０４Ｋｍの場合。
太陽の表面１Ｋｍでは、電子のラブの軌道は、１．５２５×１０−１２ｍです。
深さ１０４Ｋｍでは、電子のラブの軌道は、３．１６２×１０−１３ｍです。
電子のラブの軌道は、１．５２５×１０−１２ｍ÷（３．１６２×１０−１３ｍ）＝４．８２分の１に収縮しています。
その光子が、太陽の表面１Ｋｍの場に来たとき、光子の軌道は、４．８２倍に拡大し、エネルギーは４．８２分の１になります。
・深さ１０３Ｋｍの場合。
太陽の表面１Ｋｍでは、電子のラブの軌道は、１．５２５×１０−１２ｍです。
深さ１０３Ｋｍでは、電子のラブの軌道は、１０−１２ｍです。
電子のラブの軌道は、１．５２５×１０−１２ｍ÷１０−１２ｍ＝１．５２５分の１に収縮しています。その光子が、太陽の表面１Ｋｍの場に来たとき、光子の軌道は、１．５２５倍に拡大し、エネルギーは１．５２５分の１になります。
・深さ４×１０２Ｋｍの場合。
太陽の表面１Ｋｍでは、電子のラブの軌道は、１．５２５×１０−１２ｍです。
深さ４×１０２Ｋｍでは、電子のラブの軌道は、１．２５×１０−１２ｍです。
電子のラブの軌道は、１．５２５×１０−１２ｍ÷（１．２５×１０−１２ｍ）＝１．２２分の１に収縮しています。
その光子が、太陽の表面１Ｋｍの場に来たとき、光子の軌道は、１．２２倍に拡大し、エネルギーは１．２２分の１になります。
○太陽の深さと、電子のラブの軌道と、太陽の表面１Ｋｍの場に来たとき、光子は何倍に拡大するか。
2006353099.tif 000014
2006353099.tif 000015
１７．  太陽から出発する熱エネルギーと、引力エネルギーについて。
光子が、太陽の深さ１Ｋｍに来たとき、１Ｋｍの場の電子のラブが作る光子の軌道になり、エネルギーになっている。
この光子が更に軌道を拡大し、太陽の表面から出発する。
太陽から出発する光子は、大きな軌道に成った光子です。
太陽から出発する光子の軌道を１０ａｍとする。
○太陽から出発する熱エネルギーの場合。
電子のラブが３．７８１×１０８回公転してできる電気の光子のエネルギーが熱のエネルギーに成ります。
このエネルギーは、１０−３９Ｊｍ÷１０ａｍ×３．７８１×１０８回＝３．８７１×１０−３１−ａＪです。
太陽の原子の数は、太陽の質量÷原子の質量、です。
太陽の質量は、１．９８９×１０３０Ｋｇであり、原子の質量は、１．６６０６×１０−２７Ｋｇです。
太陽の原子の数＝１．９８９×１０３０Ｋｇ÷（１．６６０６×１０−２７Ｋｇ）＝１．２×１０５７個です。
それで、太陽全体でできる熱となるエネルギーは、太陽の原子の数×１電子のラブでできる熱になる電気の光子のエネルギー＝１．２×１０５７個×３．８７１×１０−３１−ａＪ＝４．６４５×１０２６−ａＪです。
例えば、太陽から出発する場の電子のラブの軌道を１０−１０ｍとすると、太陽から出発する熱になる総エネルギーは、４．６４５×１０２６−ａＪ＝４．６４５×１０２６＋１０Ｊ＝４．６４５×１０３６Ｊです。
これを、温度にすると、４．６４５×１０３６Ｊ÷（１℃のエネルギー）＝４．６４５×１０３６Ｊ÷（３．７８１２×１０−２１Ｊ）＝１．２２８×１０５７Ｊ＝温度℃１／２
温度＝（１．２２８×１０５７Ｊ）２℃＝１．５×１０１１４℃です。
○太陽から出発する引力の場合。
電子のラブが４．９６×１０６回自転してできる磁気の光子のエネルギーが引力のエネルギーに成ります。
このエネルギーは、１０−５５Ｊｍ÷１０ａ−８ｍ×４．９６×１０６回＝４．９６×１０−４１−ａＪです。
太陽全体でできる引力となる総エネルギーは、太陽の原子の数×１電子のラブでできる引力となる磁気の光子のエネルギー＝１．２×１０５７個×４．９６×１０−４１−ａＪ＝５．９５２×１０１６−ａＪです。
例えば、太陽から出発する電気の光子の軌道を１０−１０ｍとすると、
太陽から出発する引力になる総エネルギーは、５．９５２×１０１６−ａＪ＝５．９５２×１０１６＋１０Ｊ＝５．９５２×１０２６Ｊです。
引力はこの２乗です。
（５．９５２×１０２６Ｊ）２＝３．５４３×１０５３Ｊです。
この万有引力定数はいくらか。
１Ｋｇで引力となる磁気の光子のエネルギーは、
１原子のラブで引力になる磁気の光子のエネルギー×６．０２１９×１０２６個＝４．９６×１０−４１−ａＪ×６．０２１９×１０２６個＝２．９８７×１０−１４−ａＪ    ２．９８７×１０−１４−ａです。
それで、万有引力定数は、１Ｋｇで引力となる磁気の光子のエネルギーの２乗ですから、
（２．９８７×１０−１４−ａ）２＝８．９２２×１０−２８−２ａです。
１８．  太陽の深さにおいて、引力はどのようであるか。その場の万有引力定数はどのようであるか。その場の万有引力定数は地球表面の万有引力定数の何倍か。
・７×１０５Ｋｍと６×１０５Ｋｍの場合。
電子のラブの軌道は２．５８２×１０−１４ｍですから、磁気の光子のエネルギーは、
１０−５５Ｊｍ÷（２．５８２×１０−１４−８ｍ）＝３．８７３×１０−３４Ｊです。
電子のラブが４．９６×１０６回自転してできる磁気の光子のエネルギーが太陽の引力になるとします。
引力に成る磁気の光子のエネルギーは、３．８７３×１０−３４Ｊ×４．９６×１０６回＝１．９２１×１０−２７Ｊです。
万有引力定数＝（この場の１Ｋｇでできる引力と成る磁気の光子のエネルギー）２ですから、
この場の万有引力定数は、
（３．８７３×１０−３４Ｊ×４．９６×１０６回×６．０２１９×１０２６個）２＝１．３３８Ｊ    １．３３８です。
これは、地球の万有引力定数の何倍か。
１．３３８÷（６．６７２×１０−１１）＝２．００５×１０１０倍です。
この倍数は、地表の電子のラブの軌道÷太陽の深さにおける電子のラブの軌道、の２乗です。
｛３．６５７×１０−９ｍ÷（２．５８２×１０−１４ｍ）｝２＝（１．４１６×１０５）２＝２．００５×１０１０
・５×１０５Ｋｍの場合。
電子のラブの軌道は２．９１７×１０−１４ｍですから、磁気の光子のエネルギーは、
１０−５５Ｊｍ÷（２．９１７×１０−１４−８ｍ）＝３．４２８×１０−３４Ｊです。
引力に成る磁気の光子のエネルギーは、３．４２８×１０−３４Ｊ×４．９６×１０６回＝１．７×１０−２７Ｊです。
この場の万有引力定数は、
（３．４２８×１０−３４Ｊ×４．９６×１０６回×６．０２１９×１０２６個）２＝１．０４８Ｊ    １．０４８です。
これは、地球の万有引力定数の何倍か。
１．０４８÷（６．６７２×１０−１１）＝１．５７１×１０１０倍です。
この倍数は、地表の電子のラブの軌道÷太陽の深さにおける電子のラブの軌道、の２乗です。
｛３．６５７×１０−９ｍ÷（２．９１７×１０−１４ｍ）｝２＝（１．２５４×１０５）２＝１．５７２×１０１０・４×１０５Ｋｍの場合。
電子のラブの軌道は３．４３×１０−１４ｍですから、磁気の光子のエネルギーは、
１０−５５Ｊｍ÷（３．４３×１０−１４−８ｍ）＝２．９１５×１０−３４Ｊです。
引力に成る磁気の光子のエネルギーは、２．９１５×１０−３４Ｊ×４．９６×１０６回＝１．４４６×１０−２７Ｊです。
この場の万有引力定数は、
（２．９１５×１０−３４Ｊ×４．９６×１０６回×６．０２１９×１０２６個）２＝０．７５８Ｊ    ０．７５８です。
これは、地球の万有引力定数の何倍か。
０．７５８÷（６．６７２×１０−１１）＝１．１３６×１０１０倍です。
・３×１０５Ｋｍの場合。
電子のラブの軌道は４．３６７×１０−１４ｍですから、磁気の光子のエネルギーは、
１０−５５Ｊｍ÷（４．３６７×１０−１４−８ｍ）＝２．２９×１０−３４Ｊです。
引力に成る磁気の光子のエネルギーは、２．２９×１０−３４Ｊ×４．９６×１０６回＝１．１３６×１０−２７Ｊです。
この場の万有引力定数は、
（２．２９×１０−３４Ｊ×４．９６×１０６回×６．０２１９×１０２６個）２＝０．４６８Ｊ    ０．４６８です。
これは、地球の万有引力定数の何倍か。
０．４６８÷（６．６７２×１０−１１）＝７×１０９倍です。
・２×１０５Ｋｍの場合。
電子のラブの軌道は７．０７×１０−１４ｍですから、磁気の光子のエネルギーは、
１０−５５Ｊｍ÷（７．０７×１０−１４−８ｍ）＝１．４１４×１０−３４Ｊです。
引力に成る磁気の光子のエネルギーは、１．４１４×１０−３４Ｊ×４．９６×１０６回＝７．０１３×１０−２７Ｊです。
この場の万有引力定数は、
（１．４１４×１０−３４Ｊ×４．９６×１０６回×６．０２１９×１０２６個）２＝０．１７８Ｊ    ０．１７８です。
これは、地球の万有引力定数の何倍か。
０．１７８÷（６．６７２×１０−１１）＝２．６７３×１０９倍です。
・１０５Ｋｍの場合。
電子のラブの軌道は１０−１３ｍですから、磁気の光子のエネルギーは、
１０−５５Ｊｍ÷１０−１３−８ｍ＝１０−３４Ｊです。
引力に成る磁気の光子のエネルギーは、１０−３４Ｊ×４．９６×１０６回＝４．９６×１０−２８Ｊです。
この場の万有引力定数は、
（１０−３４Ｊ×４．９６×１０６回×６．０２１９×１０２６個）２＝０．０８９２Ｊ    ０．０８９２です。
これは、地球の万有引力定数の何倍か。
０．０８９２÷（６．６７２×１０−１１）＝１．３３７×１０９倍です。
・１０４Ｋｍの場合。
電子のラブの軌道は３．１６２×１０−１３ｍですから、磁気の光子のエネルギーは、
１０−５５Ｊｍ÷（３．１６２×１０−１３−８ｍ）＝３．１６２×１０−３５Ｊです。
引力に成る磁気の光子のエネルギーは、３．１６２×１０−３５Ｊ×４．９６×１０６回＝１．５６８×１０−２８Ｊです。
この場の万有引力定数は、
（３．１６２×１０−３４Ｊ×４．９６×１０６回×６．０２１９×１０２６個）２＝８．９２×１０−３Ｊ    ８．９２です。
これは、地球の万有引力定数の何倍か。
８．９２×１０−３÷（６．６７２×１０−１１）＝１．３３７×１０８倍です。
・１０３Ｋｍの場合。
電子のラブの軌道は１０−１２ｍですから、磁気の光子のエネルギーは、
１０−５５Ｊｍ÷１０−１２−８ｍ＝１０−３５Ｊです。
引力に成る磁気の光子のエネルギーは、１０−３５Ｊ×４．９６×１０６回＝４．９６×１０−２９Ｊです。
この場の万有引力定数は、
（１０−３５Ｊ×４．９６×１０６回×６．０２１９×１０２６個）２＝８．９２２×１０−４Ｊ    ８．９２２×１０−４です。
これは、地球の万有引力定数の何倍か。
８．９２２×１０−４÷（６．６７２×１０−１１）＝１．３３７×１０７倍です。
・４×１０２Ｋｍの場合。
電子のラブの軌道は１．２５×１０−１２ｍですから、磁気の光子のエネルギーは、
１０−５５Ｊｍ÷（１．２５×１０−１２−８ｍ）＝８×１０−３６Ｊです。
引力に成る磁気の光子のエネルギーは、８×１０−３６Ｊ×４．９６×１０６回＝３．９６８×１０−２９Ｊです。
この場の万有引力定数は、
（８×１０−３６Ｊ×４．９６×１０６回×６．０２１９×１０２６個）２＝５．７０７×１０−４Ｊ    ５．７０７×１０−４です。
これは、地球の万有引力定数の何倍か。
５．７０７×１０−４÷（６．６７２×１０−１１）＝８．５５４×１０６倍です。
・１Ｋｍの場合。
電子のラブの軌道は１．５２５×１０−１２ｍですから、磁気の光子のエネルギーは、
１０−５５Ｊｍ÷（１．５２５×１０−１２−８ｍ）＝６．５５７×１０−３６Ｊです。
引力に成る磁気の光子のエネルギーは、６．５５７×１０−３６Ｊ×４．９６×１０６回＝３．２５２×１０−２９Ｊです。
この場の万有引力定数は、
（６．５５７×１０−３６Ｊ×４．９６×１０６回×６．０２１９×１０２６個）２＝３．８３４×１０−４Ｊ    ３．８３４×１０−４です。
これは、地球の万有引力定数の何倍か。
３．８３４×１０−４÷（６．６７２×１０−１１）＝５．７４６×１０６倍です。
○太陽の深さにおける、電子のラブの軌道と、磁気の光子のエネルギーと、１電子のラブでできる引力になる磁気の光子のエネルギーと、その場の万有引力定数と、その場の万有引力定数は地球の万有引力定数の何倍かを示す。
2006353099.tif 000016
2006353099.tif 000017
太陽の中心に近づくほど、磁気の光子のエネルギーは大きくなり、引力が大きくなる。
太陽の中心に近づくほど、１電子のラブでできる引力と成る磁気の光子のエネルギーが大きくなる。
太陽の中心に近づくほど、その場の万有引力定数は大きくなる。
１９．  太陽の万有引力定数はいくらか。太陽の重力はいくらか。
○太陽の万有引力定数はいくらか。
▲１▼太陽で、１電子でできる引力と成る磁気の光子のエネルギーは、３．２５２×１０−２９Ｊです。
地球で、１電子でできる引力と成る磁気の光子のエネルギーは、１．３５６×１０−３２Ｊです。
太陽の引力と成る磁気の光子のエネルギーは、地球の引力と成る磁気の光子のエネルギーの、
３．２５２×１０−２９Ｊ÷（１．３５６×１０−３２Ｊ）＝２．３９８×１０３倍です。
引力はこの２乗ですから、
（２．３９８×１０３倍）２＝５．７５×１０６倍です。
それで、太陽の引力定数は、
６．６７２×１０−１１×５．７５×１０６＝３．８３６×１０−４
太陽の引力定数は３．８３６×１０−４Ｎｍ２／Ｋｇ２です。
又次のようにも考えられる。
▲２▼太陽の万有引力は、
（１電子のラブでできる引力と成るエネルギー×６．０２１９×１０２６個）２＝（１０−５５Ｊｍ÷１０ａ−８ｍ×４．９６×１０６×６．０２１９×１０２６個）２＝（２．９８７×１０−１４−ａ）２＝８．９２２×１０−２８−２ａです。
▲３▼ａはいくらか。
３．８３６×１０−４＝８．９２２×１０−２８−２ａですから、−４＝−２８−２ａ    ａ＝−１２です。
よって、太陽を出発する光子の軌道は１０−１２ｍです。
○太陽の重力はいくらか。
太陽の質量＝１．９８９×１０３０Ｋｇ    太陽の半径＝６．９５５×１０８ｍ
太陽の重力＝１×太陽の万有引力×太陽の質量÷太陽の半径２＝３．８３６×１０−４×１．９８９×１０３０Ｋｇ÷（６．９５５×１０８ｍ）２＝１．５７７×１０９です。
太陽の重力は１．５７５×１０９です
２０．  太陽の中心核で、中性子ができるのはどうしてか。
中性子とは、電子のラブと陽子のラブが結合し、結合した状態で、一緒に自転し、公転することです。
どうして、電子のラブと陽子のラブが結合することができるのか。
太陽の中心核で中性子ができるのは、電子のラブの軌道が陽子のラブに近づき、引力が大きくなるためです。
この事を次の３点から解明する。
▲１▼引力を電子のラブの公転軌道の大きさにより計算する。
▲２▼引力を磁気の光子のエネルギーにより計算する。
▲３▼引力を電子のラブと陽子のラブの間の距離から計算する。
▲１▼引力を電子のラブの公転軌道の大きさにより計算する。
太陽の中心核の電子のラブの軌道は、２．５８×１０−１４ｍです。地表の電子のラブの軌道は、１０−１０ｍとします。
中心核の電子のラブの公転軌道は、地表の電子のラブの公転軌道の、
２．５８×１０−１４ｍ÷１０−１０ｍ＝２．５８×１０−４倍です。
それで、引力は、
１÷（２．５８×１０−４）２＝１÷（６．６５６×１０−８）＝１．５×１０７倍です。
▲２▼引力を磁気の光子のエネルギーにより計算する。
磁気の光子の１個の軌道エネルギーは、１．２５×１０−１８ｍ×８×１０−３８Ｊ＝１０−５５Ｊｍです。
地上における、電子のラブの軌道は１０−１０ｍで、磁気の光子の軌道は１０−１８ｍで、磁気の光子１個のエネルギーは、１０−５５Ｊｍ÷１０−１８ｍ＝１０−３７Ｊです。
太陽の中心核における、電子のラブの軌道は２．５８×１０−１４ｍです
磁気の光子の軌道は、２．５８×１０−１４−８ｍ＝２．５８×１０−２２ｍです。
磁気の光子のエネルギーは、
１０−５５Ｊｍ÷（２．５８×１０−２２ｍ）＝３．８７６×１０−３４Ｊです。
太陽の磁気の光子のエネルギーは、地球の磁気の光子のエネルギーの、
３．８７６×１０−３４Ｊ÷１０−３７Ｊ＝３．８７６×１０３倍です。
引力は、この２乗ですから、（３．８７６×１０３倍）２＝１．５×１０７倍です。
▲３▼引力を電子のラブと陽子のラブの間の距離から計算する。
地上では、電子のラブと陽子のラブの距離は、約１０−１０ｍ÷２＝５×１０−１１ｍです。
それで、電子のラブと陽子のラブの間に働く力は、距離の２乗に反比例するから、力は、
力＝電子のラブのエネルギー×陽子のラブのエネルギー÷距離２＝８×１０−１４Ｊ×１．５×１０−１０Ｊ÷（５×１０−１１ｍ）２＝４．８×１０−３です。
太陽の中心核では、電子のラブと陽子のラブの距離は、約２．５８×１０−１４ｍ÷２＝１．２９×１０−１４ｍです。
それで、電子のラブと陽子のラブの間に働く力は、距離の２乗に反比例するから、力は、
力＝電子のラブのエネルギー×陽子のラブのエネルギー÷距離２＝８×１０−１４Ｊ×１．５×１０−１０Ｊ÷（１．２９×１０−１４ｍ）２＝７．２×１０４です。
それで、太陽の中心核の電子のラブの引力は、地上の電子のラブの引力の何倍か。
７．２×１０４÷（４．８×１０−３）＝１．５×１０７    １．５×１０７倍です。
２１．  星ができる条件は何か。
星ができる条件は、中性子ができる軌道が存在する事です。電子のラブの公転軌道が２．５８×１０−１４ｍになる場が存在することです。
２２．  星の中で中性子はどのようになっているか。
現代の通説では、星の中で、鉄までの元素ができ、それより重い元素は星が爆発した時、一瞬の内にできる、と考えられています。
この点で、問題になるのは、はたして、星の中で元素はできるのでしょうか、ということです。
中性子ができる軌道（＝通説では核融合反応がおきる軌道）より星の中央に近い場では、陽子や電子は単独では存在しません。
全ての電子のラブの軌道は１０−１４ｍより小さくなり、陽子のラブと結合し、中性子として存在します。
中性子ができる軌道より星の中央に近い場では、中性子より存在しません。
それで、星の中で元素はできません。
星の中央に存在するのは、中性子の固まりだけです。
中性子ができる電子のラブの軌道（約１０−１４ｍ）より小さな電子のラブの軌道の場では、中性子だけより存在しません。
そして、星の中央に進むにつれて、密度が大きくなるので、中性子はよりたくさん集まり、球体となります。
▲１▼これを、“中性子の球体”と名づけます。
▲２▼“中性子の球体”は、星の中央になるに従って、高密度に成り、中性子の数を多くします。
▲３▼“中性子の球体”は、元素の基です。
▲４▼“中性子の球体”は、星が爆発した時、元素になります。
初め、中性子２個の球体に成ります。それから中央に進むに連れて、中性子４個の球体に成ります。それから、中性子６個の球体に成ります。それから、中性子８個の球体に成ります。・・・・中性子１００個の球体になります。・・・・中性子２００個の球体に成ります。
中性子が集まり球体に成るのですから、鉄はできません。
元素は存在できません。
鉄という最も硬い元素が存在するようになるのは、星が爆発した後です。
元素が存在するようになるのは、星が爆発した後です。
ヘリュウムができるのも、星が爆発した後です。
２３．  “中性子の球体”の中性子の数と電子のラブの公転軌道について。
電子のラブの軌道が約１０−１４ｍのとき、電子のラブと陽子のラブは一緒に成り、中性子に成ります。
中性子が１０個集まり、中性子１０個の球体となる場の電子のラブの公転軌道はいくらか。
電子のラブの軌道が１／１０に成ると、エネルギーは１０倍に成ります。
その場では、中性子が１０個球体と成って存在します。
即ち、電子のラブの軌道が１０−１４ｍの場では、中性子ができます。
電子のラブの軌道が１０−１５ｍの場では、中性子は１０個の球体になって存在する。
電子のラブの軌道が１０−１６ｍの場では、中性子は１００個の球体になって存在する。
電子のラブの軌道が５×１０−１７ｍの場では、中性子は２００個の球体になって存在する。
電子のラブの軌道が８×１０−１５ｍの場では、“中性子２個の球体”になって存在する。
電子のラブの軌道が６×１０−１５ｍの場では、“中性子４個の球体”になって存在する。
電子のラブの軌道が４×１０−１５ｍの場では、“中性子６個の球体”になって存在する。
電子のラブの軌道が２×１０−１５ｍの場では、“中性子８個の球体”になって存在する。
これは、軌道が１０−１４ｍのように小さくなると、軌道が１／１０になると、密度は１０倍になるからです。
軌道が小さくなると、軌道の大きさと密度は反比例します。
２４．  軌道が小さくなると、電子のラブの軌道の大きさと密度は反比例する事はどうして理解できるか。特性Ｘ線から考察する。図４
電子のラブの密度は、Ｎ殻における電子のラブの軌道と、その軌道に存在する電子のラブの数です。
▲１▼電子のラブの大きさは、最も小さい特性Ｘ線から推測できる。
▲２▼Ｎ殻に存在する電子のラブの数は、原子番号−Ｋ殻の電子のラブの数−Ｌ殻の電子のラブの数−Ｍ殻の電子のラブの数  です。
それは、Ｎ殻の電子のラブの軌道の中に、原子番号−Ｋ殻の電子のラブの数−Ｌ殻の電子のラブの数−Ｍ殻の電子のラブの数＝原子番号−２−１６−１６  個の電子のラブが存在する事から理解できます。
▲１▼電子のラブの大きさは、最も小さい特性Ｘ線から推測できる。
この理由は、Ｋ系特性Ｘ線のＫ吸収端は、Ｌ殻の電子のラブがＫ殻に移動する時放出する特性Ｘ線のうちで、最も波長の小さなＸ線です。Ｋ吸収端のＸ線は、Ｌ殻の電子のラブの公転軌道に最も近くを回転しているＸ線ですから、このＸ線の軌道（波長÷２）を、Ｌ殻の電子のラブの公転軌道であるとみなす事ができる。
同様にＬ系の最も小さな特性Ｘ線の波長÷２を、Ｍ殻の電子のラブの公転軌道とみなす事ができる。
同様にＭ系の最も小さな特性Ｘ線の波長÷２を、Ｎ殻の電子のラブの公転軌道とみなす事ができる。
Ｍ系の最も小さな特性Ｘ線の波長は、Ｍ系のγ特性Ｘ線ですから、
Ｎ殻の電子のラブの軌道はＭ系のγ特性Ｘ線の波長÷２  とします。
▲２▼Ｎ殻に存在する電子のラブの数は、原子番号−Ｋ殻の電子のラブの数−Ｌ殻の電子のラブの数−Ｍ殻の電子のラブの数  です。
電子のラブは、Ｋ殻に２個です。Ｌ殻には１６個です。Ｍ殻にも１６個と考えます。
Ｎ殻に存在する電子のラブの数は、原子番号−Ｋ殻の電子のラブの数−Ｌ殻の電子のラブの数−Ｍ殻の電子のラブの数＝原子番号−２−１６−１６＝原子番号−３４です。
例えば、ウランの場合、Ｎ殻には、９２−２−１６−１６＝５８  個の電子のラブが存在します。
それでは、Ｎ殻の電子のラブの軌道の大きさとＮ殻の密度（Ｎ殻の電子のラブの数）は反比例するのでしょうか。
○元素名と、Ｍ系のγ特性Ｘ線の波長と、Ｎ殻の電子のラブの軌道（Ｍ系のγ特性Ｘ線の波長÷２）と、Ｎ殻の電子のラブの数と、Ｎ殻の電子のラブの軌道×Ｎ殻の電子のラブの数を示す。
2006353099.tif 000018
2006353099.tif 000019
表により、Ｎ殻の電子のラブの軌道×Ｎ殻の電子のラブの数≒一定です。
この事により、中性子ができた軌道より小さい軌道では、軌道の大きさと中性子の数は反比例することが理解できる。
よって、軌道が小さくなるほど、球体の中性子の数は多くなる。
又、この事は、請求項１１番の地球の円周にどれだけの分子が並んでいるか、によっても理解できる。
２５．  地球の元素ができるためには、星の質量はどれ位でなければならないか。
地球の元素の基は、１世代の星の中でできました。太陽は２世代の星です。
地球に存在する元素の中で、最大核子数を２５０とします。
太陽でできる元素は核子数が４のヘリュウムですから、２５０÷４＝６２．５倍の核子です。
それで、太陽の質量の６２．５倍の星です。
１世代の星の質量は太陽の質量の６２．５倍でした。
２６．  星が爆発するとどのようになるか。図５
星が爆発すると、“中性子の球体”は、絶対０度の宇宙に出ます。
そして、絶対０度の空間と調和するため、中性子の約半分は電子と陽子になります。
電子は、絶対０度の空間と調和するため、Ｋ殻、Ｌ殻、Ｍ殻、Ｎ殻となり、軌道を大きくしエネルギーを小さくします。
それで、絶対０度の宇宙空間に存在する事ができます。
中性子が存在できるエネルギーの場は、電子のラブの軌道が２．５８×１０−１４ｍ以下の場です。
それ以上の電子のラブの軌道の場では、中性子の電子のラブは、自分の軌道を、その場に合わせて大きくします。これが、中性子の崩壊です。
“中性子の球体”の半分の中性子は２．５８×１０−１４ｍ以下の場に居ます。
他の半分の中性子は陽子と電子に崩壊します。
電子は、Ｋ殻、Ｌ殻、Ｍ殻、Ｎ殻に分かれて回転します。
２７．  ニュートリノとはどのような物か。図６
ニュートリノとは中性子ができる時、電子のラブが脱出した電気の光子の軌道です。
ニュートリノの軌道は、２．５８×１０−１４ｍです。エネルギーは、１０−３９Ｊｍ÷（２．５８×１０−１４ｍ）＝３．９×１０−２６Ｊです。但し、これは電気の光子が１回転のエネルギーです。
電子のラブが公転していた軌道にはたくさんの電気の光子の輪があるはずです。
それで、仮に１０８個の電気の光子の輪があるとすると、そのエネルギーは、３．９×１０−２６Ｊ×１０８個＝３．９×１０−１８Ｊです。質量は、３．９×１０−１８Ｊ÷（９×１０１６）＝４．３×１０−３５Ｋｇです。
電子のラブが脱出した電気の光子の軌道にあった磁気の光子は、太陽の中を時間をかけて、進みます。
太陽の中を、磁気の光子は軌道を拡大しながら進みます。
そして、太陽を出発する時は、太陽の表面の電子のラブが作る光子の軌道に成って、出発します。
太陽を抜け出した磁気の光子は太陽の引力であり、太陽圏の惑星を引いています。
２８．  太陽の中心に、はたしてヘリュウムの原子核はできているのか。
太陽の中心核で、電子のラブの軌道は２．５８×１０−１４ｍになっています。
これより太陽の中心に近い場では、中性子だけが存在します。“２個の中性子の球体”と“４個の中性子の球体”が存在します。陽子は単独で存在しません。陽子の質量エネルギーは中性子の質量エネルギーより小さいからです。それで、太陽の中心にヘリュウムの原子核は存在しません。
ただし、核融合の実験を地上で行う場合、その場は、電子のラブの軌道は２．５８×１０−１４ｍになっていないので、４個の中性子の球体のうち、２個の中性子は、陽子と電子になり、ヘリュウムができます。これは、星が爆発した時と同じ現象です。
【発明の効果】
【０００６】この発明によって次の事が理解できた。
１．地球の中の熱には２種類の熱がある。
１つは電子のラブの軌道が収縮する事によってできる熱です。この熱を、“電子のラブが収縮してできた熱”と名づけます。
１．地表で、電子のラブの軌道は１０−１０ｍとします。地表の温度は１℃とします。
電子のラブの軌道と温度の関係式は、
電子のラブの軌道＝１０−１０ｍ÷温度１／２  です。
但しこの温度は電子のラブが収縮する事によってできる熱です。
１．地球の中で、密度がＡ倍ですと、軌道はＡ３分の１です。
電子のラブの軌道＝１０−１０ｍ÷Ａ３
地殻の密度は３ですから、密度の倍数は、密度÷３です。
それで、電子のラブの軌道＝１０−１０ｍ÷Ａ３＝１０−１０ｍ÷（密度÷３）３  です。
１．地球の中で、電子のラブの軌道が１０ａ分の１に収縮すると、その場の温度は１０２ａ倍になる。
１．地球の中に進むにつれて、質量に押されて電子のラブの軌道は小さくなる。
地表で、温度は１℃で、地下６０００Ｋｍで６０００℃ですから、１Ｋｍで１℃ずつ温度は上がる。
この温度は、電子のラブの軌道が少しずつ収縮するためにできる熱と考える。
この事から、地球の深さにおける、電子のラブの軌道を知る事ができる。
電子のラブの軌道＝１０−１０ｍ÷温度（℃）１／２＝１０−１０ｍ÷深さ（Ｋｍ）１／２
１．地球の深さにおける温度と密度から、電子のラブの軌道の実際値が解った。
１．地球の場合、電子のラブが１．３８３×１０１０回公転してできる電気の光子のエネルギーが熱エネルギーに成る。。
１．電子のラブの軌道がＡｍである場合、熱は、３．６５８×１０−９÷Ａ（℃）である。
１．地球の中央になるほど、電子のラブの軌道が小さくなるので、電子のラブの自転によってできる磁気の光子の軌道も小さくなる。磁気の光子の軌道が小さくなるので、磁気の光子のエネルギーは大きくなる。
地球の中央になるほど、磁気の光子のエネルギーは大きくなり、引力は大きくなる。
．１．地球の中央でできる、温度が７６００Ｋの光子（電子のラブの軌道が小さくなることによってできる、高エネルギーの光子）が、地球の中央から放射する現象は、地球の中央から磁気の光子が放射する事であり、引力が地球の中央から放射している状態です。
１．地球の引力は、電子のラブが４．９６×１０６回自転してできる磁気の光子のエネルギーです。
１．地球の深さにおける、磁気の光子のエネルギーと、原子の数と、できる磁気の光子の総エネルギーと、地表に出たとき、光子の軌道はどれだけ拡大するかと、地表に成る時の磁気の光子の総エネルギー。
１．円周に並ぶ分子の個数＝円周÷分子の軌道
円周＝円周に並ぶ分子の個数×分子の軌道
密度＝円周に並ぶ分子の個数÷円周＝円周に並ぶ分子の個数÷（円周に並ぶ分子の個数×分子の軌道）＝１÷分子の軌道
よって、密度×分子の軌道＝１
密度と分子の軌道は反比例する。
１．太陽の中心核の熱は“電子のラブが収縮してできた熱”です。
１．太陽の中心核の温度は１．５×１０７Ｋですから、この場の電子のラブの軌道は、
１０−１０ｍ÷（１．５×１０７）１／２＝１０−１０ｍ÷（１５×１０６）１／２＝１０−１０ｍ÷（３．８７３×１０３）＝２．５８２×１０−１４ｍです。
１．放射層はまっすぐ放射されるので、この間は温度と距離は比例するから、
ｙ＝ａｘ＋ｂの式で示される。
ｙ＝温度で、単位は１０６Ｋです。ｘ＝太陽の深さの距離で、単位は１０５Ｋｍです。
温度と太陽の深さの距離の式は、ｙ＝３．２５ｘ−４．５  です。
１．太陽の場合、電子のラブが３．７８１×１０８回公転してできる電気の光子のエネルギーが熱になる。
１．太陽の中でできた光子は、太陽の表面１Ｋｍの場にきた時、光子の軌道は収縮した分だけ拡大する。
２．太陽を出発する電気の光子の軌道を１０ａｍとする。太陽全体でできる熱となるエネルギーは、太陽の原子の数×１電子のラブでできる熱になる電気の光子のエネルギー＝１．２×１０５７個×３．８７１×１０−３１−ａＪ＝４．６４５×１０２６−ａＪです。
１．太陽を出発する電気の光子の軌道を１０ａｍとする。太陽全体でできる引力となる総エネルギーは、太陽の原子の数×１電子のラブでできる引力となる磁気の光子のエネルギー＝１．２×１０５７個×４．９６×１０−４１−ａＪ＝５．９５２×１０１６−ａＪです。
１．太陽を出発する電気の光子の軌道を１０ａｍとする。万有引力定数は、１Ｋｇで引力となる磁気の光子のエネルギーの２乗ですから、
（２．９８７×１０−１４−ａ）２＝８．９２２×１０−２８−２ａです。
１．太陽の万有引力定数は、３．８３６×１０−４Ｎｍ２／Ｋｇ２です。
１．太陽の中心に近づくほど、磁気の光子のエネルギーは大きくなり、引力が大きくなる。
太陽の中心に近づくほど、１電子のラブでできる引力と成る磁気の光子のエネルギーが大きくなる。
太陽の中心に近づくほど、その場の万有引力定数は大きくなる。
１．太陽の中心核で中性子ができるのは、電子のラブの軌道が陽子のラブに近づき、引力が大きくなるためです。
１．星ができる条件は、中性子ができる軌道が存在する事です。電子のラブの公転軌道が２．５８×１０−１４ｍになる場が存在することです。
１．中性子ができる電子のラブの軌道（約１０−１４ｍ）より小さな電子のラブの軌道の場では、中性子だけより存在しません。
そして、星の中央に進むにつれて、密度が大きくなるので、中性子はよりたくさん集まり、球体となります。
▲１▼これを、“中性子の球体”と名づけます。
▲２▼“中性子の球体”は、星の中央になるに従って、高密度に成り、中性子の数を多くします。
▲３▼“中性子の球体”は、元素の基です。
▲４▼“中性子の球体”は、星が爆発した時、元素になります。
１．電子のラブの軌道が１０−１４ｍの場では、中性子ができます。
電子のラブの軌道が１０−１５ｍの場では、中性子は１０個の球体になって存在する。
電子のラブの軌道が１０−１６ｍの場では、中性子は１００個の球体になって存在する。
電子のラブの軌道が５×１０−１７ｍの場では、中性子は２００個の球体になって存在する。
１．Ｎ殻の電子のラブの軌道×Ｎ殻の電子のラブの数＝一定です。
この事により、中性子ができた軌道より小さい軌道では、軌道の大きさと中性子の数は反比例することが理解できる。
１．地球に存在する元素の中で、最大核子数を２５０とします。
太陽でできる元素は核子数が４のヘリュウムですから、２５０÷４＝６２．５倍の核子です。
それで、１世代の星の質量は、太陽の質量の６２．５倍でした。
１．星が爆発すると、“中性子の球体”は、絶対０度の宇宙に出ます。
そして、絶対０度の空間と調和するため、中性子の約半分は電子と陽子になります。
電子は、絶対０度の空間と調和するため、Ｋ殻、Ｌ殻、Ｍ殻、Ｎ殻となり、軌道を大きくしエネルギーを小さくします。
１．ニュートリノとは中性子ができる時、電子のラブが脱出した電気の光子の軌道です。
１．太陽の中心にヘリュウムの原子核は存在しない。
【図面の簡単な説明】
【０００７】
【図１】磁気の光子は、地球の中央から、２．２×１０−３７Ｊ→２×１０−３７Ｊ→１．８×１０−３７Ｊ→１．７×１０−３７Ｊ→１．４×１０−３７Ｊ→１．０×１０−３７Ｊ→５．５×１０−３８Ｊ→２．７×１０−３９Ｊと、しだいにエネルギーを小さくし、軌道を大きくしながら地球の外側に進む。地表に来るまでに光子の軌道は、８１．６倍、６６．９倍、５０．２倍、３４．５倍、２７．１倍、１７．６倍に拡大する。この事によって、引力は地球の中央に集まっている状態に成っている。地球の核でできた７６００Ｋの光子がしだいにエネルギーを弱めながら地球の外側に向かって進むので、磁気の光子も地球の中心から出発している。この事によって、引力は地球の中央に集まっている状態になっている。地球の中央になるほど、その場の万有引力定数は大きくなっている。それで、引力は中央から出て、しだいにその引力を減少している。地球の核では６６７０、地表では１になる。この事によって。引力は地球の中央に集まっている状態に成っている。
【図２】地球の場合、電子のラブが１．３８３×１０１０回公転してできる電気の光子のエネルギーが熱のエネルギーとなる。電子のラブが４．９６×１０６回自転してできる磁気の光子のエネルギーが引力になる。太陽の場合、電子のラブが３．７８１×１０８回公転してできる電気の光子のエネルギーが熱になる。
【図３】即ち、電子のラブの軌道が１０−１４ｍの場では、中性子ができます。電子のラブの軌道が１０−１５ｍの場では、中性子は１０個の球体になって存在する。電子のラブの軌道が１０−１６ｍの場では、中性子は１００個の球体になって存在する。電子のラブの軌道が５×１０−１７ｍの場では、中性子は２００個の球体になって存在する。電子のラブの軌道が８×１０−１５ｍの場では、“中性子２個の球体”になって存在する。電子のラブの軌道が６×１０−１５ｍの場では、“中性子４個の球体”になって存在する。電子のラブの軌道が４×１０−１５ｍの場では、“中性子６個の球体”になって存在する。電子のラブの軌道が２×１０−１５ｍの場では、“中性子８個の球体”になって存在する。
【図４】Ｋ系特性Ｘ線のＫ吸収端は、Ｌ殻の電子のラブがＫ殻に移動する時放出する特性Ｘ線のうちで、最も波長の小さなＸ線です。Ｋ吸収端のＸ線は、Ｌ殻の電子のラブの公転軌道に最も近くを回転しているＸ線ですから、このＸ線の軌道（波長÷２）を、Ｌ殻の電子のラブの公転軌道であるとみなす事ができる。Ｍ系の最も小さな特性Ｘ線の波長÷２を、Ｎ殻の電子のラブの公転軌道とみなす事ができる。Ｓｎの場合。Ｎ殻の電子のラブの軌道は０．８９７×１０−９ｍで、この軌道に１６個の電子のラブが公転している。Ｕの場合。Ｎ殻の電子のラブの軌道は０．１９５５×１０−９ｍで、この軌道に５８個の電子のラブが公転している。
【図５】星が爆発すると、“中性子の球体”は、絶対０度の宇宙に出ます。そして、絶対０度の空間と調和するため、中性子の約半分は電子と陽子になります。電子は、絶対０度の空間と調和するため、Ｋ殻、Ｌ殻、Ｍ殻、Ｎ殻となり、軌道を大きくしエネルギーを小さくします。
【図６】ニュートリノとは中性子ができる時、電子のラブが脱出した電気の光子の軌道です。
【符号の説明】
【０００８】１  地球
２  地表
３  地球の深さ
４  地球の核
５  電子のラブ
６  太陽
７  星
８  “中性子の球体”ができる電子のラブの軌道
９  Ｋ殻の電子のラブ
１０  Ｌ殻の電子のラブ
１１  Ｋ吸収端
１２  Ｋ系のβ特性Ｘ線
１３  Ｋ系のα特性Ｘ線
１４  Ｍ殻の電子のラブ
１５  Ｎ殻の電子のラブ
１６  Ｍ系のγ特性Ｘ線
１７  Ｍ系のβ特性Ｘ線
１８  Ｍ系のα特性Ｘ線
１９  ＳｎのＮ殻には電子のラブが１６個
２０  ＵのＮ殻には電子のラブが５８個
２１  中性子の半分はそのままの軌道に居る
２２  陽子の軌道
２３  Ｋ殻の軌道
２４  Ｌ殻の軌道
２５  Ｍ殻の軌道
２６  Ｎ殻の軌道
２７  エネルギーの大きさ
２８  絶対０度
２９  陽子のラブ
３０  電気の光子
３１  ニュートリノ
３２  磁気の光子
【図１】
2006353099.tif 000020
【図２】
2006353099.tif 000021
【図３】
2006353099.tif 000022
【図４】
2006353099.tif 000023
【図５】
2006353099.tif 000024
【図６】
2006353099.tif 000025